(57)【特許請求の範囲】
【請求項１】
複数の端子と、
前記端子のそれぞれに対して接続されることが想定される電子機器の論理アドレスを、前記端子のそれぞれに関連付けて記憶しているメモリと
を有し、
前記端子を介して接続される複数の電子機器を制御する電子機器制御装置の電子機器制御方法において、
前記電子機器は、同一の種類ごとに予め決められた範囲の機器アドレスを、電力が供給される順番で設定し、
前記電子機器制御装置は、
前記予め決められた範囲の前記機器アドレスを順次指定して、その機器アドレスの電子機器に信号を送信するように指示を行い、
前記指示に応じて送信されてくる前記信号を受信した前記端子に関連付けられた前記論理アドレスと、その信号を送信してきた電子機器の前記機器アドレスとの対応づけを行う
ことを特徴とする電子機器制御方法。
【請求項２】
さらに、前記論理アドレスと前記機器アドレスとの対応づけに基づくアドレス変換テーブルを記憶する
ことを特徴とする請求項１に記載の電子機器制御方法。
【請求項３】
前記信号を受信しない前記端子には、その端子に関連付けられた前記論理アドレスに対応する前記機器アドレスの前記電子機器が、接続されていないと判断する
ことを特徴とする請求項１に記載の電子機器制御方法。
【発明の詳細な説明】
【０００１】
【産業上の利用分野】
本発明は、例えばビデオテープレコーダ、レーザディスクプレーヤまたはＤＡＴなどの画像信号または音声信号を出力する装置を制御する、Ａ／Ｖ（オーディオ／ビデオ）システムに用いて好適な電子機器制御方法に関する。
【０００２】
【従来の技術】
図６７は、従来のビデオシステムの一例の構成を示すブロック図である。テレビジョン受像機１００は、アンテナ（図示せず）より供給された電波から、内蔵するチューナにより目的の周波数帯（チャンネル）を選択し、これを復調して画像信号および音声信号を取り出し、例えばＣＲＴ（図示せず）およびスピーカ（図示せず）より出力する。さらにテレビジョン受像機１００は、その外部入力端子２５および２６を介して、パラレルに接続されているビデオテープレコーダ（ＶＴＲ）３０およびレーザディスクプレーヤ（ＬＤＰ）５０により再生される画像および音声を必要に応じて選択し、ＣＲＴおよびスピーカに供給する。
【０００３】
ＶＴＲ３０およびＬＤＰ５０は、その外部出力端子（図示せず）と、テレビジョン受像機１００の外部入力端子２５および２６とがパラレルに接続されているだけでなく、そのコントロール端子（図示せず）と、テレビジョン受像機１００の制御信号端子２４とがシリアルに接続されている。ＶＴＲ３０およびＬＤＰ５０の操作パネルを操作したり、その専用リモコン（図示せず）を操作することによりＶＴＲ３０およびＬＤＰ５０の例えば電源のオン／オフ、画像および音声の再生などの動作を制御することができる。
【０００４】
しかしながら、リモコンには、ＶＴＲ３０のリモコンおよびＬＤＰ５０のリモコン以外に、テレビジョン受像機１００のリモコン２もあり、全部で３つのリモコンの操作を行わなければならず、その操作が煩雑になるため、図６７に示したビデオシステムにおいては、リモコン２が出力する制御信号に対応して、制御信号端子２４を介して供給される信号により、ＶＴＲ３０およびＬＤＰ５０に対して、上述した制御を行うことができるようになされている。
【０００５】
また、従来、Ｄ２Ｂ（ＡＶバスプロトコル）仕様に従って、目的のＡＶ機器に接続する時には、種々の接続経路のそれぞれについて順番に接続可能か試し、目的のＡＶ機器と接続するという試行錯誤的接続処理を行っていた。
【０００６】
例えば、図６８に示された従来のＡＶシステムにおいて、ＴＶ（テレビジョン受像機）１００からＶＴＲ（ビデオテープレコーダ）３０に信号接続を行うときには、まず、第１ＡＶ切替コントローラ２１を経由した経路が可能か否か確認し、可能ならば、第１ＡＶ切替コントローラ２１にＶＴＲ３０への接続命令を出力する。
【０００７】
しかし、第１ＡＶ切替コントローラ２１が、ＬＤＰ（レーザディスクプレーヤ）５０によって使用されている場合には、第１ＡＶ切替コントローラ２１を経由した経路では接続できないことを確認した後、第２ＡＶ切替コントローラ２２を経由した経路が可能か否か確認し、可能ならば、第２ＡＶ切替コントローラ２２にＶＴＲ３０への接続命令を出力し、この経路で接続を実行する。
【０００８】
【発明が解決しようとする課題】
図６７の従来例においては、ＶＴＲ３０およびＬＤＰ５０を外部入力端子２５および２６にパラレルに接続するとともに、制御信号端子２４にシリアルに接続した後、リモコン２によりテレビジョン受像機１００、ＶＴＲ３０およびＬＤＰ５０をすべて制御（操作）することができるようにするために、外部入力端子２５および２６に接続されている装置（ＶＴＲ３０およびＬＤＰ５０）をテレビジョン受像機１００に判別（認識）させるための初期化を行う必要がある。
【０００９】
そして、図６７の従来のテレビジョン受像機１００では、この初期化作業中に、テレビジョン受像機１００と、ＶＴＲ３０およびＬＤＰ５０との接続が確認できないため、外部入力端子２５および２６とＶＴＲ３０およびＬＤＰ５０とを、図中実線で示したように、それぞれ接続しようとして、誤って、図中点線で示したように、外部入力端子２６および２５とＶＴＲ３０およびＬＤＰ５０とをそれぞれ接続して初期化を行った場合、最初から初期化をし直さなければならず、使用者にわずらわしさを感じさせる課題があった。
【００１０】
そこで、本件出願人は、ＣＲＴの画面上の一部に接続確認用の画面を設け、そこに外部入力端子２５または２６に接続した装置から再生される画像を表示させ、接続状態を確認することができるようにした画像制御装置を先に出願している。
【００１１】
しかしながら、このような画像制御装置においては、外部入力端子２５または２６に接続した装置に、画像が記録されている記録媒体をセットしなければならず、不便であった。
【００１２】
また、図６８の上述した従来のＡＶシステムにおいて行われている接続制御方法では、ユーザがリモコン等を操作して、目的のＡＶ機器への信号接続命令を出してから、実際に接続できるまで、長時間を要するという問題があった。
【００１３】
さらにまた、ＡＶシステムに同一種類の電子機器が複数台接続されている場合（例えば、複数のＶＴＲが接続されている場合）、各ＶＴＲのアドレスをＡＶセンタが、ＡＶシステムを管理するために予め用意したアドレスに対応するアドレスになるように、ユーザが手動で入力しなければならず、操作性が悪い課題があった。
【００１４】
また、ＡＶシステムにおける各ＡＶ機器の接続状態を確認する場合、所定の経路を経て供給されてきた信号を検出する検出回路を特別に設けるようにしているため、コスト高となる課題があった。
【００１５】
本発明は、このような状況に鑑みてなされたものであり、同一種類の複数の電子機器がシステム中に存在する場合においても、より簡単にシステムの接続を完了することができるようにするものである。
【００３２】
【課題を解決するための手段】
本発明の電子機器制御方法は、電子機器は、同一の種類ごとに予め決められた範囲の機器アドレスを、電力が供給される順番で設定し、電子機器制御装置は、予め決められた範囲の機器アドレスを順次指定して、その機器アドレスの電子機器に信号を送信するように指示を行い、指示に応じて送信されてくる信号を受信した端子に関連付けられた論理アドレスと、その信号を送信してきた電子機器の機器アドレスとの対応づけを行うことを特徴とする。
さらに、論理アドレスと機器アドレスとの対応づけに基づくアドレス変換テーブルを記憶することができる。
信号を受信しない端子には、その端子に関連付けられた論理アドレスに対応する機器アドレスの電子機器が、接続されていないと判断することを特徴とする。
【００４３】
【作用】
本発明の電子機器制御方法においては、電子機器は、同一の種類ごとに予め決められた範囲の機器アドレスを、電力が供給される順番で設定し、電子機器制御装置は、予め決められた範囲の機器アドレスを順次指定して、その機器アドレスの電子機器に信号を送信するように指示を行い、指示に応じて送信されてくる信号を受信した端子に関連付けられた論理アドレスと、その信号を送信してきた電子機器の機器アドレスとの対応づけを行う。従って、ユーザは、各電子機器のアドレスを手動入力する必要がなく、操作性が改善される。
【００４５】
【実施例】
図１は、本発明の接続制御装置を応用したビデオシステムの一実施例の構成を示すブロック図である。リモコン２は、テレビジョン受像機１の電源をオン／オフする電源スイッチ、チャンネルを選択するチャンネルボタン、スピーカ（図示せず）より出力される音声を調整するボリューム調整スイッチ、チューナ７より出力される画像信号もしくは音声信号、外部入力端子１５に入力される画像信号もしくは音声信号、または外部入力端子１６に入力される画像信号もしくは音声信号のうち、ＣＲＴ１０またはスピーカ１１に出力させる画像信号または音声信号を選択する選択スイッチなどとともに、外部入力端子１５および１６に接続された装置を制御するための制御スイッチを有し、操作されたスイッチ（ボタン）に対応する光を、内蔵する発光素子より発光する。
【００４６】
受光部３は、リモコン２より照射された光を電気信号に変換してＣＰＵ５に供給する。操作部４は、リモコン２と同等のスイッチ（ボタン）を有し、テレビジョン受像機１の電源をオン／オフしたり、チャンネルを選択したりするときや、外部入力端子１５および１６に接続された装置を制御するときなどに操作される。
【００４７】
制御部９は、制御信号端子１７を介してＶＴＲ１３およびＬＤＰ１４とシリアルに接続されており、リモコン２または操作部４の操作に対応して、ＶＴＲ１３およびＬＤＰ１４の電源のオン／オフ、画像および音声の再生などの動作を制御する。さらに、制御部９は、テレビジョン受像機１の外部入力端子１５および１６に接続される装置（図１においては、ＶＴＲ１３およびＬＤＰ１４）が内蔵する信号発生回路１３ａおよび１４ａを制御する。
【００４８】
ＶＴＲ１３およびＬＤＰ１４が内蔵する信号発生回路１３ａおよび１４ａは、制御部９に制御され、テレビジョン受像機１（ＣＰＵ５）に、外部入力端子１５および１６に接続した装置を判別（認識）させるための初期化を行う場合に、外部入力端子１５または１６に入力する画像信号（画像を確認するためのテスト信号）として、例えばカラーバー、または外部入力端子１５または１６に入力する音声信号（音声を確認するためのテスト信号）として、例えば周波数が１ｋＨｚで信号レベルが０ｄＢの正弦波（以下、１ｋ正弦波と略す）などを出力する。
【００４９】
切換部８は、ＣＰＵ５に制御され、チューナ７より出力される画像信号および音声信号、外部入力端子１５に供給される画像信号もしくは音声信号（図１においては、ＶＴＲ１３より出力される画像信号および音声信号）、または外部入力端子１６に供給される画像信号もしくは音声信号（図１の実施例においては、ＬＤＰ１４より出力される画像信号および音声信号）のうちの１つを選択し、ＣＲＴ１０またはスピーカ１１に供給する。
【００５０】
さらに、切換部８は、テレビジョン受像機１（ＣＰＵ５）に、外部入力端子１５および１６に接続した装置を判別（認識）させるための初期化を行う場合に、外部入力端子１５に接続されている装置（ＶＴＲ１３）が内蔵する信号発生回路１３ａが出力するカラーバーもしくは１ｋ正弦波、または外部入力端子１６に接続されている装置（ＬＤＰ１４）が内蔵する信号発生回路１４ａが出力するカラーバーもしくは１ｋ正弦波のうちの１つを選択し、検出回路１２に供給する。
【００５１】
検出回路１２は、切換部８より供給されるカラーバーまたは１ｋ正弦波を検出し、検出結果をＣＰＵ５に出力する。
【００５２】
メモリ６には、テレビジョン受像機１（ＣＰＵ５）に、外部入力端子１５および１６に接続した装置を判別（認識）させるための初期化を行う場合にＣＲＴ１０に表示するための、使用者に推奨するテレビジョン受像機１とその外部入力端子１５および１６に接続する装置との接続図（接続モデル）の他、使用者にリモコン２または操作部４の操作や、ＶＴＲ１３またはＬＤＰ１４と外部入力端子１５または１６との接続状態の確認を促すためのメッセージが記憶されている。さらに、メモリ６は、使用者があらかじめ記憶された接続図を変更した接続図、または新たに作成した接続図を記憶する。
【００５３】
ＣＰＵ５は、リモコン２または操作部４が操作されたときの他、必要に応じてメモリ６、チューナ７、切換部８、および制御部９を制御する。さらに、ＣＰＵ５は、検出回路１２より供給されるカラーバーまたは１ｋ正弦波の検出結果に対応して、メモリ６に記憶されている接続図やメッセージを読み出し、切換部８を介してＣＲＴ１０に供給する。
【００５４】
チューナ７は、アンテナ（図示せず）より供給された電波から、目的の周波数帯（チャンネル）を選択し、画像信号および音声信号を取り出し、切換部８に供給する。
【００５５】
ＣＲＴ１０は、切換部８より出力される画像信号に対応する画像を表示するだけでなく、ＣＰＵ５によりメモリ６から読み出された接続図やメッセージを表示する。スピーカ１１は、切換部８より供給される音声信号（電気信号）を音声に変換して出力する。
【００５６】
次に、その動作について説明する。通常のモードで動作している場合、チューナ７より出力される画像信号および音声信号、外部入力端子１５に供給される画像信号もしくは音声信号、または外部入力端子１６に供給される画像信号もしくは音声信号のうちの１つが、リモコン２または操作部４の操作に対応して、切換部８により選択され、選択された画像信号または音声信号は、ＣＲＴ１０またはスピーカ１１に供給され、ＣＲＴ１０において、供給された画像信号に対応する画像が表示され、スピーカ１１において、供給された音声信号に対応する音声が出力される。
【００５７】
初期化を行う場合、テレビジョン受像機１の外部入力端子１５および１６にＶＴＲ１３およびＬＤＰ１４を接続した後、まず最初に、リモコン２または操作部４を操作して、テレビジョン受像機１の動作モードを初期化モードに設定する。テレビジョン受像機１の動作モードが初期化モードに設定されると、ＣＰＵ５において、メモリ６より読み出されたテレビジョン受像機１と、それに接続することができる装置との接続図のサンプルが、切換部８を介してＣＲＴ１０に供給され、ＣＲＴ１０にその接続図が表示される。このとき、リモコン２または操作部４が操作され、使用者の好みの接続図が選択されるか、サンプルが使用者の好みの接続図に変更されるか、または新たに使用者の好みの接続図が作成される。
【００５８】
ここで、リモコン２が操作された場合、その操作に対応する光が、リモコン２の内蔵する発光素子より発光され、その光は、受光部３において、受光され、受光された光が電気信号に変換され、ＣＰＵ５に供給される。操作部４が操作された場合、その操作に対応する電気信号がＣＰＵ５に供給される。
【００５９】
このように、リモコン２または操作部４が操作され、使用者の好みの接続図が選択されるか、サンプルが使用者の好みの接続図に変更されるか、または新たに使用者の好みの接続図が作成されると、ＣＰＵ５において、外部入力端子１５に入力される信号を選択して、その信号を検出回路１２に出力するように、切換部８に対して制御信号が出力されるとともに、外部入力端子１５に接続されている（と思われる）装置、即ちＶＴＲ１３が内蔵する信号発生回路１３ａからカラーバーまたは１ｋ正弦波を出力させる制御を行うように、制御部９に対して制御信号が出力される。
【００６０】
すると、切換部８において、ＣＰＵ５より出力された制御信号にしたがって、外部入力端子１５に入力される信号、即ち信号発生回路１３ａより出力されるカラーバーまたは１ｋ正弦波が選択され、検出回路１２に供給される。同時に、制御部９において、ＣＰＵ５より出力された制御信号にしたがって、ＶＴＲ１３が内蔵する信号発生回路１３ａよりカラーバーまたは１ｋ正弦波が出力されるように、制御信号端子１７を介して、信号発生回路１３ａに対して制御信号が出力され、信号発生回路１３ａにおいて、カラーバーまたは１ｋ正弦波の出力が開始される。
【００６１】
検出回路１２において、切換部８より供給されたカラーバーまたは１ｋ正弦波が検出され、その検出結果がＣＰＵ５に出力される。ＣＰＵ５において、検出回路１２より出力された検出結果から、現在カラーバーまたは１ｋ正弦波を出力している信号発生回路１３ａを内蔵している装置、即ちＶＴＲ１３が正常に接続されている（ＶＴＲ１３が外部入力端子１５に接続されている）と判定された場合、ＶＴＲ１３が内蔵する信号発生回路１３ａのカラーバーまたは１ｋ正弦波の出力を停止させる制御を行うように、制御部９に対して制御信号が出力され、制御部９において、ＣＰＵ５より出力された制御信号にしたがって、カラーバーまたは１ｋ正弦波の出力を停止するように、制御信号端子１７を介して、ＶＴＲ１３が内蔵する信号発生回路１３ａに対して制御信号が出力され、信号発生回路１３ａにおいて、カラーバーまたは１ｋ正弦波の出力が停止される。
【００６２】
ここで、ＶＴＲ１３が外部入力端子１５に接続されておらず、誤って外部入力端子１６に接続されている場合（図中、点線で示す）、ＶＴＲ１３が内蔵する信号発生回路１３ａよりカラーバーまたは１ｋ正弦波が出力されるが、切換部８においては、外部入力端子１５に入力される信号が選択され、検出回路１２に供給される。従って、外部入力端子１５には、カラーバーまたは１ｋ正弦波が入力されていない（信号が入力されていない）ので、ＣＰＵ５において、検出回路１２でＶＴＲ１３の内蔵する信号発生回路１３ａより出力されたカラーバーまたは１ｋ正弦波が検出されなかったと、即ち接続不良であると判定される。
【００６３】
この場合、ＣＰＵ５において、図中点線で示した接続不良箇所が検索され、さらにメモリ６に記憶されている、使用者に接続の確認を促すメッセージが読み出され、切換部８を介してＣＲＴ１０に供給される。ＣＲＴ１０において、ＣＰＵ５より供給された接続不良箇所が、使用者に接続の確認を促すメッセージとともに表示される。
【００６４】
従って、ＣＲＴ１０に表示される接続不良箇所およびメッセージにより、外部入力端子１５にＶＴＲ１３が接続されているか否かを容易に確認することができる。
【００６５】
ＣＰＵ５において、ＶＴＲ１３が正常に接続されていること（ＶＴＲ１３が外部入力端子１５に接続されていること）が確認（認識）されると、さらにＣＰＵ５において、外部入力端子１６に入力される信号を選択して、その信号を検出回路１２に出力するように、切換部８に対して制御信号が出力されるとともに、外部入力端子１６に接続されている（と思われる）装置、即ちＬＤＰ１４が内蔵する信号発生回路１４ａからカラーバーまたは１ｋ正弦波を出力させる制御を行うように、制御部９に対して制御信号が出力される。
【００６６】
すると、切換部８において、ＣＰＵ５より出力された制御信号にしたがって、外部入力端子１６に入力される信号、即ち信号発生回路１４ａより出力されるカラーバーまたは１ｋ正弦波が選択され、検出回路１２に供給される。同時に、制御部９において、ＣＰＵ５より出力された制御信号にしたがって、ＬＤＰ１４が内蔵する信号発生回路１４ａよりカラーバーまたは１ｋ正弦波が出力されるように、制御信号端子１７を介して、信号発生回路１４ａに対して制御信号が出力され、信号発生回路１４ａにおいて、カラーバーまたは１ｋ正弦波の出力が開始される。
【００６７】
検出回路１２において、切換部８より供給されたカラーバーまたは１ｋ正弦波が検出され、その検出結果がＣＰＵ５に出力される。ＣＰＵ５において、検出回路１２より出力された検出結果から、現在カラーバーまたは１ｋ正弦波を出力している信号発生回路１４ａを内蔵している装置、即ちＬＤＰ１４が正常に接続されている（ＬＤＰ１４が外部入力端子１６に接続されている）と判定された場合、ＬＤＰ１４が内蔵する信号発生回路１４ａのカラーバーまたは１ｋ正弦波の出力を停止させる制御を行うように、制御部９に対して制御信号が出力され、制御部９において、ＣＰＵ５より出力された制御信号にしたがって、カラーバーまたは１ｋ正弦波の出力を停止するように、制御信号端子１７を介して、ＬＤＰ１４が内蔵する信号発生回路１４ａに対して制御信号が出力され、信号発生回路１４ａにおいて、カラーバーまたは１ｋ正弦波の出力が停止される。
【００６８】
ここで、ＬＤＰ１４が外部入力端子１６に接続されておらず、誤って外部入力端子１５に接続されている場合（図中、点線で示す）、ＬＤＰ１４が内蔵する信号発生回路１４ａよりカラーバーまたは１ｋ正弦波が出力されるが、切換部８においては、外部入力端子１６に入力される信号が選択され、検出回路１２に供給される。従って、外部入力端子１６には、カラーバーまたは１ｋ正弦波が入力されていない（信号が入力されていない）ので、ＣＰＵ５において、検出回路１２でＬＤＰ１４の内蔵する信号発生回路１４ａより出力されたカラーバーまたは１ｋ正弦波が検出されなかったと、即ち接続不良であると判定される。
【００６９】
この場合、ＣＰＵ５において、図中点線で示した接続不良箇所が検索され、さらにメモリ６に記憶されている、使用者に接続の確認を促すメッセージが読み出され、切換部８を介してＣＲＴ１０に供給される。ＣＲＴ１０において、ＣＰＵ５より供給された接続不良箇所が、使用者に接続の確認を促すメッセージとともに表示される。
【００７０】
従って、ＣＲＴ１０に表示される接続不良箇所およびメッセージにより、外部入力端子１６にＬＤＰ１４が接続されているか否かを容易に確認することができる。
【００７１】
次に、図２のフローチャートを参照して、さらにその動作を説明する。まず最初にステップＳ１において、テレビジョン受像機１と、それに接続することができる装置との接続図（接続モデル）のサンプルが、ＣＲＴ１０に表示され、ステップＳ２において、使用者の欲するサンプルがあるか否かが判定される。ステップＳ２において、使用者の欲するサンプルがないと判定された場合、ステップＳ３に進み、使用者により接続図の変更、または新規作成が行われ、ステップＳ５に進む。ステップＳ２において、使用者の欲するサンプルがあると判定された場合、ステップＳ４に進み、そのサンプルが選択され、ステップＳ５に進む。
【００７２】
ステップＳ５において、外部入力端子１５に入力されている信号が選択され、ステップＳ６において、ステップＳ５で選択された外部入力端子１５に接続されていると思われるＶＴＲ１３が内蔵する信号発生回路１３ａよりカラーバーまたは１ｋ正弦波（テスト信号）の出力が開始され、ステップＳ７に進み、カラーバーまたは１ｋ正弦波（テスト信号）が検出回路１２で検出することができたか否かが判定される。ステップＳ７において、カラーバーまたは１ｋ正弦波（テスト信号）が検出回路１２で検出することができなかったと判定された場合、即ち外部入力端子１５にＶＴＲ１３が接続されていない場合、ステップＳ８に進み、外部入力端子１５に接続されていると思われていたＶＴＲ１３が内蔵する信号発生回路１３ａよりカラーバーまたは１ｋ正弦波（テスト信号）の出力が停止され、ステップＳ９に進む。
【００７３】
ステップＳ９において、不良接続部分がＣＲＴ１０に表示され、ステップＳ１０において、ステップＳ３で変更もしくは新規作成された接続図、またはステップＳ４で選択された接続図、即ち正しい接続図がＣＲＴ１０に表示され、使用者に接続の確認を促す。ステップＳ１１において、使用者が接続を確認した（使用者がステップＳ９でＣＲＴ１０に表示された不良接続部分の接続をし直した）か否かが判定され、ステップＳ１１において、使用者が接続を確認していないと判定された場合、ステップＳ１０に戻る。ステップＳ１１において、使用者が接続を確認したと判定されるまで、ステップＳ１０，Ｓ１１の処理を繰り返す。
【００７４】
ステップＳ１１において、使用者が接続を確認したと判定された場合、ステップＳ５に戻り、ステップＳ７において、カラーバーまたは１ｋ正弦波（テスト信号）が検出回路１２で検出することができたと判定されるまで、ステップＳ５乃至Ｓ１１の処理を繰り返す。
【００７５】
ステップＳ７において、カラーバーまたは１ｋ正弦波（テスト信号）が検出回路１２で検出することができたと判定された場合、ステップＳ１２に進み、外部入力端子１５に接続されているＶＴＲ１３が内蔵する信号発生回路１３ａよりカラーバーまたは１ｋ正弦波（テスト信号）の出力が停止され、ステップＳ１３に進む。
【００７６】
ステップＳ１３において、外部入力端子１６に入力されている信号が選択され、ステップＳ１４において、ステップＳ１３で選択された外部入力端子１６に接続されていると思われるＬＤＰ１４が内蔵する信号発生回路１４ａよりカラーバーまたは１ｋ正弦波（テスト信号）の出力が開始され、ステップＳ１５に進み、カラーバーまたは１ｋ正弦波（テスト信号）が検出回路１２で検出することができたか否かが判定される。
【００７７】
ステップＳ１５において、カラーバーまたは１ｋ正弦波（テスト信号）が検出回路１２で検出することができなかったと判定された場合、即ち外部入力端子１６にＬＤＰ１４が接続されていない場合、ステップＳ１６に進み、外部入力端子１６に接続されていると思われていたＬＤＰ１４が内蔵する信号発生回路１４ａよりカラーバーまたは１ｋ正弦波（テスト信号）の出力が停止され、ステップＳ９に進む。以後、ステップＳ９乃至Ｓ１１において、上述した処理と同様の処理が行われ、ステップＳ５に戻る。
【００７８】
ステップＳ７、且つステップＳ１５において、カラーバーまたは１ｋ正弦波（テスト信号）が検出回路１２で検出することができたと判定されるまで、ステップＳ５乃至Ｓ１６の処理を繰り返す。
【００７９】
ステップＳ７、且つステップＳ１５において、カラーバーまたは１ｋ正弦波（テスト信号）が検出回路１２で検出することができたと判定された場合、ステップＳ１７に進み、外部入力端子１６に接続されているＬＤＰ１４が内蔵する信号発生回路１４ａよりカラーバーまたは１ｋ正弦波（テスト信号）の出力が停止され、ステップＳ１８に進む。ステップＳ１８において、ステップＳ３で変更もしくは新規作成された接続図、またはステップＳ４で選択された接続図どおりに接続がなされたことを使用者に知らせるためのメッセージがＣＲＴ１０に出力され、処理を終了する。
【００８０】
なお、本実施例においては、画像信号および音声信号の両方を出力することができるＶＴＲ１３およびＬＤＰ１４を、外部入力端子１５および１６に接続しているが、例えばＤＡＴなど音声信号のみを出力する装置をテレビジョン受像機１の外部入力端子１５または１６に接続することができる。また、本実施例においては、チューナ７はテレビジョン受像機１に内蔵されているが、このようにチューナ７をテレビジョン受像機１に内蔵させず、ＶＴＲ１３およびＬＤＰ１４と同様に、このチューナ７に信号発生回路１３ａまたは１４ａと同様にテスト信号を発生する回路を内臓させ、独立した装置としてテレビジョン受像機１の外部入力端子１５または１６に接続し、システムを構成することができる。
【００８１】
図３は、本発明をＡＶシステムに適用した場合の一実施例の構成を示すブロック図である。操作釦１０１を操作すると、インターフェース１０３を介してＣＰＵ１０４に所定の指令を入力することができる。また同様に、コマンダ１１２を操作するとコマンダ１１２より赤外線が出射され、受信部１０２によりこの赤外線が受光される。その結果、受信部１０２よりインターフェース１０３を介して、やはりＣＰＵ１０４に対して所定の指令を入力することができる。ＣＰＵ１０４は、入力された指令を処理して、チューナ（図示せず）に対する選局命令、後述のＤ２Ｂ通信処理マイクロコンピュータ１０９への命令等を出力する。
【００８２】
ＲＯＭ１０５は、ＣＰＵ１０４が動作する上において必要なプログラムおよびデータを記憶している。ＲＡＭ１０６は、処理の結果得られたデータなどを記憶する。不揮発性メモリ（ＮＶＲＡＭ）１０７は、電源オフ後も記憶しておく必要のあるデータ例えば他のＡＶ機器（ＶＴＲ３０および４０ならびにＬＤＰ５０）との接続情報を記憶する。クロックタイマ１０８は計時動作を常に行っており、時刻情報を発生している。
【００８３】
ＣＰＵ１０４，ＲＯＭ１０５，ＲＡＭ１０６およびクロックタイマ１０８は、テレビジョン受像機制御用メインマイクロコンピュータ（以下、「ＴＶ用マイコン」と略称）を構成する。
【００８４】
内部に専用のＲＯＭおよびＲＡＭ等を内蔵するＤ２Ｂ通信処理マイクロコンピュータ（以下、「Ｄ２Ｂ通信処理マイコン」と略称）１０９は、Ｉ２Ｃバスから  なる内部バス１２０を介して、ＣＰＵ１０４、画面表示用（ＯＳＤ表示用）ＩＣ１１４および切換器１１８に接続されており、かつＤ２Ｂ通信処理ＩＣ１１０およびＤ２ＢバスすなわちＤ２Ｂ制御線１２１を介して第１ＶＴＲ３０、第２ＶＴＲ４０、およびＬＤＰ（レーザディスクプレーヤ）５０等の他のＡＶ機器とシリアルに接続され、データおよびコマンドの授受を行うように構成されている。
【００８５】
第１ＶＴＲ３０は、ＡＶ信号線３１を介して切換部１１８の端子Ｔ１と接続され、切換部１１８との間で、ビデオ信号およびオーディオ信号の送受ができるようになされている。第２ＶＴＲ４０は、ＡＶ信号線４１を介して切換部１１８の端子Ｔ２と接続され、切換部１１８との間で、ビデオ信号およびオーディオ信号の送受ができるようになされている。ＬＤＰ５０は、ＡＶ信号線５１を介して切換部１１８の端子Ｔ３と接続され、切換部１１８との間で、ビデオ信号およびオーディオ信号の送受ができるようになされている。
【００８６】
ビデオテスト信号発生器１２２は、ビデオテスト信号を切換器１１８に供給する。ビデオテスト信号検出器１２４は、切換器１１８から出力されるビデオテスト信号を検出する。第１ＶＴＲ３０、第２ＶＴＲ４０およびＬＤＰ５０にも、それぞれ、ビデオテスト信号発生器３２およびビデオテスト信号検出器３４、ビデオテスト信号発生器４２およびビデオテスト信号検出器４４、ならびにビデオテスト信号発生器５２およびビデオテスト信号検出器５４が設けられている。
【００８７】
切換器１１８は、チューナ（図示せず）、第１ＶＴＲ３０、第２ＶＴＲ４０およびＬＤＰ５０から出力されるビデオ信号（ビデオテスト信号を含む）のいずれか１つを、ＣＰＵ１０４またはＤ２Ｂ通信処理マイコン１０９の制御の下に選択して、ＣＲＴ１１３およびビデオテスト信号検出器１２４に供給する。
【００８８】
また、切換器１１８は、チューナ（図示せず）から出力されるビデオ信号（およびオーディオ信号）とビデオテスト信号発生器１２２から出力されるビデオ信号のいずれかを、ＣＰＵ１０４またはＤ２Ｂ通信処理マイコン１０９の制御の下に、第１ＶＴＲ３０、第２ＶＴＲ４０またはＬＤＰ５０に供給する。
【００８９】
ＣＲＴ１１３は、切換器１１８から出力されるビデオ信号を表示する。また、ＣＲＴ１１３には、内部バス１２０から画面表示用ＩＣ１１４を介して必要な情報が表示されるようになされている。また、切換器１１８から出力されるオーディオ信号は、図示しないスピーカに供給される。
【００９０】
図３の操作釦１０１、受信部１０２、インターフェース１０３、ＣＰＵ１０４、ＲＯＭ１０５、ＲＡＭ１０６、不揮発性メモリ１０７、クロックタイマ１０８、Ｄ２Ｂ通信処理マイコン１０９、Ｄ２Ｂ通信処理ＩＣ１１０、ＣＲＴ１１３、画面表示用ＩＣ１１４、切換器１１８、ビデオテスト信号発生器１２２、ビデオテスト信号検出器１２４、チューナ（図示せず）およびスピーカ（図示せず）は、ＡＶセンタすなわちテレビジョン受像機１００を構成する。
【００９１】
なお、第１ＶＴＲ３０、第２ＶＴＲ４０およびＬＤＰ５０にも、Ｄ２Ｂ通信処理マイコン１０９およびＤ２Ｂ通信処理ＩＣ１１０に相当する構成要素が設けられている。
【００９２】
図４は、図３の実施例のパワーオン時の不揮発性メモリ１０７に対する処理例を示す。まず、パワーオン時に、Ｄ２Ｂ通信処理マイコン１０９は、不揮発性メモリ１０７の内部データを調べ（ステップＳ１０１）、データが何も書き込まれていなければ、マイコン１０９に内蔵されたＲＯＭに記憶されているデフォルト値（初期値）を不揮発性メモリ１０７に書き込む（ステップＳ１０２）。不揮発性メモリ１０７に何も書き込まれていないか否かを判断するには、不揮発性メモリ１０７内の特定の番地のデータを調べる方法、不揮発性メモリ１０７内の特定の領域のデータを調べる方法、および工場設定／ユーザ設定／デフォルト書き込み等により一度書き込みを行ったら、そのことを示す情報を不揮発性メモリ１０７内に書き込んでおくという方法がある。
【００９３】
次に、Ｄ２Ｂ通信処理マイコン１０９は、不揮発性メモリ１０７の記憶データを、マイコン１０９の内蔵ＲＡＭのワークエリアに移し（ステップＳ１０３）、Ｄ２Ｂ自己アドレスの自動設定を行い（ステップＳ１０４）、メインルーチンの処理を行う。メインルーチン中では、Ｄ２Ｂ通信処理マイコン１０９は、画面メニューの選択、操作釦１０１またはコマンダ１１２の操作によるＤ２Ｂ初期設定／モデル機種選択設定／機能選択等を行った後、ＲＡＭのワークエリアおよび不揮発性メモリ１０７の記憶データを書き換える。
【００９４】
図４の処理によれば、不揮発性メモリ１０７に何も書き込まれていなくても、デフォルト値が書き込まれるので、Ｄ２Ｂ通信処理マイコン１０９のプログラムの暴走を防止でき、マイコン１０９の誤動作を防止できる。また、一般に、工場での生産においては、書き込み済の不揮発性メモリ１０７を取り付けた後、種々のチェックを行わなければならないが、図４の処理によれば、不揮発性メモリ１０７を初期化する前でも、少なくとも、誤動作はしないため、生産手順の制約から解放される。また、ユーザに初期設定されるとき、不揮発性メモリ１０７に記憶されたデフォルト値が、メニュー画面に表示されるため、ユーザは、初期設定すべき項目の具体例を見ることができるから、初期設定の負担が減る。なお、ユーザによる初期設定項目には、自己の機器の名称および外部ＡＶ端子の名称等がある。
【００９５】
図５、図６および図７は、図３の実施例の接続設定の初期化動作の一例の第１部分、第２部分および第３部分を示すフローチャートである。まず、操作釦１０１またはコマンダ１１２の初期化釦を押すと、ＡＶセンタ１００のＤ２Ｂ通信処理マイコン１０９は、Ｄ２Ｂ通信処理ＩＣ１１０およびＤ２Ｂ制御線１２１を介して、第１ＶＴＲ３０に対してビデオテスト信号検出動作指示を出し、切換器１１８のＡＶ入出力端子Ｔ１から、信号発生器１２２の出力信号であるビデオテスト信号を発生させる（ステップＳ１１１）。
【００９６】
次に、Ｄ２Ｂ通信処理マイコン１０９は、第１ＶＴＲ３０のビデオテスト信号検出器３４がビデオテスト信号を検出したか否かを、Ｄ２Ｂ制御線１２１を介してＤ２Ｂプロトコルで第１ＶＴＲ３０に問い合わせる（ステップＳ１１２）。第１ＶＴＲ３０は、信号検出器３４がビデオテスト信号を検出すると（ステップＳ１１３のＹＥＳ）、Ｄ２ＢプロトコルでＤ２Ｂ制御線１２１およびＤ２Ｂ通信処理ＩＣ１１０を介してＤ２Ｂ通信処理マイコン１０９に、信号検出を報告する。
【００９７】
これにより、Ｄ２Ｂ通信処理マイコン１０９は、ＡＶセンタすなわちテレビジョン受像機１００のＡＶ入出力端子Ｔ１が第１ＶＴＲ３０に接続されていると判断し、ＣＲＴ１１３のＯＳＤ（オンスクリーンディスプレイ）のＴ１の機器の欄に第１ＶＴＲと表示し、また、第１ＶＴＲ３０に名称をＤ２Ｂプロトコルで問い合わせ、その結果を、画面表示ＩＣ１１４を介してＣＲＴ１１３のＯＳＤの名称欄に表示する（ステップＳ１１４）。
【００９８】
第１ＶＴＲ３０から信号検出応答が無い場合には（ステップＳ１１３のＮＯ）、Ｄ２Ｂ通信処理マイコン１０９は、第２ＶＴＲ４０のビデオテスト信号検出器４４がビデオテスト信号を検出したか否かを、Ｄ２Ｂ制御線１２１を介してＤ２Ｂプロトコルで第２ＶＴＲ４０に問い合わせる（ステップＳ１１５）。第２ＶＴＲ４０は、信号検出器４４がビデオテスト信号を検出すると（ステップＳ１１６のＹＥＳ）（この場合、第２ＶＴＲ４０は、図３に示された接続状態とは異なり、ＡＶ信号線３１を介して端子Ｔ１に接続されていたことになる）、Ｄ２ＢプロトコルでＤ２Ｂ制御線１２１およびＤ２Ｂ通信処理ＩＣ１１０を介してＤ２Ｂ通信処理マイコン１０９に、信号検出を報告する。
【００９９】
これにより、Ｄ２Ｂ通信処理マイコン１０９は、ＡＶセンタすなわちテレビジョン受像機１００の端子Ｔ１が第２ＶＴＲ４０に接続されていると判断し、ＣＲＴ１１３のＯＳＤのＴ１の機器の欄に第２ＶＴＲと表示し、また、第２ＶＴＲ４０に名称をＤ２Ｂプロトコルで問い合わせ、その結果を画面表示ＩＣ１１４を介してＣＲＴ１１３のＯＳＤの名称欄に表示する（ステップＳ１１７）。
【０１００】
第２ＶＴＲ４０からも信号検出応答が無い場合には（ステップＳ１１６のＮＯ）、Ｄ２Ｂ通信処理マイコン１０９は、ＣＲＴ１１３のＯＳＤのＴ１の欄に異常を表示する（この例は、ＶＴＲは、最大２台まで接続可能な例である。３台以上のＶＴＲが接続可能な場合には、第３、第４・・・ＶＴＲに対してビデオテスト信号を検出したか否かを、Ｄ２Ｂプロトコルで、Ｄ２Ｂ制御線１２１、ＡＶ入出力端子Ｔ１およびＡＶ信号線３１を介して問い合わせることになる）。
【０１０１】
ステップＳ１１４、Ｓ１１７またはＳ１１８の処理が終了すると、Ｄ２Ｂ通信処理マイコン１０９は、切換器１１８を制御して、切換器１１８の端子Ｔ１から信号発生器２２のビデオテスト信号が出力されるのを停止させる（ステップ１１９）。
【０１０２】
次に、ＡＶセンタ１００のＤ２Ｂ通信処理マイコン１０９は、端子Ｔ１をビデオ信号検出モードにし、第１ＶＴＲ３０に対して、Ｄ２ＢプロトコルでＤ２Ｂバスすなわち制御線１２１を介して（第１ＶＴＲ３０をアドレス指定して）信号発生器３２からビデオテスト信号を発生させる命令を送り（ステップＳ１２１）、信号検出器１２４が端子Ｔ１を介してビデオテスト信号を受けたかを調べ（ステップＳ１２２）、受けていれば、ＣＲＴ１１３のＯＳＤのＴ１欄に双方向ＯＫの表示を行う。信号検出器１２４がビデオテスト信号を受けていなければ、ＣＲＴ１１３のＯＳＤのＴ１欄に異常を表示する（ステップＳ１２４）。
【０１０３】
次に、ＡＶセンタ１００のＤ２Ｂ通信処理マイコン１０９は、ＡＶ入出力端子Ｔ１のビデオ信号検出モード解除し（ステップＳ１２５）、ＡＶ入出力端子Ｔ２をビデオ信号検出モードにし、第２ＶＴＲ４０に対して、Ｄ２ＢプロトコルでＤ２Ｂバスすなわち制御線１２１を介して（第２ＶＴＲ４０をアドレス指定して）信号発生器４２からビデオテスト信号を発生させる命令を送り（ステップＳ１２６）、信号検出器１２４が端子Ｔ２を介してビデオテスト信号を受けたかを調べ（ステップＳ１２７）、受けていれば、ＣＲＴ１１３のＯＳＤのＴ２欄に双方向ＯＫの表示を行う。信号検出器１２４がビデオテスト信号を受けていなければ、ＣＲＴ１１３のＯＳＤのＴ２欄に異常を表示する（ステップＳ１２９）。
【０１０４】
次に、ＡＶセンタ１００のＤ２Ｂ通信処理マイコン１０９は、端子Ｔ２のビデオ信号検出モード解除し（ステップＳ１３０）、端子Ｔ３をビデオ信号検出モードにし、ＬＤＰ５０に対して、Ｄ２ＢプロトコルでＤ２Ｂバスすなわち制御線１２１を介して（ＬＤＰ５０をアドレス指定して）信号発生器５２からビデオテスト信号を発生させる命令を送り（ステップＳ１３１）、信号検出器１２４が端子Ｔ３を介してヒデオテスト信号を受けたかを調べ（ステップＳ１３２）、受けて入れば、Ｄ２Ｂ通信処理マイコン１０９は、ＡＶセンタすなわちテレビジョン受像機１００の端子Ｔ３がＬＤＰ５０に接続されていると判断し、ＣＲＴ１１３のＯＳＤのＴ３の機器の欄にＬＤＰと表示し、また、ＬＤＰ５０に対しその名称をＤ２Ｂプロトコルで問い合わせ、その結果をＣＲＴ１１３のＯＳＤのＴ３名称欄に表示する（ステップＳ１３３）。
【０１０５】
信号検出器１２４が、ビデオテスト信号を受けていなければ、ＣＲＴ１３のＯＳＤのＴ３欄に異常を表示する（ステップＳ１３４）。ステップＳ１３３またはＳ１３４の処理が終わると、Ｄ２Ｂ通信処理マイコン１０９は、端子Ｔ３のビデオ信号検出モード解除する（ステップＳ１３５）。
【０１０６】
ＡＶセンタ１００のＤ２Ｂ通信処理マイコン１０９は、上述のようにしてＡＶセンタ１００の接続設定状況を把握した後、この状況を示す接続情報を第１および第２ＶＴＲ３０および４０ならびにＬＤＰ５０に対してＤ２Ｂ制御線１２１を介して送出し（ステップＳ１３６，Ｓ１３７，Ｓ１３８）、ＶＴＲ３０および４０ならびにＬＤＰ５０が、接続設定状況を再度把握しなくてもよいようにする。
【０１０７】
図３の実施例および図５乃至図７に示された処理によれば、ＡＶセンタ１００は、ＶＴＲ３０および４０ならびにＬＤＰ５０との接続状態を容易に把握でき、また、ＶＴＲ３０および４０ならびにＬＤＰ５０の接続設定の初期化を容易に行うことができる。
【０１０８】
なお、図３の実施例では、接続状況を把握するためのテスト信号としてビデオ信号を使用しているが、オーディオ信号を使用してもよい。
【０１０９】
図８は、図３の実施例のＡＶセンタすなわちテレビジョン受像機１００内のＡＶ信号の接続情報をＤ２Ｂ通信処理マイコン１０９とＴＶ制御用ＣＰＵ１０４との間ですなわち内部バス（Ｉ２Ｃバス）１２０上で伝達するための入出力マトリクスの一例を示し、図９は、図３の実施例のＴＶ制御用ＣＰＵ１０４への接続命令、ＴＶ制御用ＣＰＵ１０４への接続問い合わせ、およびこれらに対するＴＶ制御用ＣＰＵ１０４の返事の例を示す。
【０１１０】
図８の入出力マトリックスでは、従来のようにテレビジョン受像機のハードウェア構成に密着した形で各ＡＶ端子にそれぞれ制御コードが割り振られているわけではなく、ＡＶ端子をプラグ１（ＰＬ１）乃至プラグ６（ＰＬ６）にモデル化して汎用化を図っているため、ＡＶセンタすなわちテレビジョン受像機１００のＡＶ端子仕様が異なっていても、ＡＶ機器の入出力接続の情報を制御／伝達することができる。また、図９の接続命令、問い合わせおよび返事を使用することにより、テレビジョン受像機内の信号接続が異なっても、同じＤ２Ｂモジュールソフトプログラムを使用して、ＣＰＵ１０４に接続切り換え命令を出すことができ、また、ＣＰＵ１０４からの接続問い合わせに対する返事をすることができる。
【０１１１】
図８および図９に示された通信プロトコルによれば、Ｄ２Ｂ通信処理マイコン１０９のプログラムを共通にできるので、Ｄ２Ｂモジュールを共通化でき、設計工数を削減することができる。また、処理の切り分けが明確になり、分散作業、デバッグが可能になるから、複数人による同時作業が可能になる。また、バスアナライザによって内部バス２０上のデータを確認することにより、リアルタイムで動作の確認を行うことができる。
【０１１２】
なお、図３の実施例では、内部バス１２０として、Ｉ２Ｃバスを使用している  が、図８および図９のプロトコルは、Ｉ２Ｃバスに限らず、３線式同期式シリア  ルバスあるいは非同期シリアルバス、またはパラレルバス等、種々のバスに適用できる。
【０１１３】
図１０は、図８および図９のプロトコルが採用された場合のＤ２Ｂ通信処理マイコン１０９のフログラム構成例すなわちその処理例を示す。まず、Ｄ２Ｂ通信処理マイコン１０９は、初期化を行い、自己アドレスを決定する（ステップＳ１４１）。次に、Ｄ２Ｂ通信処理マイコン１０９は、Ｄ２Ｂ通信処理ＩＣ１１０から信号を受けたか調べ（ステップＳ１４２）、受けていれば、Ｄ２Ｂ受信処理を行う（ステップＳ１４３）。次に、Ｄ２Ｂ通信処理マイコン１０９は、テレビジョン受像機すなわちＣＰＵ１０４への伝達制御があるか調べ（ステップＳ１４４）、あれば、ＣＰＵ１０４へ命令を伝達する（ステップＳ１４５）。
【０１１４】
図１１は、ＡＶセンタを中心に各ＡＶ機器をツリー状に接続し、ＡＶ線とＤ２Ｂ制御線とを一体化した一実施例を示す。この実施例では、ＡＶセンタ１００を中心に、ＶＴＲ３０およびＬＤＰ５０がツリー状に接続されており、ＡＶセンタ１００とＶＴＲ３０とを接続するコネクタケーブル３００は、ＡＶ線とＤ２Ｂ制御線とを一体化したものであり、ＡＶセンタ１００とＬＤＰ５０とを接続するコネクタケーブル５００は、ＡＶ線とＤ２Ｂ制御線とを一体化したものである。
【０１１５】
ＡＶセンタ１００とＶＴＲ３０とを接続するコネクタケーブル３００は、例えば、図１２に示されているように、ビデオ出力線３０１、ビデオ入力線３０２、オーディオ出力線３０３、オーディオ入力線３０４およびＤ２Ｂ制御線３０５を含むものである。オーディオ信号が、左および右に分かれているときには、図１３に示されているように、オーディオ出力線３０３は、オーディオ左出力線３０３Ｌおよびオーディオ右出力線３０３Ｒを含み、オーディオ入力線３０４は、オーディオ左入力線３０４Ｌおよびオーディオ右入力線３０４Ｒを含む。
【０１１６】
図１４は、図１１の実施例の接続判別動作例を示す。まず、ＡＶセンタ１００のＤ２Ｂ通信処理マイコン１０９は、特定の機器例えばＶＴＲ３０に対してアドレス指定を行って、Ｄ２Ｂコマンドでその機器が何であるかを問い合わせる（ステップＳ１５１）。この問い合わせに対して返事がなく、アドレスエラーが生じると（ステップＳ１５２のＮＯ）、Ｄ２Ｂ通信処理マイコン１０９は、Ｄ２Ｂ制御線がその機器に接続されていないと判断する（ステップＳ１５３）。返事が有った場合には（ステップＳ１５２のＹＥＳ）、Ｄ２Ｂ通信処理マイコン１０９は、返事は目的の機器からか調べる（ステップＳ１５４）。
【０１１７】
返事が目的の機器からのものでないときには（ステップＳ１５４のＮＯ）、Ｄ２Ｂ通信処理マイコン１０９は、目的とは異なる機器に接続されていると判断する（ステップＳ１５５）。返事が目的の機器からのものであるときには（ステップＳ１５４のＹＥＳ）、Ｄ２Ｂ通信処理マイコン１０９は、Ｄ２Ｂ制御線が目的の機器に接続されていると判断し（ステップＳ１５６）、Ｄ２Ｂ制御線と一体化されているＡＶ線も目的の機器に接続されていると判断する（ステップＳ１５７）。
【０１１８】
図１１の実施例のように、ＡＶ線とＤ２Ｂ制御線とを一体化したコネクタケーブルを使用することにより、初期設定時の誤接続および接続忘れを未然に防止できる。また、Ｄ２Ｂ制御線を介して、ＡＶセンタから相手の機器が何であるかを問い合わせることができるため、Ｄ２Ｂ制御線上における問い合わせで目的の機器が接続されていることが判明した（すなわち、システム上に存在することが判明した）ということは、ＡＶ線も接続されていることを意味するから、初期設定時に、接続状況を把握することができる。
【０１１９】
なお、ＡＶセンタに、ＡＶ線およびＤ２Ｂ制御線が一体化されたケーブルのコネクタ（以下、「ＡＶＣコネクタ」という（「Ｃ」はＤ２Ｂ信号を指す））に対応したＡＶＣ端子が多く存在するときには、ＡＶＣコネクタの接続を誤れば、正しく動作しない。そこで、どのＡＶＣ端子に、ＡＶＣコネクタが接続されたかを把握するために、ＡＶセンタの各ＡＶＣ端子にＣ（すなわちＤ２Ｂ信号）経路のオン／オフ機能を付加し、どのＡＶＣ端子で現在Ｄ２Ｂ信号を送っているかをＡＶセンタ側でわかるようにするとよい。
【０１２０】
なお、誤接続の可能性を減らすには、Ｄ２Ｂ制御線を赤外線ワイヤレスにして、Ｄ２Ｂ制御線を無くすことも考えられる。
【０１２１】
図１５は、図３の実施例におけるＤ２Ｂ使用モードおよびＤ２Ｂ不使用モードの自動設定動作の一例を示す。ユーザが、例えばＣＲＴ１１３に表示された画面メニューを見ながら、操作釦１０１またはコマンダ１１２を操作して、ＡＶセンタ１００と例えばＶＴＲ３０等の外部機器との接続の設定のための処理を行い（ステップＳ１６１）、実際に少なくとも１つのＡＶ端子例えば端子Ｔ１に対する接続設定が完了すると（ステップＳ１６２のＹＥＳ）、Ｄ２Ｂ通信処理マイコン１０９は、Ｄ２Ｂ使用モードに設定し、このことを内部バス１２０を介してＴＶ制御用ＣＰＵ１０４に知らせる（ステップＳ１６３）。接続設定が行われなかったときには、Ｄ２Ｂ通信処理マイコン１０９は、Ｄ２Ｂ不使用モードに設定し、このことを内部バス１２０を介してＴＶ制御用ＣＰＵ１０４に知らせる（ステップＳ１６４）。
【０１２２】
図１６は、図３の実施例におけるＤ２Ｂ使用モードおよびＤ２Ｂ不使用モードの自動設定動作の他の例を示す。ＡＶセンタ１００に接続されているはずの各ＡＶ機器のＡＣコンセントを差し込んでパワーオンした後、ＡＶセンタ１００のＡＣコンセントを差し込んでパワーオンすると、ＡＶセンタ１００のＤ２Ｂ通信処理マイコン１０９は、Ｄ２Ｂ仕様で定義されているすべてのＡＶ機器に、制御線１２１を介してＤ２Ｂコマンドを送出する（ステップＳ１７１）。
【０１２３】
ＡＶセンタ１００にＡＶ機器が接続されていないときには、アドレスエラーが生じ（ステップＳ１７２のＹＥＳ）、Ｄ２Ｂ通信処理マイコン１０９は、ＡＶセンタ１００に何も接続されていないと判断し（ステップＳ１７３）、Ｄ２Ｂ不使用モードに設定し、このことをＴＶ制御用ＣＰＵ１０４に知らせる（ステップＳ１７４）。ＡＶセンタ１００にＡＶ機器が正しく接続されているときには、アドレスエラーは生ぜず（ステップＳ１７２のＮＯ）、Ｄ２Ｂ通信処理マイコン１０９は、ＡＶセンタ１００にＡＶ機器が正しく接続されていると判断し（ステップＳ１７５）、Ｄ２Ｂ不使用モードに設定し、このことをＴＶ制御用ＣＰＵ１０４に知らせる（ステップＳ１７６）。
【０１２４】
図１５および図１６の処理によれば、ユーザは、Ｄ２Ｂ使用モードおよびＤ２Ｂ不使用モードを自分で設定する必要がなくなる。また、ＴＶ制御用ＣＰＵ１０４は、Ｄ２Ｂ不使用モードに設定されると、Ｄ２Ｂのための処理を行わないでよくなるから、コマンダ１１２からの指令の処理や選局処理等、ＴＶ制御処理に専念できるので、ＴＶ制御処理速度が高まり、例えばコマンダ１１２からの指令に対する応答が速くなり、コマンダ１１２の操作フィーリングが良くなる。
【０１２５】
図１７は、図３の実施例における初期化動作の例を示す。まず、Ｄ２Ｂ通信処理マイコン１０９は、テレビジョン受像機のアドレス決定のための処理を行う（ステップＳ１８１）。すなわち、Ｄ２Ｂ通信処理マイコン１０９は、テレビジョン受像機すなわちＡＶセンタ１００に割り当てられたアドレスに、Ｄ２Ｂ制御線１２１を介してコマンドを送出し、アドレスエラーが生じれば、そのアドレスのＡＶ機器は、システムに存在しないため、そのアドレスをテレビジョン受像機１００のアドレスとする。もし、アドレスエラーが生じなければ、そのアドレスに１を加算し、前述したのと同じ処理を行い、それでもアドレスエラーが生じなければ、アドレスエラーが生じるまでアドレスをインクリメントし（最大値＝＋８）、アドレスエラーが生じたアドレスをテレビジョン受像機１００のアドレスとする。
【０１２６】
次に、Ｄ２Ｂ通信処理マイコン１０９は、ＡＶセンタ１００に接続されている各ＡＶ機器へ、これらに自分で初期化を開始させるための初期化開始コマンドを、Ｄ２Ｂ制御線１２１を介して送信する（ステップＳ１８２）。なお、この際、アドレスエラーが生じたとすると、それは、ＡＶセンタ１００が相手の機器に接続されていないことを意味するので、機器のアドレスとして＋８のアドレスを送る（同じ種類のＡＶ機器は、同一システム内に８個まで存在可能である）。
【０１２７】
次に、Ｄ２Ｂ通信処理マイコン１０９は、ＡＶセンタ１００に接続されている各ＡＶ機器へ、Ｄ２Ｂ制御線１２１を介して、初期化が完了したか問い合わせ（ステップＳ１８３）、各ＡＶ機器からＤ２Ｂ制御線１２１を介して返事を受信する（ステップＳ１８４）。各ＡＶ機器が行う初期化とは、Ｄ２Ｂ使用モードで動作するかＤ２Ｂ不使用モードで動作するかを決定し、Ｄ２Ｂ制御に必要な自己のアドレスを決定することをいう。ステップＳ１８４で受信した返事が初期化完了を示していないときには（ステップＳ１８５のＮＯ）、その機器への問い合わせを３回行い、依然として初期化が完了していないときには（ステップＳ１８６のＮＯ）、異常と判断して所定の異常処理を行う（ステップＳ１８７）。３回の問い合わせの間に、初期化完了の返事があり（ステップＳ１８５のＹＥＳ）、全てのＡＶ機器から初期化完了の返事があれば、Ｄ２Ｂ通信処理マイコン１０９は、初期化処理を終了する。
【０１２８】
図１７の処理によれば、ＡＶセンタ１００からの初期化開始コマンドで、ＡＶセンタ１００に接続されたＶＴＲ３０および４０ならびにＬＤＰ５０等のＡＶ機器の初期化が行われるので、システム全体として初期化のための手順を少なくすることができる。また、ＡＶセンタ１００から各ＡＶ機器に初期化開始コマンドを送信することにより、どの機器がＡＶセンタ１００に接続されているかが判明するため、その後、ユーザが、ＣＲＴ１１３のＯＳＤのメニューを見ながら、対話方式でＡＶ端子の接続設定を行うときに、実際に接続されているＡＶ機器のみに限定してメニュー表示できるから、ユーザの設定作業が簡易なものになる。
【０１２９】
図１８は、本発明の接続確認方法の一実施例を示す。この実施例では、図３の実施例中のビデオテスト信号発生器３２、４２、５２および１２２ならびにビデオテスト信号検出器３４、４４、５４および１２４を必要とすることなく、接続確認を行うことができる。まず、ユーザは、操作釦１０１またはコマンダ１１２の接続確認指示釦を操作する（ステップＳ１９１）。これに応じて、ＡＶセンタ１００のＤ２Ｂ通信処理マイコン１０９が、ＡＶ入出力端子Ｔ１に接続されているはずの第１ＶＴＲ３０に対して、Ｄ２Ｂ通信処理ＩＣ１１０およびＤ２Ｂ制御線１２１を介してビデオラスター信号発生命令を送出する（ステップＳ１９２）。ビデオラスター信号は、画像情報を含まず、単に基準信号（同期信号）および色信号を含む信号である。ビデオラスター信号発生回路は、ＶＴＲおよびＬＤＰ等のビデオ機器に元々備えられているものである。
【０１３０】
次に、ＡＶセンタ１００のＤ２Ｂ通信処理マイコン１０９は、ＡＶ入出力端子Ｔ１に接続されているはずの第１ＶＴＲ３０に対して、Ｄ２Ｂ通信処理ＩＣ１１０およびＤ２Ｂ制御線１２１を介して例えば、「ＶＴＲ１：ＴＥＳＴ」というＯＳＤ（オンスクリーンディスプレイ）重畳表示を指示する（ステップＳ１９３）。そして、Ｄ２Ｂ通信処理マイコン１０９は、切換器１１８を制御して、ＣＲＴ１１３への入力信号がＡＶ端子Ｔ１からのビデオ信号となるようにする（ステップＳ１９４）。さらに、ＡＶセンタ１００のＤ２Ｂ通信処理マイコン１０９は、ＡＶ入出力端子Ｔ１に接続されているはずの第１ＶＴＲ３０に対して、Ｄ２Ｂ通信処理ＩＣ１１０およびＤ２Ｂ制御線１２１を介して、ブザー音の発生（または前面ランプの点滅）を指示する（ステップＳ１９５）。
【０１３１】
ＡＶセンタ１００のＣＲＴ１１３に第１ＶＴＲ３０からの例えば「ＶＴＲ１：ＴＥＳＴ」というメッセージが重畳されたビデオラスター信号が表示され（ステップＳ１９６のＹＥＳ）、さらに、第１ＶＴＲ３０が、ブザー音を発生（または前面ランプを点滅）することにより、接続されている機器が第１ＶＴＲ３０すなわち正しい機器であることが、ユーザに確認されると、ユーザは、操作釦１０１またはコマンダ１１２の接続ＯＫ釦を操作する。
【０１３２】
これにより、ＡＶセンタ１００のＤ２Ｂ通信処理マイコン１０９が、第１ＶＴＲ３０に対して、Ｄ２Ｂ通信処理ＩＣ１１０およびＤ２Ｂ制御線１２１を介してビデオラスター信号発生中止命令を送出し（ステップＳ１９７）、さらにブザー音の発生中止命令（または前面ランプの点滅中止命令）を送出する（ステップＳ１９８）。そして、続いて、ＡＶ入出力端子Ｔ２およびＴ３についてもステップＳ１９２乃至Ｓ１９８と同様の処理を行う（ステップＳ１９９）。
【０１３３】
ＣＲＴ１１３に第１ＶＴＲ３０からのビデオラスター信号が表示されなかったときには（ステップＳ１９６のＮＯ）、ユーザは、テストを中止し（ステップＳ２００）、パワーオフして配線を確認する。
【０１３４】
上述のように、図１８の接続確認方法によれば、ビデオラスター信号発生、ＯＳＤ重畳表示、ブザー音発生、前面ランプ点滅といったビデオ機器に本来備えられている機能を利用して接続確認を行うものであるから、低コストで、接続確認を行うことができる。
【０１３５】
なお、ＯＳＤ重畳表示、ブザー音発生および前面ランプ点滅は、必要に応じて全部あるいは部分的に省略することができる。
【０１３６】
また、メイン画面においてユーザに対する操作指示を行い、ＰｉｎＰ（ピクチャインピクチャ）画面に各機器からのＯＳＤデータが重畳された画像を表示するようにしてもよい。これにより、ユーザは、行うべき操作を容易に把握することができる。
【０１３７】
また、上記実施例においては、ＡＶセンタ１００のＡＶ入出力端子の数を３つとしたが、必要に応じて増減することができる。また、ＶＴＲおよびＬＤＰの数についても同様である。さらに、ＣＤＰ（コンパクトディスクプレーヤ）を接続しても良い。
【０１３８】
図１９は、本発明の接続制御装置をＡＶシステムに適用した場合の一実施例の構成を示す。ＡＶセンタすなわちテレビジョン受像機１の第１ＡＶ入出力端子すなわち第１プラグＶ１には、第１ＡＶ切替コントローラ２１が接続され、第１ＡＶ切替コントローラ２１は、ＬＤＰ５０およびＶＴＲ３０に接続されている。テレビジョン受像機１の第４ＡＶ入出力端子すなわち第４プラグＶ４には、第２ＡＶ切替コントローラ２２が接続され、第２ＡＶ切替コントローラ２２は、ＶＴＲ３０に接続されている。図１９の例では、第２および第３プラグＶ２およびＶ３には、何も接続されていないが、他のＡＶ切替コントローラまたは他のＡＶ機器を接続することができる。
【０１３９】
リモコン２は、テレビジョン受像機１の電源をオン／オフする電源スイッチ、チャンネルを選択するチャンネルボタン、スピーカ（図示せず）より出力される音声を調節するボリューム調整スイッチ、ＬＤＰ５０およびＶＴＲ３０等のＡＶ機器への接続命令を出す接続命令スイッチ、記録／再生選択スイッチ、ＬＤＰ５０およびＶＴＲ３０等のＡＶ機器を制御する制御スイッチを有し、操作されたスイッチ（ボタン）に対応する光を、内臓する発光素子より発光する。
【０１４０】
受光部３は、リモコンより照射された光を電気信号に変換して、ＣＰＵ５に供給する。操作部４は、リモコン２と同様なスイッチ（ボタン）を有し、テレビジョン受像機１の電源をオン／オフしたり、チャンネルを選択したり、ＬＤＰ５０およびＶＴＲ３０等のＡＶ機器を制御するとき等に操作される。
【０１４１】
ＣＰＵ５は、リモコン２または操作部４が操作されたときに、ボリューム（図示せず）、チューナ７、スイッチボックス８、制御部９、およびメッセージ表示回路１２を制御する。ＲＯＭ６Ａは、ＣＰＵ５が動作する上において必要なプログラムおよびデータを記憶している。ＲＡＭ６Ｂは、ＣＰＵ５の処理の結果得られたデータ等を記憶する。ＮＶＲＡＭ（不揮発性メモリ）６Ｃは、電源オフ後も記憶しておく必要のあるデータ等を記憶する。後述のように、ＣＰＵ１０は、ユーザによってプラグＶ１乃至Ｖ４にそれぞれ割当られたＡＶ機器および、ユーザによって選択された接続経路をＮＶＲＡＭ６Ｃに記憶する。
【０１４２】
ボリュームは、ＣＰＵ５によって制御され、リモコン２または操作部４のボリューム調整スイッチが操作されたときに、スピーカより出力される音声（音量）を調整する。チューナ７は、アンテナ（図示せず）より供給された電波から、目的の周波数帯（チャンネル）を選択し、ＡＶ信号を取り出し、スイッチボックス８に供給する。
【０１４３】
制御部９は、ＬＤＰ５０およびＶＴＲ３０等のＡＶ機器と、制御信号入出力端子ＣおよびＤ２Ｂバス１２１を介して接続され、リモコン２または操作部４の操作に応じて、ＬＤＰ５０およびＶＴＲ３０等のＡＶ機器の電源のオン／オフ、映像および音声の再生等の動作を制御する。また、制御部９は、ＣＰＵ５からの接続命令に応じて、第１および第２ＡＶ切替コントローラ２１および２２に、ＬＤＰ５０およびＶＴＲ３０等のＡＶ機器への接続命令を供給する。
【０１４４】
スイッチボックス８は、再生時には、ＣＰＵ５からの接続命令に応じて、チューナ７より出力されるＡＶ信号、ならびにプラグＶ１、Ｖ２、Ｖ３およびＶ４を介してＶＴＲ３０およびＬＤＰ５０等のＡＶ機器から供給されるＡＶ信号のうちの１つを選択し、ビデオ信号をＣＲＴ１０に供給し、オーディオ信号を増幅器（図示せず）を介してスピーカ（図示せず）に供給する。
【０１４５】
また、スイッチボックス８は、記録時には、ＣＰＵ５からの接続命令に応じて、チューナ７からのＡＶ信号を、プラグＶ１、Ｖ２、Ｖ３およびＶ４のいずれかに出力する。
【０１４６】
さらに、スイッチボックス８は、制御部９によって制御されるＬＤＰ５０およびＶＴＲ３０等のＡＶ機器から供給されるＡＶ信号のうちのビデオ信号の１つを選択し、ＰｉｎＰ（ピクチャインピクチャ）回路１１に供給する。ＰｉｎＰ回路１１は、スイッチボックス回路８より供給されるビデオ信号を、ＰｉｎＰビデオ信号に変換する。すなわち、ＰｉｎＰ回路１１は、スイッチボックス回路８より供給されるビデオ信号を、そのビデオ信号に対応する映像が、ＣＲＴ１０の画面の所定範囲（ＰｉｎＰ画面）に表示されるように変換する。
【０１４７】
メニュー表示回路１２Ａは、ＣＰＵ５によって制御され、ユーザに、ＴＶ１の第１乃至第４ＡＶ入出力端子すなわち第１乃至第４プラグＶ１乃至Ｖ４に割当られる（接続される）ＡＶ機器を選択させるとともに、これらのＡＶ機器の接続経路を選択させるために、複数の接続経路をメニュー形式でＣＲＴ１０の画面の所定範囲に表示させるためのデータを出力する。
【０１４８】
ＣＲＴ１０は、スイッチボックス８より出力されるビデオ信号に対応する映像をその画面に表示するとともに、ＰｉｎＰ回路１１およびメニュー表示回路１２Ａより供給されるビデオ信号およびデータに対応する映像およびメニューを、それぞれ、画面上のＰｉｎＰ画面およびメニュー表示部に表示する。
【０１４９】
図２０は、図１９の実施例の接続初期設定時の動作例を示す。まず、ステップＳ３０１において、ＣＰＵ５は、ユーザにＡＶ機器の接続経路を選択させるために、メニュー表示回路１２Ａを介して、ＣＲＴ１０に、複数の接続経路をメニュー形式で表示させる。ユーザは、まず、ＴＶ１の第１ＡＶ入出力端子すなわち第１プラグＶ１に接続されるＡＶ機器（例えば、ＬＤＰ５０）を選択するとともに、このＡＶ機器の接続経路（例えば、第１ＡＶ切替コントローラ２１のスイッチボックスを経由する接続経路）を選択し、ＣＰＵ１０は、選択されたＡＶ機器および接続経路をＮＶＲＡＭ６Ｃに記憶する（ステップＳ３０２）。
【０１５０】
続いて、ユーザは、ＴＶ１の第２、第３・・・プラグＶ２、Ｖ３・・・に接続されるＡＶ機器を選択するとともに、これらのＡＶ機器の接続経路を選択し、ＣＰＵ５は、選択されたＡＶ機器および接続経路をＮＶＲＡＭ６Ｃに記憶する。最後に、ユーザは、まず、ＴＶ１の第ｎプラグＶｎ（図１９の例では、プラグＶ４）に接続されるＡＶ機器（例えば、ＶＴＲ３０）を選択するとともに、このＡＶ機器の接続経路（例えば、第２ＡＶ切替コントローラ２２のスイッチボックスを経由する接続経路）を選択し、ＣＰＵ５は、選択されたＡＶ機器および接続経路をＮＶＲＡＭ６Ｃに記憶する（ステップＳ３０３）。
【０１５１】
図２１は、図１９の実施例おいて、ＴＶ１のチューナ７から出力されるＡＶ信号をＶＴＲ３０に記録するときの動作例を示す。まず、ユーザは、リモコン２等を操作して、各機器（例えばＴＶ１およびＶＴＲ３０）の電源をオンにする（ステップＳ３１１）。次に、ユーザは、リモコン２等を操作して、ＴＶ１からＶＴＲ３０への接続命令および記録命令を出す（ステップＳ３１２）。次に、ユーザは、リモコン２等を操作して、ＴＶ１のチューナ７のチャンネルを設定する（ステップＳ３１３）。
【０１５２】
ＣＰＵ５は、前述のユーザからの接続命令および記録命令に応じて、ＴＶ１のチューナ７からＶＴＲ３０への接続を実行する（ステップＳ３１４）。図２２は、このような接続実行処理の一例を示す。まず、ＣＰＵ５は、ＮＶＲＡＭ６Ｃの内容を読み取って（ＮＶＲＡＭ６Ｃには、上述の例のように、ＶＴＲ３０が第４ＡＶ入出力端子すなわち第４プラグＶ４に接続されるべきことが選択され、第２ＡＶ切替コントローラ２２のスイッチボックスを経由する接続経路が選択されたことが記憶されているものとする）、ＴＶ１のチューナ７からスイッチボックス８への接続命令をスイッチボックス８に出力し、チューナ７から出力されるＡＶ信号がスイッチボックス８を介して第４ＡＶ入出力端子すなわち第４プラグＶ４に供給されるようにする（ステップＳ３２１）。次に、ＣＰＵ５は、ＴＶ１のスイッチボックス８から第４ＡＶ入出力端子すなわち第４プラグＶ４を経由して第２ＡＶ切替コントローラ２２のスイッチボックスへの経路は、使用可か（空いているか）を確認する（ステップＳ３２２）。
【０１５３】
次に、ＣＰＵ５は、第２切替コントローラ２２のスイッチボックスからＶＴＲ３０への経路はあるか確認し（ステップＳ３２３）、この経路は空いているか確認し（ステップＳ３２４）、制御部９を介して第２ＡＶ切替コントローラ２２にＶＴＲ３０への接続命令を供給し、この経路の接続を実行する（ステップＳ３２５）。
【０１５４】
このように、上記実施例においては、従来の如く、第１ＡＶ切替コントローラ２１を介する接続経路、第２ＡＶ切替コントローラ２２を介する接続経路というように順番に接続経路をチェックするのではなく、最初に、ＮＶＲＡＭ６Ｃに記憶された接続経路をチエックするので、即時に、接続可の確認をとることができるから、接続処理時間を短縮できる。
【０１５５】
図２３は、図１９の実施例の変形例を示す。ＡＶセンタ１の制御部９は、Ｄ２Ｂ通信処理マイクロコンピュータ（以下、「Ｄ２Ｂマイコン」と略称）９２および通信バッファ９４を備えている。Ｄ２Ｂマイコン９２は、前述のＬＤＰ５０およびＶＴＲ３０への接続命令等のＤ２Ｂコマンド、問い合わせおよび返事等を出力する。通信バッファ９４は、Ｄ２Ｂマイコン９２から出力されたあるいはＤ２Ｂバス１２１を介して送られてくるＤ２Ｂコマンド等を一時保持する。
【０１５６】
ＬＤＰ５０は、Ｄ２Ｂマイコン５２２、通信バッファ５２４および警告発生器５２６を備えている。Ｄ２Ｂマイコン５２２は、Ｄ２Ｂコマンド、問い合わせおよび返事等を出力する。通信バッファ５２４は、Ｄ２Ｂマイコン５２２から出力されたあるいはＤ２Ｂバス１２１を介して送られてくるＤ２Ｂコマンド等を一時保持する。警告発生器５２６は、Ｄ２Ｂマイコン５２２によって制御される発光素子からなる。
【０１５７】
ＶＴＲ３０は、Ｄ２Ｂマイコン３２２、通信バッファ３２４および警告発生器３２６を備えている。Ｄ２Ｂマイコン３２２は、Ｄ２Ｂコマンド、問い合わせおよび返事等を出力する。通信バッファ３２４は、Ｄ２Ｂマイコン３２２から出力されたあるいはＤ２Ｂバス１２１を介して送られてくるＤ２Ｂコマンド等を一時保持する。警告発生器３２６は、Ｄ２Ｂマイコン３２２によって制御される発光素子からなる。
【０１５８】
図２４は、図２３に示した変形例の動作例を示す。ＬＤＰ５０のＤ２Ｂマイコン５２２は、ダミーコマンドを一定の周期で定期的にＤ２Ｂバス１２１を介してＡＶセンタ１に送信する（ステップＳ３３１）。ダミーコマンドは、ＡＶセンタ１の動作に影響を与えないコマンドである。ＬＤＰ５０とＡＶセンタ１との間でＤ２Ｂバス１２１が正しく接続されていれば、ダミーコマンドは、Ｄ２Ｂバス１２１を介してＡＶセンタ１の通信バッファ９４に到着する。これに応じて、Ｄ２Ｂマイコン９２は、Ｄ２Ｂバス１２１を介してＬＤＰ５０にコマンド受信確認信号を送信する。ＬＤＰ５０のＤ２Ｂマイコン５２２は、コマンド受領確認信号が通信バッファ５２４に到着したことを確認し（ステップＳ３３２のＹＥＳ）、Ｄ２Ｂバス１２１は正しく接続されていると判断する。
【０１５９】
ＬＤＰ５０とＡＶセンタ１との間でＤ２Ｂバス１２１が正しく接続されていなければ、ダミーコマンドは、Ｄ２Ｂバス１２１を介してＡＶセンタ１の通信バッファ９４に到着しない。従って、ＬＤＰ５０の通信バッファ５２４には、コマンド受信確認信号は到着しない（ステップＳ３３２のＮＯ）。ダミーコマンドを送信したにも拘らず、コマンド受信確認信号が到着しない回数が設定回数以上生じた場合には（ステップＳ３３３のＹＥＳ）、ＬＤＰ５０のＤ２Ｂマイコン５２２は、Ｄ２Ｂ制御線１２１が正しく接続されていないと判断して、警告発生器５２６である発光素子を発光させ異常を表示する（ステップＳ３３４）。
【０１６０】
ＶＴＲ３０のＤ２Ｂマイコン３２２、通信バッファ３２４および警告発生器３２６も、ＬＤＰ５０のＤ２Ｂマイコン５２２、通信バッファ５２４および警告発生器５２６と同様に、前述の図２４のフローチャートに従った動作を行う。
【０１６１】
ＬＤＰ５０からＡＶセンタ１にダミーコマンドを送信する場合、ＶＴＲ３０とＡＶセンタ１間のＤ２Ｂバス１２１が断線していても、ＬＤＰ５０とＶＴＲ３０と間のＤ２Ｂバス１２１が断線していても、ＬＤＰ５０は、異常を表示する。ＶＴＲ３０とＡＶセンタ１間のＤ２Ｂバス１２１が断線していれば、ＶＴＲ３０も異常を表示する。従って、ＬＤＰ５０およびＶＴＲ３０双方の異常表示から、Ｄ２Ｂバス１２１のどの部分に断線が生じているかを判断できる。
【０１６２】
図２４の処理では、ＡＶセンタ１からダミーコマンドを送信するのではなく、ＡＶセンタ１に接続されるＬＤＰ５０等のＡＶ機器からダミーコマンドを送信しているため、ＡＶ機器の追加および切り離し等による全体構成の変更が生じても、再度、異常監視のためのシステム設定をする必要はない（ＡＶセンタは、どのような構成になってもかならず存在するため）。
【０１６３】
なお、ＡＶセンタがすべてのＡＶ機器の接続状況を把握している場合には、ＡＶセンタからＶＴＲ等のＡＶ機器へダミーコマンドを送信してもよい。
【０１６４】
また、ダミーコマンドは、周期的に送信するのではなく、ユーザからテストの要求があったときのみ送信してもよい。このようにすれば、Ｄ２Ｂバスを他の用途に有効に使用できる。
【０１６５】
また、警告発生器は、発光素子ではなく、ブザー等の発音機器でもよい。
【０１６６】
図２５は、本発明の初期化設定処理の一実施例を示すフローチャートであり、図２６は、図２５の初期化に対応した本発明によるフィーチャー実行時の動作例を示すフローチャートである。従来は、各フィーチャー（例えば、ワンタッチプレイ）実行毎に、ＡＶ機器間の接続の実行、ならびに各ＡＶ機器内の（サブデバイス間の）信号接続の実行を、バス１２１経由で行っていたため、バス１２１に流す命令数が多く、処理も複雑であった。
【０１６７】
そこで、図２５および図２６の本発明の実施例では、ＡＶ機器間（あるＡＶ機器のＡＶプラグから他のＡＶ機器のＡＶプラグまで）の接続に関しては、ＡＶセンタ１が、初期設定時にユーザが設定した情報を記憶しておき、フィーチャー実行時には、ＡＶ機器間の接続命令は出力せず、ＡＶ機器内の信号接続命令を実行することにより、処理速度を高めるとともに、処理プログラムを簡略化した。
【０１６８】
まず、図２５を参照して初期設定動作を説明する。ユーザが、リモコン２等によって、デフォルトモードを選択したときには（ステップＳ３４５のＹＥＳ）、ＡＶセンタ１のＣＰＵ５は、ユーザによって選択されたデフォルトモード番号に対応したプラグ接続構成をＮＶＲＡＭ６Ｃに記憶する（ステップＳ３４１乃至ステップＳ３４４）。
【０１６９】
ユーザが、リモコン２等によって、デフォルトモードではなくマニュアルモードを選択したときには（ステップＳ３４５のＮＯ）、ＡＶセンタ１のＣＰＵ５は、プラグＶ１乃至Ｖ４に接続される機器およびそのプラグ番号をユーザに問い合わせ、ユーザによってリモコン２等によって入力された機器およびプラグ番号をＮＶＲＡＭ６Ｃに記憶する（ステップＳ３４６乃至ステップＳ３４９）。
【０１７０】
次に、図２６を参照して、フィーチャー実行時の動作について説明する。まず、フィーチャー実行を行うべき当該機器（ＡＶセンタ１、ＶＴＲ３０またはＬＤＰ５０）は、内部の接続設定を行う（ステップＳ３５１）。フィーチャー実行を行うべき当該機器がＡＶセンタ１でない場合、当該機器内の接続情報をＡＶセンタ１に通知する（ステップＳ３５２）。次に、当該機器は、相手機器内の接続命令をバス１２１を介して送出し、フィーチャーを実行する（ステップＳ３５３およびＳ３５４）。そして、フィーチャー終了時に、当該機器は、相手機器内の信号接続を解除する（ステップ３５５）。また、フィーチャー実行がＡＶセンタ１内でない場合には、当該機器は、内部の接続解除情報をＡＶセンタ１に通知する（ステップＳ３５６）。
【０１７１】
図２７は、相手（すなわち他の）機器の診断および設定処理の本発明の一実施例を示すフローチャートである。図２８は、図２７の各ステップにおいて図３のＣＲＴ１１３に表示される内容を示す。従来のＡＶ機器には、自己診断機能を持っているものはあったが、ＡＶバスを介して他のＡＶ機器の状態を診断することができず、また、他のＡＶ機器の初期設定を行うこともできなかった。このため、例えば、ＴＶ（テレビジョン受像機）およびＶＴＲを購入したユーザは、ＴＶとＶＴＲのチャンネル設定を機器毎に行わなければならなかった。図２７の実施例では、相手機器のチャンネル設定や診断を行えるようにして、ユーザの便宜をはかるものである。
【０１７２】
図２７の実施例について説明すると、まず、例えば図３のＡＶセンタ１００のＤ２Ｂマイコン１０９は、Ｄ２Ｂ制御線１２１を介して、相手機器（例えばＶＴＲ３０）にチャンネル設定情報を問い合わせる（ステップＳ３６１）。そして、マイコン１０９は、相手機器から読み出したチャンネル設定情報を、画面表示用ＩＣ１１４を介してＣＲＴ１１３に、図２８（ａ）のように表示する（ステップＳ３６２）。
【０１７３】
次に、Ｄ２Ｂマイコン１０９は、Ｄ２Ｂ制御線１２１を介して、相手機器（例えばＶＴＲ３０）に、画質、明るさおよび色等の状態を問い合わせ、相手機器から読み出した状態情報を、画面表示用ＩＣ１１４を介してＣＲＴ１１３に、図２８（ｂ）のように表示する（ステップＳ３６３）。
【０１７４】
次に、Ｄ２Ｂマイコン１０９は、Ｄ２Ｂ制御線１２１を介して、相手機器（例えばＶＴＲ３０）に、ＡＶ端子情報を問い合わせ、相手機器から読み出した状態情報を、画面表示用ＩＣ１１４を介してＣＲＴ１１３に、図２８（ｃ）のように表示する（ステップＳ３６４）。
【０１７５】
次に、Ｄ２Ｂマイコン１０９は、相手機器（例えばＶＴＲ３０）を設定するために、図２８（ｄ）に示されているような相手機器設定処理メニューを画面表示用ＩＣ１１４を介してＣＲＴ１１３に表示し、コマンダ１１２等からの入力に応じて設定情報をまとめ、Ｄ２Ｂ制御線１２１を介して、相手機器（例えばＶＴＲ３０）に送って設定を行う（ステップＳ３６５）。
【０１７６】
なお、上記例では、チャンネル設定を行ったが、同様にして、ボリューム設定を行うこともできる。
【０１７７】
図２９は、図３のＤ２Ｂマイコン１０９内の処理構造を示すブロック図であり、図３０は、Ｄ２Ｂモジュールの切り分けを示すブロックを示し、図３１は、Ｄ２Ｂマイコン１０９の処理を示すフローチャートである。図３１において、パワーオンされると（ステップＳ３７１）、マイコン１０９は、そのＣＰＵを初期化し（ステップＳ３７２）、Ｄ２ＢＷＯＲＫを初期化し（ステップＳ３７３）、画面表示ＩＣ１１４やＤ２Ｂ通信処理ＩＣ１１０等の周辺ＩＣを初期化し（ステップＳ３７４）、内部バスであるＩ２Ｃバスのプロトコル処理を初期化し（ステッ  プＳ３７５）、Ｄ２Ｂアドレスの初期化を行う（ステップＳ３７６）。以上で、Ｄ２Ｂマイコン１０９の初期化が完了する。
【０１７８】
続いて、Ｄ２Ｂマイコン１０は、Ｄ２Ｂ受信データの処理を行い（ステップＳ３７７）、ＯＳＤ表示データをテレビジョン受像機制御用ＣＰＵ１０４に送り（ステップＳ３７８）、ディップスイッチから処理モードを読み取り（ステップＳ３７９）、テレビジョン受像機制御用ＣＰＵ１０４との間で信号の送受を行い（ステップＳ３８０）、接続問い合わせや返事を得るためのタイマー管理を行い（ステップＳ３８１）、不揮発性メモリ１０７へ書き込みを行い（ステップＳ３８２）、接続されているＡＶ機器の処理完了を示すＣＯＭＰＬＥＴＥＤを送信し（ステップＳ３８３）すべてのパワーをオフにする（ステップＳ３８４）か、またはＡＶセンタ１００の前面パネルに設けられたＬＥＤにエラー表示を行う（ステップＳ３８５）。ステップＳ３７７乃至Ｓ３８５の処理は、繰り返し行う。
【０１７９】
なお、ＡＶシステム中のモデム付き電話がＤ２Ｂバス対応になっていれば、遠隔地から各過程中のＡＶ機器の診断を行うことができるので、修理サービスの労力を大幅に低減できる。また、定期検査も短期間に且つユーザが意識しないうちに行うことができるようになるから、ＡＶ機器を常に最高の状態に保つことができる。
【０１８０】
ところで、従来、初期接続設定を行うときには、ユーザは、ＣＲＴに表示された初期接続設定画面を見ながら、リモコンに設けられたキーや前面パネルに設けられた操作部の釦を操作して、ＡＶ機器間の初期接続設定を行っている。しかし、画面を見ながらキーや釦を操作するのは、簡単ではなく、従って、初期設定に多くの時間がかかっていた。
【０１８１】
そこで、本発明の実施例では、ＣＲＴ１０の前面に透明なタッチパネルを設け、ユーザによって触れられた位置を検出して、ユーザが望んでいる送信元と受信元を判断することにより、初期接続設定を容易にする。なお、タッチパネルは、指による赤外線の遮光により位置を検出する方式のもの、触れられた位置までの抵抗を検出する方式のもの等、種々のものを採用できる。
【０１８２】
図３４は、このようにＣＲＴ１０の前面にタッチパネルを設けたときの初期接続設定処理の一例を示すフローチャートであり、図３２および図３３は、図３４の処理において、ＣＲＴ１０に表示される内容を示す図である。まず、ＣＰＵ５は、ＣＲＴ１０に図３２の画面を表示させる（ステップＳ３９１）。次に、ＣＰＵ５は、「送信元を選択して下さい」というメッセージをＣＲＴ１０に表示させる（ステップＳ３９２）。
【０１８３】
そして、ＣＰＵ５は、ユーザからの入力を待ち（ステップＳ３９３）、タッチパネルからの入力信号があったときには（ステップＳ３９４のＹＥＳ）、確認音（「ピ」）を発する（ステップＳ３９５）。そして、ＣＰＵ５は、入力信号に基づいてどの送信元が選択されたかを調べ（ステップＳ３９６）、送信元の情報をＲＡＭ６Ｂに記憶する（ステップＳ３９７）。
【０１８４】
次に、ＣＰＵ５は、「受信先を選択して下さい」というメッセージをＣＲＴ１０に表示させる（ステップＳ３９８）。そして、ＣＰＵ５は、ユーザからの入力を待ち（ステップＳ３９９）、タッチパネルからの入力信号があったときには（ステップＳ４００のＹＥＳ）、確認音（「ピ」）を発する（ステップＳ４０１）。そして、ＣＰＵ５は、入力信号に基づいてどの受信先が選択されたかを調べ（ステップＳ４０２）、受信先の情報をＲＡＭ６Ｂに記憶し、前述の送信元の情報とともに受信先の情報をＮＶＲＡＭ６Ｃに記憶する（ステップＳ４０３）。そして、ＣＰＵ５は、設定された接続ルートを図３３のように矢印で、ＣＲＴ１０上に表示する（ステップＳ４０４）。前述のステップＳ３９２乃至Ｓ４０４の処理は、ユーザからリモコン２等により設定終了の入力がある（ステップＳ４０５のＹＥＳ）まで繰り返し行われる。
【０１８５】
なお、図３２乃至図３４の例は、初期設定に関するものであるが、フィーチャー実行の場合にも、それに対応した画面を用意することにより、ユーザの操作を容易にすることができる。
【０１８６】
図３５は、本発明を応用したＡＶシステムの他の実施例を表している。この実施例においては、ＡＶセンタとしてのテレビジョン受像機１００の端子Ｔ１乃至Ｔ３に、ＶＴＲ６１１乃至６１３がそれぞれ接続されている。ＶＴＲ６１１には、さらにマルチディスクプレーヤ（ＭＤＰ）６１６が接続されている。ＶＴＲ６１２には、さらにビデオチューナ６１５が接続されている。また、ＶＴＲ６１３には、さらに他のＶＴＲ６１４が接続されている。さらにまた、これらのＶＴＲ６１１乃至６１４、ビデオチューナ６１５、ＭＤＰ６１６は、Ｄ２Ｂ制御線１２１により、テレビジョン受像機１００に接続されている。また、ＶＴＲ６１１乃至６１４、ビデオチューナ６１５、ＭＤＰ６１６は、それぞれ不揮発性メモリ（ＮＶＲＡＭ）６１１Ｍ乃至６１６Ｍをそれぞれ内蔵している。
【０１８７】
テレビジョン受像機１００の切換器１１８は、チューナ６０１が出力する映像信号、ＶＴＲ６１１乃至６１３が出力する映像信号のいずれかを選択し、ビデオ信号処理ＩＣ６０２に出力するようになされている。ビデオ信号処理ＩＣ６０２は、入力された映像信号をＲＧＢ信号に変換して、ＣＲＴ１１３に出力し、表示させるようになされている。ビデオ信号検出器６０３は、ビデオ信号処理ＩＣ６０２に入力される信号、あるいは、ビデオ信号処理ＩＣ６０２から出力される信号を検出し、検出結果を、Ｄ２Ｂ通信処理マイコン１０９（またはＣＰＵ１０４）に出力するようになされている。
【０１８８】
テレビジョン受像機１００のその他の構成は、ビデオテスト信号発生器１２２とビデオテスト信号検出器１２４が省略されている点を除き、図３に示した場合と基本的に同様の構成とされている。また、図示は省略されているが、ＶＴＲ６１１乃至６１４、ビデオチューナ６１５、およびＭＤＰ６１６も、基本的な動作を実行するＣＰＵ、あるいはＤ２Ｂ制御線１２１からの信号を授受し、処理するために必要なＤ２Ｂ通信処理マイコンやＤ２Ｂ通信処理ＩＣを具備していることは、上述した各実施例における場合と同様である。
【０１８９】
この実施例においては、各ＡＶ機器をＤ２Ｂ制御線１２１で接続した場合、各ＡＶ機器において、その電源をオンしたとき、図３６に示すような処理がそれぞれ実行される。
【０１９０】
即ち、例えばＶＴＲ６１１（他のＶＴＲ６１２乃至６１４、ビデオチューナ６１５、またはＭＤＰ６１６においても同様）において、電源がオンされたとき、ステップＳ５０１において、自分の機器に割り当てられているアドレスを一時的に１ＦＦＨにする。次にステップＳ５０２に進み、変数Ａに、Ｄ２Ｂバスを用いたＡＶシステムにおいて、ＶＴＲに割り当てられているアドレス（例えば１２０Ｈ乃至１２７Ｈ）のうち、最も小さいアドレスＡｍｉｎ（＝１２０Ｈ）を設定する。即ち、Ｄ２Ｂプロトコルにおいては、同一種類のＡＶ機器に対して８種類のアドレスが用意されており、そのうちの最も小さいアドレスが変数Ａにセットされる。
【０１９１】
次にステップＳ５０３に進み、アドレスＡの電子機器、即ち、他のＶＴＲに所定のコマンドを出力する。Ｄ２Ｂ制御線１２１に接続されている他のＶＴＲに対して、アドレスＡ（いまの場合、Ａ＝１２０Ｈ）が既に割り当てられている場合、そのコマンドは、そのＶＴＲ（アドレスＡのＶＴＲ）に正しく伝送される。これに対して、アドレスＡがまだ他のＶＴＲに割り当てられていない場合、アドレスエラーが発生する。
【０１９２】
アドレスエラーが発生しない場合は、既にそのアドレスＡは他のＶＴＲに割り当てられているため、ステップＳ５０５に進み、アドレスＡを１だけインクリメントする。いまの場合、アドレスＡを１２１Ｈにする。そしてステップＳ５０３に進み、アドレスＡ（Ａ＝１２１Ｈ）のＶＴＲに対して所定のコマンドを再び出力する。１２１Ｈのアドレスが既に他のＶＴＲに割り当てられている場合、上述したように、アドレスエラーが発生せず、他のＶＴＲにそのアドレスが割り当てられていなければ、アドレスエラーが発生する。
【０１９３】
以上の処理を繰り返すことにより、ステップＳ５０４において、アドレスエラーの発生が確認されれば、そのアドレスは、まだ割り当てられていないアドレス（未使用のアドレス）となるから、ステップＳ５０６に進み、自分のアドレスをそのアドレスＡに設定する。
【０１９４】
以上の処理が、Ｄ２Ｂ制御線１２１に接続された各ＡＶ機器において、その電源をオンしたとき、実行される。その結果、同一種類のＡＶ機器、例えばＶＴＲにおいては、ＶＴＲ用のアドレスとして用意された８個のアドレス１２０Ｈ乃至１２７Ｈのうち、小さい方のアドレスが、先に電源をオンしたＶＴＲに対して順次割り当てられる。
【０１９５】
ビデオチューナ６１５やＭＤＰ６１６に対しても同様に、それぞれ８種類ずつのアドレスが用意されているが、この実施例の場合、ビデオチューナ６１５とＭＤＰ６１６は、ＡＶシステム中に、それぞれ１台ずつ接続されているだけなので、予め用意されたアドレスのうち、最も小さいアドレスがそれぞれ割り当てられる。勿論、異なる種類のＡＶ機器に対して用意されているアドレスは、異なる値とされている。
【０１９６】
次に、上記実施例において、ＡＶセンタ１００が、システム構成のシステム設定初期化処理を行い、各機器が自動的に設定した自らのアドレスを、各機器が内蔵するＮＶＲＡＭ６１１Ｍ乃至６１６Ｍに記憶させ、それらのアドレスをＡＶセンタ１００が把握し、例えばＮＶＲＡＭ１０７に記憶することにより、各機器を制御することができるようにする方法について説明する。
【０１９７】
図００３７は、例えば、第１ＶＴＲ６１３のアドレス切換スイッチの一実施例を示した図である。アドレス切換スイッチは、自動アドレス設定モード（自動モード）設定用のスイッチと、手動アドレス設定モード（手動モード）設定用のスイッチ１乃至４を有している。
【０１９８】
例えば、手動モード設定用スイッチ１をオンにすると、第１ＶＴＲ６１３のアドレスは１２０Ｈに設定され、手動モード設定用スイッチ２をオンにすると、第１ＶＴＲ６１３のアドレスは１２１Ｈに設定され、手動モード設定用スイッチ３をオンにすると、第１ＶＴＲ６１３のアドレスは１２２Ｈに設定され、また、手動モード設定用スイッチ４をオンにすると、第１ＶＴＲ６１３のアドレスは１２３Ｈに設定される。
【０１９９】
一方、自動モード設定用スイッチをオンにすると、第１ＶＴＲ６１３は自動モードに設定される。従って、第１ＶＴＲ６１３の主電源がオンにされると、第１ＶＴＲ６１３自身が、自動的に自らのアドレスを決定する。
【０２００】
この場合、アドレス設定スイッチの自動モード設定用スイッチをオンにし、アドレスが自動的に設定されるモード（自動アドレス設定モード）にしておくものとする。
【０２０１】
ＡＶシステムの接続構成が、図３８に示したような最大構成で固定されている場合（固定方式のシステムの場合）、即ち、図３５に示したＡＶセンタ１００に接続可能な機器が、第１ＶＴＲ６１３、第２ＶＴＲ６１２、第３ＶＴＲ６１４、第４ＶＴＲ６１１、ビデオチューナ６１５、ＭＤＰ６１６、オーディオアンプ６４１、オーディオチューナ６４５、ＣＤ６４４、ＭＤ６４３、およびテープデッキ６４２であり、それらの接続構成が固定されている場合、これらの機器のアドレス、および接続構成は、ＡＶセンタ１００のＲＯＭ１０５に予め記憶されている。
【０２０２】
図３８に示すように、第１ＶＴＲ６１３は、その入出力端子Ｔ１を介して、ＡＶセンタ１００の入出力端子Ｔ３に接続されている。第２ＶＴＲ６１２は、その出力端子Ｔ１を介して、ＡＶセンタ１００の入力端子Ｔ２に接続されている。第４ＶＴＲ６１１は、その出力端子Ｔ１を介して、ＡＶセンタ１００の入力端子Ｔ１に接続されている。
【０２０３】
また、第３ＶＴＲ６１４は、その出力端子Ｔ１を介して、第１ＶＴＲ６１３の入力端子Ｔ２に接続されている。ビデオチューナ６１５は、その出力端子Ｔ１を介して、第２ＶＴＲ６１２の入力端子Ｔ１に接続されている。さらに、ＭＤＰ６１６は、その出力端子Ｔ１を介して、第４ＶＴＲ６１１の入力端子Ｔ１に接続されている。
【０２０４】
また、第１ＶＴＲ６１３と第２ＶＴＲ６１２は、第１ＶＴＲ６１３の入出力端子Ｔ３と第２ＶＴＲ６１２の入出力端子Ｔ２を介して、互いに接続されている。
【０２０５】
また、オーディオアンプ６４１は、その入出力端子Ｔ１を介して、ＡＶセンタ１００の入出力端子Ｔ４に接続されている。オーディオチューナ６４５は、その出力端子Ｔ１を介して、オーディオアンプ６４１の入力端子Ｔ４に接続されている。ＣＤ６４４は、その出力端子Ｔ１を介して、オーディオアンプ６４１の入力端子Ｔ３に接続されている。ＭＤ６４３は、その出力端子Ｔ１を介して、オーディオアンプ６４１の入力端子Ｔ２に接続されている。さらに、テープデッキ６４２は、その出力端子Ｔ１を介して、オーディオアンプ６４１の入力端子Ｔ１に接続されている。
【０２０６】
さらに、これらの機器はＤ２Ｂ制御線１２１によりカスケードに接続されている。
【０２０７】
図３８において、各機器の主電源がオンにされたとき、各機器のアドレスが自動的に設定される方法について、図３９のフローチャートを参照して説明する。
【０２０８】
例えば、図３８に示した第４ＶＴＲ６１１の主電源がオンにされた場合、まず、ステップＳ８００において、第４ＶＴＲ６１１のアドレスが既に設定されているか否かが判定される。これは、第４ＶＴＲ６１１のアドレスを一旦設定すると、すでにアドレスを設定したという情報を、例えばＮＶＲＡＭ１０７に記憶させ、その情報を第４ＶＴＲ６１１に内蔵された制御部が読み出すようにすることにより可能である。
【０２０９】
第４ＶＴＲ６１１のアドレスが既に設定されていると判定された場合、ステップＳ８０１に進み、既に設定されているアドレスが、他の機器に２重に設定されていないか否かが確認され、処理が終了する。ステップＳ８０１で行われる処理の詳細については、図４０を参照して後述する。
【０２１０】
ステップＳ８００において、第４ＶＴＲ６１１のアドレスが、まだ設定されていないと判定された場合、ステップＳ８０２に進み、第４ＶＴＲ６１１のアドレスが設定され、処理を終了する。ステップＳ８０２で行われる処理の詳細については、図４１を参照して後述する。
【０２１１】
次に、ステップＳ８０１において行われる処理の詳細について、図４０を参照して説明する。
【０２１２】
まず、ステップＳ８０３において、第４ＶＴＲ６１１は、自分のアドレスに、一時的に、他の機器に設定されるはずのないアドレス、例えば１ＦＦＨを設定する。次に、電源オン時に既に自分に設定されていた、アドレス１２３Ｈを有する機器に対して、Ｄ２Ｂ制御線１２１を介してダミーコマンドを送信する。
【０２１３】
次に、ステップＳ８０４に進み、ステップＳ８０３において送信したダミーコマンドが、相手機器（アドレス１２３Ｈを有する機器）により、受信エラー（アドレスエラー）されたか否かが判定される。アドレス１２３Ｈを有する機器が、ＡＶシステム内に存在していれば、その機器より第４ＶＴＲ６１１に対して、Ｄ２Ｂ制御線１２１を介して返事が送信され、アドレス１２３Ｈを有する機器が、ＡＶシステム内に存在しなければ、Ｄ２Ｂ制御線１２１を介して返事が送信されないはずである。
【０２１４】
従って、第４ＶＴＲ６１１よりダミーコマンドが送信されてから、所定の時間内に、アドレス１２３Ｈを有する機器より、第４ＶＴＲ６１１に対して、Ｄ２Ｂ制御線１２１を介して返事が送信されない場合、アドレスエラーであると判定される。即ち、アドレス１２３Ｈを有する機器は存在しないと判定され、ステップＳ８０５に進む。
【０２１５】
次に、ステップＳ８０５において、第４ＶＴＲ６１１にアドレス１２３Ｈを設定し、処理を終了する。
【０２１６】
また、ステップＳ８０４において、所定の時間内に、アドレス１２３Ｈを有する機器より、第４ＶＴＲ６１１に対して、Ｄ２Ｂ制御線１２１を介して返事が送信された場合、アドレスエラーでないと判定される。即ち、アドレス１２３Ｈを有する機器が存在すると判定され、ステップＳ８０６に進む。
【０２１７】
ステップＳ８０６において、アドレスに１を加算し、加算されて得られたアドレス（いまの場合、１２４Ｈ）を有する機器に対して、再度、ダミーコマンドを送信する。
【０２１８】
次に、ステップＳ８０４に戻り、ステップＳ８０４、およびステップＳ８０６の処理を、アドレスが１２７Ｈとなるまで繰り返す。
【０２１９】
上述した方法を、ＡＶシステムを構成する他の機器にも適用することにより、ＡＶシステム内に同一のアドレスを有する機器が複数存在する場合であっても、その一方のアドレスを他のアドレスに変更することができ、ＡＶシステムを構成する各機器が、自分のアドレスを自動的に設定することが可能となる。
【０２２０】
次に、図３９のステップＳ８０２の処理の詳細を、図４１を参照して説明する。
【０２２１】
ステップＳ８０７において、まず、自分のアドレスに、一時的に、他の機器に設定されるはずのない、例えば１ＦＦＨを設定する。次に、最初ＶＴＲに設定可能な１２０Ｈ乃至１２７Ｈのアドレスのうち、最も小さいアドレスである、アドレス１２０Ｈを有する機器に対して、Ｄ２Ｂ制御線１２１を介して、ダミーコマンドを送信する。
【０２２２】
次に、ステップＳ８０８に進み、アドレス１２０Ｈを有する機器からの返事が送信されるか否か（アドレスエラーが発生したか否か）が判定される。アドレス１２０Ｈを有する機器に対して、ダミーコマンドが送信されてから所定の時間内に、アドレス１２０Ｈを有する機器から返事が送信されない場合、アドレスエラーであると判定される。即ち、アドレス１２０Ｈを有する機器は存在しないと判定され、ステップＳ８０９に進む。
【０２２３】
ステップＳ８０９において、第４ＶＴＲ６１１は、自分のアドレスに１２０Ｈを設定し、処理を終了する。
【０２２４】
また、ステップＳ８０８において、アドレス１２０Ｈを有する機器に対して、ダミーコマンドが送信されてから、所定の時間内に、アドレス１２０Ｈを有する機器より、第４ＶＴＲ６１１に対して、Ｄ２Ｂ制御線１２１を介して返事が送信された場合、アドレスエラーではないと判定される。即ち、アドレス１２０Ｈを有する機器は存在すると判定され、ステップＳ８１０に進む。
【０２２５】
ステップＳ８１０において、アドレスに１を加算し、加算して得られたアドレス（いまの場合、１２１Ｈ）を有する機器に対して、再度、ダミーコマンドを送信する。
【０２２６】
次に、ステップＳ８０８に戻り、ステップＳ８０８およびステップＳ８１０の処理を、アドレスが１２７Ｈとなるまで繰り返す。
【０２２７】
上述した方法を、ＡＶシステムを構成する他の機器にも適用することにより、ＡＶシステムを構成する各機器が、自分のアドレスを自動的に設定するようにすることが可能となる。
【０２２８】
次に、上述した方法によって各機器のアドレスが自動的に設定された後、ＡＶセンタ１００の内蔵する初期化釦が押されることにより、システム設定初期化処理が行われる。
【０２２９】
ＡＶシステムが、図３８に示したような構成である場合、最初に、ＡＶセンタ１００は、ＲＯＭ１０５に記憶されている各機器に対応するアドレスのうち、例えば、小さいアドレスから順に、そのアドレスを有する機器に対して、アドレス確定命令（図４２を参照して後述する）をＤ２Ｂ制御線１２１を介して送信する。
【０２３０】
上述したように、各機器の主電源がオンにされることにより、各機器により自分のアドレスが自動的に設定される。例えば、第１ＶＴＲ６１３に１２０Ｈ、第２ＶＴＲ６１２に１２１Ｈ、第３ＶＴＲ６１４に１２２Ｈ、第４ＶＴＲ６１１に１２３Ｈ、ビデオチューナ６１５に１２８Ｈ、ＭＤＰ６１６に１３０Ｈのアドレスがそれぞれ割り当てられ、さらに、オーディオアンプ６４１に１０８Ｈ、オーディオチューナ６４５に１８０Ｈ、ＣＤ６４４に１９０Ｈ、ＭＤ６４３に１９１Ｈ、そしてテープレコーダ（ＴＣ）６４２に１８８Ｈのアドレスが割り当てられた場合、ＡＶセンタ１００は、まず、アドレス１０８Ｈを有するオーディオアンプ６４１に対して、アドレス確定命令を送信する。
【０２３１】
オーディオアンプ６４１は、ＡＶセンタ１００より、Ｄ２Ｂ制御線１２１を介して送信されるアドレス確定命令を受信すると、現在設定されている自分のアドレス１０８Ｈを、内蔵するＮＶＲＡＭに記憶させる。そして、ＡＶセンタ１００より、Ｄ２Ｂ制御線１２１を介して送信されたアドレス確定命令に対する返事を、Ｄ２Ｂ制御線１２１を介してＡＶセンタ１００に送信する。
【０２３２】
次に、ＡＶセンタ１００は、アドレス１０８Ｈの次に小さいアドレスであるアドレス１２０Ｈを有する機器（第１ＶＴＲ６１３）に対して、アドレス確定命令を送信する。
【０２３３】
第１ＶＴＲ６１３は、ＡＶセンタ１００より、Ｄ２Ｂ制御線１２１を介して送信されるアドレス確定命令を受信すると、現在設定されている自分のアドレス１２０Ｈを、内蔵するＮＶＲＡＭに記憶させる。そして、ＡＶセンタ１００より、Ｄ２Ｂ制御線１２１を介して送信されたアドレス確定命令に対する返事を、Ｄ２Ｂ制御線１２１を介してＡＶセンタ１００に送信する。
【０２３４】
ＡＶセンタ１００は、他のアドレスを有する機器に対しても同様に、Ｄ２Ｂ制御線１２１を介してアドレス確定命令を送信する。これにより、ＡＶシステムを構成する全ての機器に、主電源オン時に各機器が自動的に設定した自らのアドレスを、それらの機器が内蔵するＮＶＲＡＭに記憶させることができる。
【０２３５】
また、ＡＶセンタ１００がアドレス確定命令を、所定のアドレスを有する機器に対して送信し、所定の時間内に返事が送信されない場合、所定の回数（例えば、３回）リトライしても返事が送信されないとき、ＡＶセンタ１００は、このアドレスを有する機器が、ＡＶセンタ１００に接続されていないと判定することができる。そして、この情報は、ＡＶセンタ１００の例えばＮＶＲＡＭ１０７に記憶される。従って、ＡＶセンタ１００は、以降、ＲＯＭ１０５に予め記憶されている情報と、ＮＶＲＡＭ１０７に記憶させた情報により、ＡＶセンタ１００に接続されている機器のアドレスを認識することが可能となる。
【０２３６】
次に、ＡＶセンタ１００は、ＡＶシステムに接続されている各機器の接続構成を把握するために、次のような処理を実行する。
【０２３７】
まず、ＡＶセンタ１００のＤ２Ｂ通信処理マイコン１０９は、ＡＶセンタ１００の入力端子Ｔ１に入力された映像信号だけが、ビデオ信号処理ＩＣ６０２に供給されるように、切換器１１８に対して指令する。切換器１１８は、Ｄ２Ｂ通信処理マイコン１０９からの指令に従って、内部の接続を切り換える。これにより、ＡＶセンタ１００の入力端子Ｔ１に入力された信号だけが、ビデオ信号処理ＩＣ６０２に供給可能となる。
【０２３８】
次に、ＡＶセンタ１００のＤ２Ｂ通信処理マイコン１０９は、ＲＯＭ１０５またはＮＶＲＡＭ１０７に記憶された情報に基づいて、ＡＶセンタ１００に接続されていると認識された機器に対して、そのアドレスが小さいものから順に、ＡＶ信号発生命令を送信する。
【０２３９】
従って、まず、ＡＶセンタ１００は、ＡＶ信号発生命令を、Ｄ２Ｂ制御線１２１を介してアドレス１０８Ｈを有する機器に送信する。このＡＶ信号発生命令を受信したアドレス１０８Ｈを有する機器は、ＡＶセンタ１００に対して、ＡＶ信号発生命令に対する返事を送信した後、所定のＡＶ信号を発生し、その出力端子より出力する。
【０２４０】
ＡＶシステムが、図３８に示すような接続構成である場合、ＡＶセンタ１００により、Ｄ２Ｂ制御線１２１を介してアドレス１０８Ｈを有する機器、いまの場合、オーディオアンプ６４１に対してＡＶ信号発生命令が送信されると、オーディオアンプ６４１は、そのＡＶ信号発生命令を受信し、所定のＡＶ信号を発生し、それをオーディオアンプ６４１の出力端子Ｔ１から出力する。
【０２４１】
しかしながら、オーディオアンプ６４１の出力端子Ｔ１は、ＡＶセンタ１００の入出力端子Ｔ１に接続されていないため、ＡＶセンタ１００は、アドレス１０８Ｈを有するオーディオアンプ６４１から出力されるＡＶ信号を入力することができない。従って、ＡＶセンタ１００により、オーディオアンプ６４１はＡＶセンタ１００の入力端子Ｔ１に接続されていないと認識される。
【０２４２】
次に、ＡＶセンタ１００は、ＡＶ信号発生命令を、Ｄ２Ｂ制御線１２１を介してアドレス１２０Ｈを有する機器に送信する。このＡＶ信号発生命令を受信したアドレス１２０Ｈを有する機器は、ＡＶセンタ１００に対して、ＡＶ信号発生命令に対する返事を送信した後、所定のＡＶ信号を発生し、その出力端子より出力する。
【０２４３】
ＡＶシステムが、図３８に示すような接続構成である場合、ＡＶセンタ１００により、Ｄ２Ｂ制御線１２１を介してアドレス１２０Ｈを有する機器、いまの場合、第１ＶＴＲ６１３に対してＡＶ信号発生命令が送信されると、第１ＶＴＲ６１３は、そのＡＶ信号発生命令を受信し、所定のＡＶ信号を発生し、それを出力端子Ｔ１から出力する。
【０２４４】
しかしながら、その出力端子Ｔ１は、ＡＶセンタ１００の入出力端子Ｔ１に接続されていないため、ＡＶセンタ１００は、アドレス１２０Ｈを有する第１ＶＴＲ６１３から出力されるＡＶ信号を入力することができない。従って、ＡＶセンタ１００により、第１ＶＴＲ６１３はＡＶセンタ１００の入力端子Ｔ１に接続されていないと認識される。
【０２４５】
次に、ＡＶセンタ１００は、アドレス１２１Ｈを有する機器に対して、Ｄ２Ｂ制御線１２１を介して、ＡＶ信号発生命令を送信する。ＡＶセンタ１００から送信されるＡＶ信号発生命令は、アドレス１２１Ｈを有する機器（いまの場合、第２ＶＴＲ６１２）により受信され、第２ＶＴＲ６１２は所定のＡＶ信号を発生し、それを出力端子Ｔ１より出力する。
【０２４６】
しかしながら、第２ＶＴＲ６１２は、第１ＶＴＲ６１３と同様に、ＡＶセンタ１００の入力端子Ｔ１に接続されていないため、ＡＶセンタ１００は、アドレス１２１Ｈを有する第２ＶＴＲ６１２から出力されるＡＶ信号を入力することができない。従って、ＡＶセンタ１００により、第２ＶＴＲ６１２は入力端子Ｔ１には接続されていないと認識される。
【０２４７】
次に、ＡＶセンタ１００は、アドレス１２２Ｈを有する機器に対して、ＡＶ信号発生命令を送信する。この場合も同様に、アドレス１２２Ｈを有する機器（いまの場合、第３ＶＴＲ６１４）の出力端子Ｔ１は、ＡＶセンタ１００の入力端子Ｔ１に接続されていないため、ＡＶセンタ１００は、アドレス１２２Ｈを有する第３ＶＴＲ６１４から出力されるＡＶ信号を入力することができない。従って、ＡＶセンタ１００により、第３ＶＴＲ６１４は入力端子Ｔ１には接続されていないと認識される。
【０２４８】
次に、ＡＶセンタ１００は、アドレス１２３Ｈを有する機器に対して、ＡＶ信号発生命令をＤ２Ｂ制御線１２１Ｈを介して送信する。アドレス１２３Ｈを有する機器（いまの場合、第４ＶＴＲ６１１）は、ＡＶセンタ１００より送信されるＡＶ信号発生命令を受信すると、ＡＶ信号を発生し、それを出力端子Ｔ１より出力する。
【０２４９】
この場合、第４ＶＴＲ６１１は、その出力端子Ｔ１を介してＡＶセンタ１００の入力端子Ｔ１に接続されているため、第４ＶＴＲ６１１の出力端子Ｔ１より出力されたＡＶ信号は、ＡＶセンタ１００の入力端子Ｔ１に供給される。ＡＶセンタ１００の入力端子Ｔ１に供給されたＡＶ信号は、切換器１１８を介してビデオ信号処理ＩＣ６０２に入力し、ビデオ信号検出器６０３により、第４ＶＴＲ６１１より供給されたＡＶ信号が検出される。
【０２５０】
従って、ＡＶセンタ１００は、第４ＶＴＲ６１１が、ＡＶセンタ１００の入力端子Ｔ１に接続されていると認識することができる。
【０２５１】
ＡＶセンタ１００に接続されている他の機器に対しても、同様の方法を適用することにより、ＡＶセンタ１００は、ＡＶセンタ１００に接続されている機器の接続状況を把握することができる。ＡＶセンタ１００は、この接続状況をＮＶＲＡＭ１０７に記憶させておく。この情報は、電源がオフされても保持されるため、以降、ＡＶセンタ１００は、この情報に基づいて、ＡＶシステムを構成する各機器を制御することが可能となる。
【０２５２】
図４２は、図３８に示すような機器構成からなるＡＶシステムにおいて、アドレス確定命令を各機器に送信する手順を示した図である。
【０２５３】
ＡＶシステムを構成する各機器の主電源がオンにされたとき、例えば、第１ＶＴＲ６１３にはアドレス１２０Ｈが設定され、第２ＶＴＲ６１２にはアドレス１２１Ｈが設定され、第３ＶＴＲ６１４にはアドレス１２２Ｈが設定され、第４ＶＴＲ６１１にはアドレス１２３Ｈが設定され、ビデオチューナ６１５にはアドレス１２８Ｈが設定され、また、ＭＤＰ６１６にはアドレス１３０Ｈが設定されたものとする。
【０２５４】
さらに、ＡＶシステムを構成する各機器の主電源がオンにされたとき、例えば、オーディオアンプ６４１にはアドレス１０８Ｈが設定され、オーディオチューナ６４５にはアドレス１８０Ｈが設定され、ＣＤ６４４にはアドレス１９０Ｈが設定され、ＭＤ６４３にはアドレス１９１Ｈが設定され、テープレコーダ６４２にはアドレス１８８Ｈが設定されたものとする。
【０２５５】
まず、ＡＶセンタ１００の図示せぬ初期化釦が押されると、ＡＶセンタ１００は、このＡＶシステムを構成する各機器に対して、アドレス確定命令を送信する。その際、小さいアドレスを有する機器から順に、Ｄ２Ｂ制御線１２１を介してアドレス確定命令が送信される。従って、最初に、アドレス１０８Ｈを有するオーディオアンプ６４１に対して、アドレス確定命令が送信される。
【０２５６】
ＡＶセンタ１００より送信されたアドレス確定命令を受信したオーディオアンプ６４１は、主電源オン時に設定されたアドレス１０８Ｈを、内蔵するＮＶＲＡＭに記憶させ、アドレス確定命令に対する「完了」を示す返事を、Ｄ２Ｂ制御線１２１を介してＡＶセンタ１００に送信する。ＡＶセンタ１００は、オーディオアンプ６４１より送信された返事を受信することにより、オーディオアンプ６４１がＡＶセンタ１００に接続されていることを認識することができる。
【０２５７】
次に、ＡＶセンタ１００は、アドレス１０８Ｈの次に小さいアドレスが設定された機器、即ちアドレス１２０Ｈを有する機器に対して、アドレス確定命令を送信する。ＡＶセンタ１００より送信されたこのアドレス確定命令を受信した第１ＶＴＲ６１３は、主電源オン時に設定されたアドレス１２０Ｈを、内蔵するＮＶＲＡＭに記憶させ、アドレス確定命令に対する「完了」を示す返事を、Ｄ２Ｂ制御線１２１を介してＡＶセンタ１００に送信する。ＡＶセンタ１００は、第１ＶＴＲ６１３より送信された返事を受信することにより、第１ＶＴＲ６１３がＡＶセンタ１００に接続されていることを認識することができる。
【０２５８】
次に、ＡＶセンタ１００は、このＡＶシステムを構成する機器のうち、アドレス１２０Ｈの次に小さいアドレスが設定された機器（いまの場合、アドレス１２１Ｈが設定された第２ＶＴＲ６１２）に対して、Ｄ２Ｂ制御線１２１を介してアドレス確定命令を送信する。
【０２５９】
ＡＶセンタ１００より送信されたアドレス確定命令を受信した第２ＶＴＲ６１２は、主電源オン時に設定されたアドレス１２１Ｈを、内蔵するＮＶＲＡＭに記憶させ、アドレス確定命令に対する「完了」を示す返事を、ＡＶセンタ１００にＤ２Ｂ制御線１２１を介して送信する。ＡＶセンタ１００は、第２ＶＴＲ６１２より送信された返事を受信することにより、第２ＶＴＲ６１２がＡＶセンタ１００に接続されていることを認識することができる。
【０２６０】
次に、ＡＶセンタ１００は、このＡＶシステムを構成する機器のうち、アドレス１２１Ｈの次に小さいアドレスが設定された機器（いまの場合、アドレス１２２Ｈが設定された第３ＶＴＲ６１４）に対して、Ｄ２Ｂ制御線１２１を介してアドレス確定命令を送信する。
【０２６１】
ＡＶセンタ１００より送信されたアドレス確定命令を受信した第３ＶＴＲ６１４は、主電源オン時に設定されたアドレス１２２Ｈを、内蔵するＮＶＲＡＭに記憶させ、アドレス確定命令に対する「完了」を示す返事をＡＶセンタ１００に送信する。ＡＶセンタ１００は、第３ＶＴＲ６１４より送信された返事を受信することにより、第３ＶＴＲ６１４がＡＶセンタ１００に接続されていることを認識することができる。
【０２６２】
次に、ＡＶセンタ１００は、このＡＶシステムを構成する機器のうち、アドレス１２２Ｈの次に小さいアドレスが設定された機器（いまの場合、アドレス１２３Ｈが設定された第４ＶＴＲ６１１）に対して、Ｄ２Ｂ制御線１２１を介してアドレス確定命令を送信する。
【０２６３】
ＡＶセンタ１００より送信されたアドレス確定命令を受信した第４ＶＴＲ６１１は、主電源オン時に設定されたアドレス１２３Ｈを、内蔵するＮＶＲＡＭに記憶させ、アドレス確定命令に対する「完了」を示す返事をＡＶセンタ１００に送信する。ＡＶセンタ１００は、第４ＶＴＲ６１１より送信された返事を受信することにより、第４ＶＴＲ６１１がＡＶセンタ１００に接続されていることを認識することができる。
【０２６４】
次に、ＡＶセンタ１００は、このＡＶシステムを構成する機器のうち、アドレス１２３Ｈの次に小さいアドレスが設定された機器（いまの場合、ビデオチューナ６１５）に対して、Ｄ２Ｂ制御線１２１を介して、アドレス確定命令を送信する。
【０２６５】
ＡＶセンタ１００より送信されたアドレス確定命令を受信したビデオチューナ６１５は、主電源オン時に設定されたアドレス１２８Ｈを、内蔵するＮＶＲＡＭに記憶させ、アドレス確定命令に対する「完了」を示す返事をＡＶセンタ１００に送信する。ＡＶセンタ１００は、ビデオチューナ６１５より送信された返事を受信することにより、ビデオチューナ６１５がＡＶセンタ１００に接続されていることを認識することができる。
【０２６６】
次に、ＡＶセンタ１００は、このＡＶシステムを構成する機器のうち、アドレス１２８Ｈの次に小さいアドレスが設定された機器（いまの場合、アドレス１３０Ｈが設定されたＭＤＰ６１６）に対して、Ｄ２Ｂ制御線１２１を介してアドレス確定命令を送信する。
【０２６７】
ＡＶセンタ１００より送信されたアドレス確定命令を受信したＭＤＰ６１６は、主電源オン時に設定されたアドレス１３０Ｈを、内蔵するＮＶＲＡＭに記憶させ、アドレス確定命令に対する「完了」を示す返事を、ＡＶセンタ１００にＤ２Ｂ制御線１２１を介して送信する。ＡＶセンタ１００は、ＭＤＰ６１６より送信された返事を受信することにより、ＭＤＰ６１６がＡＶセンタ１００に接続されていることを認識することができる。
【０２６８】
次に、その詳細な説明および図示は省略するが、オーディオチューナ６４５、ＣＤ６４４、ＭＤ６４３、さらにテープレコーダ６４２に対しても同様の処理を実行することにより、ＡＶセンタ１００は、これらの機器がＡＶセンタ１００に接続されていることを認識することができる。
【０２６９】
次に、システム構成が自由設定方式の場合について説明する。図４３は、自由設定方式の一実施例のシステム構成を示す図である。
【０２７０】
まず、図４３に示す各機器の主電源がオンにされると、上述したように、各機器のアドレスが自動的に設定される。その結果、例えば、図４３に示したようなアドレスが、各機器に設定されたものとする。即ち、第１ＶＴＲ６１３には１２０Ｈ、第１ＭＤＰ６１６Ａには１３０Ｈ、第２ＭＤＰ６１６Ｂには１３１Ｈ、そしてオーディオアンプ６４１には１０８Ｈのアドレスが設定されたものとする。
【０２７１】
次に、ＡＶセンタ１００の初期化釦が押されると、アドレス確定命令が、所定のアドレスを有する機器に対して、所定の順に、Ｄ２Ｂ制御線１２１を介して送信される。このコマンドを受信した機器は、主電源オン時に設定した自分のアドレスを、内蔵するＮＶＲＡＭに記憶させ、アドレス確定命令に対する返事をＡＶセンタ１００に対して送信する。ＡＶセンタ１００は、その機器から送信された返事を受信することにより、その機器がシステム内に存在していることを認識することができる。
【０２７２】
また、アドレス確定命令を、所定の機器に対して所定の回数（例えば、３回）だけ繰り返し送信しても返事が送信されない場合、ＡＶセンタ１００は、その機器がＡＶセンタ１００に接続されていないと認識することができる。
【０２７３】
上述した処理を、ＡＶセンタ１００に接続可能な機器に対応するアドレスに対して実行することにより、ＡＶセンタ１００は、ＡＶセンタ１００に接続されている機器のアドレスを認識することができる。図４３に示したシステム構成の場合、アドレス１２０Ｈ、１３０Ｈ、１３１Ｈ、および１４０Ｈを有する機器が、ＡＶセンタ１００に接続されていることが認識される。
【０２７４】
なお、システム構成が自由設定方式の場合、ＡＶセンタ１００に接続可能な機器の最大数を、機器の種類毎に予め設定しておくことができる。これにより、ＡＶセンタ１００により、アドレス確定命令が送信される相手機器の数が所定の数に制限され、ＡＶセンタ１００に接続されている機器のアドレスを認識する際の手順が比較的軽減される。
【０２７５】
次に、ＡＶセンタ１００が、各機器の接続状況を認識する手順について説明する。まず、ＡＶセンタ１００のＤ２Ｂ通信処理マイコン１０９は、切換器１１８を制御し、ＡＶセンタ１００の入力端子Ｔ１に供給されるＡＶ信号が、ビデオ信号処理ＩＣ６０２に供給可能となるように接続を切り換える。
【０２７６】
次に、Ｄ２Ｂ通信処理マイコン１０９は、ＡＶセンタ１００に接続されていると認識された機器に対して、そのアドレスが小さいものから順に、ＡＶ信号発生命令をＤ２Ｂ制御線１２１を介して送信する。いまの場合、まず、アドレス１２０Ｈを有する機器に対して、ＡＶ信号発生命令をＤ２Ｂ制御線１２１を介して送信する。
【０２７７】
アドレス１２０Ｈを有する機器（いまの場合、第１ＶＴＲ６１３）は、Ｄ２Ｂ制御線１２１を介して、Ｄ２Ｂ通信制御マイコン１０９より送信されたＡＶ信号発生命令を受信すると、所定の映像信号を発生し、出力端子Ｔ１を介してＡＶセンタ１００の入出力端子Ｔ３に供給する。
【０２７８】
上述したように、切換器１１８は、ＡＶセンタ１００の入力端子Ｔ１に供給された信号だけが、ビデオ信号処理ＩＣ６０２に供給可能となるように内部の接続を切り換えているため、第１ＶＴＲ６１３より、ＡＶセンタ１００の入力端子Ｔ３に供給された映像信号は、ビデオ信号処理ＩＣ６０２に供給されない。従って、ＡＶセンタ１００は、ＡＶセンタ１００の入力端子Ｔ１に、第１ＶＴＲ６１３が接続されていないと認識することができる。
【０２７９】
次に、ＡＶセンタ１００のＤ２Ｂ通信処理マイコン１０９は、アドレス１２０Ｈの次に小さいアドレスを有する機器、いまの場合、アドレス１３０Ｈを有する機器（いまの場合、第１ＭＤＰ６１６Ａ）に対して、Ｄ２Ｂ制御線１２１を介してＡＶ信号発生命令を送信する。
【０２８０】
第１ＭＤＰ６１６Ａは、Ｄ２Ｂ通信処理マイコン１０９より、Ｄ２Ｂ制御線１２１を介して送信されたＡＶ信号送信命令を受信すると、所定の映像信号を発生し、それをＡＶセンタ１００の入力端子Ｔ２に供給する。
【０２８１】
上述したように、切換器１１８は、ＡＶセンタ１００の入力端子Ｔ１に供給された信号だけがビデオ信号処理ＩＣ６０２に供給可能となるように内部の接続を切り換えているため、第１ＭＤＰ６１６Ａより、ＡＶセンタ１００の入力端子Ｔ２に供給された映像信号は、ビデオ信号処理ＩＣ６０２に供給されない。従って、ＡＶセンタ１００は、第１ＭＤＰ６１６Ａは、ＡＶセンタ１００の入力端子Ｔ１に接続されていないと認識することができる。
【０２８２】
次に、ＡＶセンタ１００のＤ２Ｂ通信処理マイコン１０９は、アドレス１３０Ｈの次に小さいアドレスを有する機器、いまの場合、アドレス１３１Ｈを有する機器（いまの場合、第２ＭＤＰ６１６Ｂ）に対して、Ｄ２Ｂ制御線１２１を介してＡＶ信号発生命令を送信する。
【０２８３】
第２ＭＤＰ６１６Ａは、Ｄ２Ｂ通信処理マイコン１０９より、Ｄ２Ｂ制御線１２１を介して送信されたＡＶ信号送信命令を受信すると、所定の映像信号を発生し、それをＡＶセンタ１００の入力端子Ｔ１に供給する。
【０２８４】
ＡＶセンタ１００の入力端子Ｔ１に供給された映像信号は、切換器１１８を介して、ビデオ信号処理ＩＣ６０２に供給される。切換器１１８を介して、第２ＭＤＰ６１６Ａより、ビデオ信号処理ＩＣ６０２に供給された映像信号は、ビデオ信号検出器６０３により検出される。これにより、ＡＶセンタ１００は、第２ＭＤＰ６１６Ｂが、ＡＶセンタ１００の入力端子Ｔ１に接続されていることを認識することができる。
【０２８５】
ＡＶセンタ１００は、ＡＶセンタ１００の入力端子Ｔ２、Ｔ３、およびＴ４に対しても、上述した方法を適用することにより、ＡＶセンタ１００の入力端子Ｔ２、Ｔ３、およびＴ４に接続されている機器のアドレスを認識することができる。
【０２８６】
次に、ＡＶセンタ１００は、ＡＶセンタ１００に接続された各機器の接続構成を、例えば、ＮＶＲＡＭ１０７に記憶させるようにすることができる。これにより、ＡＶセンタ１００は、ＡＶセンタ１００に接続されている機器の接続構成を把握することができ、各機器を制御することが可能となる。
【０２８７】
図４４は、自由設定方式の他の実施例のシステム構成を示す図である。
【０２８８】
この実施例においては、ＡＶセンタ１００の入力端子Ｔ１乃至Ｔ４に、第１ＶＴＲ６１３、第２ＶＴＲ６１２、第３ＶＴＲ６１４、またはＭＤＰ６１６がそれぞれ接続されている。
【０２８９】
この実施例に対しても、図４３を参照して上述した方法を適用することにより、入力端子Ｔ１乃至Ｔ４に接続されている機器のアドレスを認識することができる。
【０２９０】
次に、ＡＶセンタ１００は、ＡＶセンタ１００に接続された各機器の接続構成を、例えば、ＮＶＲＡＭ１０７に記憶させるようにすることができる。これにより、ＡＶセンタ１００は、ＡＶセンタ１００に接続されている機器の接続構成を把握することができ、各機器を制御することが可能となる。
【０２９１】
なお、図３８乃至４４において、一度設定された各機器のアドレスは各機器が内臓する例えばＮＶＲＡＭにより保持されているので、システム構成が変化しない限り、各機器のアドレスを再設定する必要はない。従って、ＡＶセンタ１００が保持する、ＡＶセンタ１００に接続された各機器のシステム接続構成に関する情報も、システム構成が変化しない限り、更新する必要はない。
【０２９２】
また、ＡＶセンタ１００に接続された各機器のアドレスが、手動アドレス設定モードの場合、即ち、図００３７に示したような各機器が内蔵するアドレス切換スイッチ（ディップスイッチ（ＤＩＰ−ＳＷ））のスイッチ１乃至４を手動によって操作することにより、各機器のアドレスが設定されている場合、各機器は、主電源のオン／オフに拘らず、スイッチ１乃至４のうちのどれかがオン状態にされることにより設定された所定のアドレス有することになる。
【０２９３】
従って、手動アドレス設定モードの場合、ＡＶセンタ１００の初期化釦が押されると、アドレス確定命令が、ＡＶセンタ１００に接続されている各機器に対して、そのアドレスが小さいものから順に、Ｄ２Ｂ制御線１２１を介して送信される。この命令を受信した機器は、アドレス確定命令に対する「完了」を示す返事をＡＶセンタ１００に、Ｄ２Ｂ制御線１２１を介して送信する。しかしながら、上述した自動アドレス設定モードの場合のように、各機器に設定されたアドレスを、内蔵するＮＶＲＡＭに記憶させる処理は行わない。
【０２９４】
ＡＶセンタ１００は、各機器から送信される返事を受信することにより、ＡＶシステムに接続されている各機器のアドレスを認識することができる。また、所定のアドレスを有する機器に対して、ＡＶ信号発生命令を送信しても返事が送信されない場合、さらに所定の回数（例えば、３回）だけ、ＡＶ信号発生命令の送信を繰り返し、その結果返事が送信されないとき、ＡＶセンタ１００は、そのアドレスに対応する機器が、ＡＶセンタ１００に接続されていないと認識することができる。
【０２９５】
ところで、ＡＶセンタとしてのテレビジョン受像機１００の不揮発性メモリ１０７には、ＡＶシステムを構成する各ＡＶ機器の接続状態が予め記憶されている。ＣＰＵ１０４およびＤ２Ｂ通信処理マイコン１０９は、この不揮発性メモリ１０７に記憶されている接続状態を元に、各ＡＶ機器を制御する。この接続状態は、例えばＲＯＭ１０５に、予め用意されている標準的なパターンの中から所定のものをユーザが選択し、そのうちの、実際には使用しないＡＶ機器を削除することにより決定したものを、不揮発性メモリ１０７に記憶させたものである。従って、不揮発性メモリ１０７に記憶されている標準パターンの各ＡＶ機器には、既に予め所定のアドレスが割り当てられている。
【０２９６】
例えば、端子Ｔ１に接続されているＶＴＲに対してはアドレス１２３Ｈが、端子Ｔ２に接続されているＶＴＲに対してはアドレス１２１Ｈが、端子Ｔ３に接続されているＶＴＲに対してはアドレス１２０Ｈが、さらに、端子Ｔ３に接続されているＶＴＲにさらに接続されているＶＴＲにはアドレス１２２Ｈが、それぞれ予め割り当てられている。同様に、端子Ｔ２に接続されているＶＴＲにさらに接続されているビデオチューナには、アドレス１２８Ｈが割り当てられており、端子Ｔ１に接続されているＶＴＲにさらに接続されているＭＤＰには、アドレス１３０Ｈが割り当てられている。
【０２９７】
しかしながら、上述したように、このＡＶシステムに同一種類のＡＶ機器が複数台接続された場合においては、そのアドレスは、電源をオンした順番に、予め用意されたアドレスの中から小さいものが順次割り当てられる。従って、その割り当てられたアドレスは、不揮発性メモリ１０７に記憶されているパターンで管理されている上記したアドレスと必ずしも一致するものではない。
【０２９８】
Ｄ２Ｂ通信処理マイコン１０９が各ＡＶ機器を制御する場合におけるアドレスは、不揮発性メモリ１０７にＡＶシステムとして記憶されているアドレスと一致させておく必要がある。このため、Ｄ２Ｂ通信処理マイコン１０９は、このＡＶシステムの初期化処理時に、図４５乃至図４８のフローチャートに示す処理を実行し、電源オン時に、ＶＴＲ６１１乃至６１４に一時的に割り当てられたアドレスを、不揮発性メモリ１０７に記憶されているパターンに対応するアドレスに書き換える。
【０２９９】
すなわち、最初にステップＳ５１１において、Ｄ２Ｂ通信処理マイコン１０９（またはＣＰＵ１０４）は、切換器１１８を制御し、端子Ｔ１に入力された信号を選択して、ビデオ信号処理ＩＣ６０２に供給するように制御する。また、端子Ｔ１に接続されるＡＶ機器として、不揮発性メモリ１０７に記憶されている標準パターンのＡＶ機器（この実施例の場合、ＶＴＲ）に対して用意されている１２０Ｈ乃至１２７Ｈの８個のアドレスのうち、最も小さい値Ａｍｉｎ（＝１２０Ｈ）  を変数Ａにセットする。
【０３００】
次にステップＳ５１２に進み、Ｄ２Ｂ通信処理マイコン１０９は、Ｄ２Ｂ通信処理ＩＣ１１０、Ｄ２Ｂ制御線１２１を介して、アドレスＡのＡＶ機器（ＶＴＲ）に対してプレゼントコマンドを出力する。このプレゼントコマンドは、そのＡＶ機器にビデオ信号やオーディオ信号を出力することを要求するものである。
【０３０１】
いま、アドレス１２０Ｈが割り当てられているＶＴＲが、ＶＴＲ６１２またはＶＴＲ６１３であるとすると、ステップＳ５１２において発生されたプレゼントコマンドに対応して、ＶＴＲ６１２またはＶＴＲ６１３が映像信号を出力する。この映像信号は、端子Ｔ２または端子Ｔ３に供給される。しかしながら、ステップＳ５１１において、切換器１１８は、端子Ｔ１に供給される信号をビデオ信号処理ＩＣ６０２に供給するように切換制御を行っている。このため、このときビデオ信号検出器６０３は、ＡＶ信号（映像信号）を検出することができない。
【０３０２】
また、ＶＴＲ６１４がアドレス１２０Ｈに割り当てられている場合においては、このＶＴＲ６１４がＡＶ信号を出力するが、ＶＴＲ６１４が出力したＡＶ信号は、ＶＴＲ６１３に供給されるだけで、ＶＴＲ６１３からは出力されない（出力するようには指令が発生されていない）。このため、この場合においても、ビデオ信号検出器６０３は、ＡＶ信号を検出することができない。
【０３０３】
以上のようにして、ビデオ信号検出器６０３により、ＡＶ信号（映像信号）が検出されたか否かを、ステップＳ５１３において判定し、ＡＶ信号を検出できない場合においては、ステップＳ５１４に進み、アドレスＡ（いまの場合、Ａ＝１２０Ｈ）の電子機器に対して、プレゼントオフの指令を出力する。即ち、アドレスＡのＶＴＲに対して、ＡＶ信号の出力を停止させる。そしてステップＳ５１５に進み、アドレスＡを１だけインクリメントさせた後、ステップＳ５１２に進み、インクリメントしたアドレスＡ（＝１２１Ｈ）のＶＴＲに対して、プレゼントコマンドを出力する。そしてステップＳ５１３において、ＡＶ信号が検出されるか否かを判定する。
【０３０４】
以上のステップＳ５１２乃至Ｓ５１５の処理が繰り返し実行され、アドレスＡの値が、端子Ｔ１に接続されているＶＴＲ６１１に割り当てられているアドレスと等しい値になったとき、ＶＴＲ６１１が映像信号を出力するので、その映像信号が、端子Ｔ１と切換器１１８を介してビデオ信号処理ＩＣ６０２に供給される。ビデオ信号処理ＩＣ６０２は、入力された映像信号を処理してＲＧＢ信号に変換し、ＣＲＴ１１３に出力、表示させる。ビデオ信号検出器６０３は、このように、ビデオ信号処理ＩＣ６０２に入力または出力される信号を検出したとき、その検出信号を、Ｄ２Ｂ通信処理マイコン１０９に出力する。
【０３０５】
ステップＳ５１３において、ＡＶ信号が検出されたと判定されたとき、ステップＳ５１６に進み、電源オン時にアドレス１２３Ｈが割り当てられているＶＴＲに対して、そのアドレスを８００Ｈに変更するように、リクエストが発生される。いま、アドレス１２３Ｈが割り当てられているＶＴＲは、このリクエストを受けたとき、自分のアドレスを８００Ｈに変更する処理を実行する。この処理は、次のステップＳ５１７において、ＶＴＲ６１１にアドレス１２３Ｈを設定したとき、ＡＶシステム内に、同一のアドレスが複数のＶＴＲに割り当てられることになるので、これを防止するためのものである。
【０３０６】
次にステップＳ５１７に進み、端子Ｔ１に接続されているＶＴＲ６１１に対して（アドレスＡのＶＴＲに対して）、そのアドレスを１２３Ｈに変更させるリクエストがＤ２Ｂ通信処理マイコン１０９から出力される。ＶＴＲ６１１は、このリクエストを受けたとき、そのアドレスをＡから１２３Ｈに変更する。
【０３０７】
次にステップＳ５１８に進み、Ｄ２Ｂ通信処理マイコン１０９は、ステップＳ５１６で、そのアドレスを８００Ｈに変更したＶＴＲに対して、そのアドレスをＡに変更させるリクエストを発生する。このリクエストを受けたアドレス８００ＨのＶＴＲは、自分のアドレスをＡに変更する。
【０３０８】
即ち、以上の処理により、端子Ｔ１に接続されているＶＴＲを確認し、そのＶＴＲ６１１に電源オン時に割り当てられていたアドレスが、電源オン時にアドレス１２３Ｈが割り当てられていた他のＶＴＲに割り当てられ、アドレス１２３ＨがＶＴＲ６１１に割り当てられたことになる。
【０３０９】
次にステップＳ５１９に進み、切換器１１８が制御され、端子Ｔ２に供給される信号がビデオ信号処理ＩＣ６０２に供給されるように切り換えられる。そして、変数ＡにＡｍｉｎ（＝１２０Ｈ）が設定される。そしてステップＳ５２０乃至Ｓ５２３において、上述したステップＳ５１２乃至Ｓ５１５における場合と同様の処理が実行される。
【０３１０】
すなわち、ＶＴＲ６１２より出力した映像信号が、端子Ｔ２、切換器１１８を介してビデオ信号処理ＩＣ６０２に供給されるとともに、ビデオ信号検出器６０３により検出されるまで、ステップＳ５２０乃至Ｓ５２３の処理を繰り返すことにより、端子Ｔ２に接続されているＶＴＲ６１２の電源オン時のアドレスを確認する。
【０３１１】
次に、ステップＳ５２４乃至Ｓ５２６の処理が実行される。このステップＳ５２４乃至Ｓ５２６の処理は、図４５のステップＳ５１６乃至Ｓ５１８における処理と基本的に同様の処理である。すなわち、不揮発性メモリ１０７に記憶されている標準パターンで管理されている、端子Ｔ２に接続されているＶＴＲ６１２に割り当てられているアドレス１２１Ｈが、電源オン時に割り当てられている他のＶＴＲのアドレス（１２１Ｈ）が一時的に８００Ｈに変更され（ステップＳ５２４）、ＶＴＲ６１２のアドレスが１２１Ｈに変更され（ステップＳ５２５）、さらに８００Ｈに一時的に変更された他のＶＴＲのアドレスが元のアドレスＡに戻される。
【０３１２】
次にステップＳ５２７に進み、切換器１１８が、端子Ｔ３に供給される映像信号をビデオ信号処理ＩＣ６０２に供給するように切り換えられる。そしてステップＳ５１２乃至Ｓ５１８における場合と同様の処理が、ステップＳ５２８乃至Ｓ５３４において実行される。これにより、ＶＴＲ６１３に対して、標準パターンで管理されているアドレス１２０Ｈが割り当てられ、電源オン時に１２０Ｈのアドレスが割り当てられていた他のＶＴＲに対して、電源オン時にＶＴＲ６１３に割り当てられていたアドレスが割り当てられる。
【０３１３】
標準パターン上、４台のＶＴＲに割り当てられているアドレスが、１２０Ｈ乃至１２３Ｈである場合、以上の処理により、４台のＶＴＲ６１１乃至６１４のうち、３台のＶＴＲ６１１乃至６１３のアドレスが適正なアドレスに変更された結果、結果的に残りの１台のＶＴＲ６１４にも適正なアドレスが割り当てられたことになる。従って、ここで処理を終了させることも可能である。しかしながら、電源をオンしたとき、誤ったアドレスが割り当てられる恐れもあるので、さらにＶＴＲ６１４にＡＶ信号を発生させ、これをビデオ信号処理ＩＣ６０２で処理させ、アドレスの確認処理を実行することができる。
【０３１４】
この場合、さらにステップＳ５３５に進み、アドレス１２０ＨのＶＴＲ６１３に対して、ＶＴＲ６１４から入力された映像信号をテレビジョン受像機１００の端子Ｔ３にそのまま出力するように（スルー接続するように）、指令が出力される。ＶＴＲ６１３は、この指令の入力を受けたとき、ＶＴＲ６１４から供給されたＡＶ信号を、そのままテレビジョン受像機１００の端子Ｔ３に出力するように、内部の回路を接続する。
【０３１５】
このような処理を行った結果、ステップＳ５３６乃至Ｓ５４３において、ステップＳ５１１乃至Ｓ５１８における場合と同様の処理を実行することで、ＶＴＲ６１４にアドレス１２２Ｈを割り当てることができる。
【０３１６】
以上の実施例においては、アドレスを変更する際、同一のアドレスが、２以上のＡＶ機器に割り当てられた状態が発生することを避けるために、適正なアドレスを割り当てる直前に、一時的にＡＶ機器のアドレスを８００Ｈのアドレスに書き換えるようにしたが、このような書き換えを予め行うようにすることも可能である。
【０３１７】
図４９は、このような場合の動作例を表している。即ち、この例においては、最初にステップＳ５６１において、電源オン時にアドレス１２０Ｈ乃至１２３Ｈに割り当てられているＶＴＲのアドレスを、それぞれ８００Ｈ乃至８０３Ｈに変更する。即ち、Ｄ２Ｂ通信処理マイコン１０９は、Ｄ２Ｂ通信処理ＩＣ１１０、Ｄ２Ｂ制御線１２１を介して、各ＶＴＲ６１１乃至６１４に対して、そのアドレスの変更を要求する。この変更要求を受領した各ＶＴＲは、自らのアドレスを、１２０Ｈ乃至１２３Ｈから８００Ｈ乃至８０３Ｈにそれぞれ変更する。
【０３１８】
このように、予めＶＴＲ６１１乃至６１４のアドレスを、本来割り当てられるべきアドレス１２０Ｈ乃至１２３Ｈ以外のアドレスに一時的に変更しておけば、例えば、端子Ｔ１に接続されているＶＴＲ６１１のアドレスが判明したとき、直ちにそのアドレスを１２３Ｈのアドレスに書き換えることが可能となる。
【０３１９】
即ち、ステップＳ５６２において、端子Ｔ１に供給される映像信号をビデオ信号処理ＩＣ６０２に供給するように、切換器１１８を制御し、変数Ａに、８００Ｈ乃至８０３Ｈのうち、最も小さい値Ａｍｉｎ（＝８００Ｈ）をセットする。そし  て、図４５におけるステップＳ５１２乃至Ｓ５１５における処理と同様に、ステップＳ５６３乃至Ｓ５６６において、アドレスＡのＶＴＲにプレゼントコマンドを出力して、そのＶＴＲが出力する映像信号をビデオ信号検出器６０３で検出することにより、端子Ｔ１に接続されているＶＴＲのアドレス（８００Ｈ乃至８０３Ｈのいずれかの値）を検出する。
【０３２０】
次にステップＳ５６７に進み、検出したアドレスＡ（８００Ｈ乃至８０３Ｈのいずれかの値）のＶＴＲ６１１のアドレスを、本来のアドレス１２３Ｈに変更させる。
【０３２１】
このステップＳ５６２乃至Ｓ５６７における場合と同様の処理が、ステップＳ５６８乃至Ｓ５７３と、ステップＳ５７４乃至Ｓ５７９において行われる。ステップＳ５６８乃至Ｓ５７３の処理により、端子Ｔ２に接続されているＶＴＲ６１２のアドレスが、８００Ｈ乃至８０３Ｈのいずれかの値から１２１Ｈの値に変更され、ステップＳ５７４乃至Ｓ５７９の処理により、端子Ｔ３に接続されているＶＴＲ６１３のアドレスが、８００Ｈ乃至８０３Ｈのいずれかの値から１２０Ｈの値に変更される。
【０３２２】
さらに、ステップＳ５８０に進み、ＶＴＲ６１３をスルー接続させた後、ステップＳ５８１乃至Ｓ５８６において、ステップＳ５６２乃至Ｓ５６７と同時の処理を行い、ＶＴＲ６１３に接続されているＶＴＲ６１４のアドレスを、８００Ｈ乃至８０３Ｈのいずれかの値から１２２Ｈの値に変更させる。
【０３２３】
尚、以上のようにして、変更されたアドレスは、それぞれ対応する不揮発性メモリ６１１Ｍ乃至６１４Ｍに書き込まれることは、前述した場合と同様である。
【０３２４】
図５３は、本発明を応用したＡＶシステムのさらに他の実施例の構成を示したブロック図である。この実施例においては、図３５に示したＡＶセンタとしてのテレビジョン受像機１００において、ビデオ信号検出器６０３が省略された構成とされている。そして、ビデオ信号処理ＩＣ６０２は、ステイタスレジスタ６３１を有しており、ステイタスレジスタ６３１は、切換器１１８より供給される映像信号に含まれる水平同期信号に対してロックした状態にあるとき、論理１を出力し、ロックしていない状態にあるとき、論理０を出力するようになされている。
【０３２５】
図５３の実施例のその他の構成は、ＶＴＲ６１１が省略されている点を除き、図３５に示した実施例における場合と同様である。
【０３２６】
図５３に示した実施例においては、図３６を参照して説明したように、ＡＶシステム内のＡＶ機器の電源をオンすると、各ＡＶ機器は、それぞれ自動的に自分の機器アドレス（実機器アドレス）を設定し、同一種類のＡＶ機器が複数ある場合、例えば、ＶＴＲにおいては、ＶＴＲ用の機器アドレスとして用意された８個の機器アドレス１２０Ｈ乃至１２７Ｈのうち、小さい方の機器アドレスが、先に電源をオンしたＶＴＲに対して、順次割り当てられる。
【０３２７】
また、Ｄ２Ｂ通信処理マイコン１０９は、ＡＶセンタ１００のＡＶ端子Ｔ１乃至Ｔ３に接続されるＡＶ機器の最大構成を表す情報と、各ＡＶ機器に設定された論理アドレスを、予めＲＯＭ１０５に保持する。
【０３２８】
図５４は、ＲＯＭ１０５に記憶された、ＡＶシステムの最大構成を表す情報を図示したものである。入力用ＡＶ端子Ｔ１，Ｔ２、および入出力用ＡＶ端子Ｔ３が設けられたＡＶセンタ１００には、論理アドレス１２０Ｈを有する第１ＶＴＲ７２１が、ＡＶセンタ１００の出力用ＡＶ端子Ｔ３と、第１ＶＴＲ７２１の入力用ＡＶ端子Ｔ１を介して接続されている。また、第１ＶＴＲ７２１は、その出力用ＡＶ端子Ｔ１と、ＡＶセンタ１００の入力用ＡＶ端子Ｔ３を介しても、ＡＶセンタ１００に接続されている。
【０３２９】
論理アドレス１２１Ｈを有する第２ＶＴＲ７２２は、その出力用ＡＶ端子Ｔ１と、ＡＶセンタ１００の入力用ＡＶ端子Ｔ２を介して、ＡＶセンタ１００に接続されている。論理アドレス１２２Ｈを有する第３ＶＴＲ７２３は、その出力用ＡＶ端子Ｔ１と、第１ＶＴＲ７２１の入力用ＡＶ端子Ｔ２を介して、また、第１ＶＴＲ７２１の出力用ＡＶ端子Ｔ２と、第３ＶＴＲ７２３の入力用ＡＶ端子Ｔ１を介して、第１ＶＴＲ７２１に接続されている。
【０３３０】
論理アドレス１２３Ｈを有する第４ＶＴＲ７２４は、その出力用ＡＶ端子Ｔ１と、ＡＶセンタ１００の入力用ＡＶ端子Ｔ１を介して、ＡＶセンタ１００に接続されている。また、論理アドレス１２８Ｈを有するビデオチューナ７２５は、その出力用ＡＶ端子Ｔ１と、第２ＶＴＲ７２２の入力用ＡＶ端子Ｔ１を介して、第２ＶＴＲ７２２に接続されている。
【０３３１】
さらに、論理アドレス１３０Ｈを有するＭＤＰ７２６は、その出力用ＡＶ端子Ｔ１と、第４ＶＴＲ７２４の入力用ＡＶ端子Ｔ１を介して、第４ＶＴＲ７２４に接続されている。
【０３３２】
従って、ＡＶセンタ１００には、ＶＴＲを４台まで接続することができ、そのほかに、ＭＤＰとビデオチューナを接続することができる。
【０３３３】
電源をオンされた各ＡＶ機器が、それぞれ自動的に自分の機器アドレス（実機器アドレス）を設定した後、図５５乃至図５８のフローチャートに示すような処理が実行され、論理アドレスと実機器アドレスの対応付けが行われる。これらの図では、ＡＶセンタ１００に接続されているＡＶ機器のうち、ＶＴＲのみについて説明しているが、他のＡＶ機器についても同様である。
【０３３４】
まず、ステップＳ６６１において、切換器１１８は、Ｄ２Ｂ通信処理マイコン１０９の制御により、入力用ＡＶ端子Ｔ３に入力される映像信号だけが、ビデオ信号処理ＩＣ６０２に供給されるようにする。このとき、ＶＴＲ６１３の入力用ＡＶ端子Ｔ２と出力用ＡＶ端子Ｔ１とは、最初スルー接続されていないため、ＶＴＲ６１３から出力される映像信号だけが、ＡＶセンタ１００の入力用ＡＶ端子Ｔ３を介して、ビデオ信号処理ＩＣ６０２に供給可能となる。
【０３３５】
次に、ステップＳ６６２に進み、Ｄ２Ｂ通信処理マイコン１０９は、機器アドレス１２０Ｈを有するＶＴＲに対して、Ｄ２Ｂ制御線１２１を介してプレゼントコマンドを送信する。機器アドレス１２０Ｈを有するＶＴＲ（この場合、ＶＴＲ６１３）は、このプレゼントコマンドを受信したとき、内部に装着されているビデオテープが再生可能な状態にあれば、ＯＫ信号をＤ２Ｂ制御線１２１を介してＤ２Ｂ通信処理マイコン１０９に出力し、再生を開始する。
【０３３６】
次に、ステップＳ６６３に進み、Ｄ２Ｂ通信処理マイコン１０９は、Ｄ２Ｂ制御線１２１を介して、機器アドレス１２０Ｈを有するＡＶ機器から、プレゼントコマンドに対するＯＫ信号が送信されてきた場合は、それを検出し、ステップＳ６６４に進む。
【０３３７】
ステップＳ６６４において、Ｄ２Ｂ通信処理マイコン１０９は、Ｉ２Ｃバスなどの内部バス１２０を介して、ビデオ信号処理ＩＣ６０２のステイタスレジスタ６３１にセットされている論理を読み出す。ここで、ステイタスレジスタ６３１には、ビデオ信号処理ＩＣ６０２により、そこに入力される映像信号に含まれる水平同期信号に同期が取れたとき、即ち、ＶＴＲ６１３から出力される映像信号が、ＡＶセンタ１００のＡＶ端子Ｔ３を介してそこに正しく供給されたとき、論理１がセットされ、供給されていなければ、論理０がセットされる。
【０３３８】
次にステップＳ６６５に進み、ビデオ信号処理ＩＣ６０２に供給される映像信号に含まれる水平同期信号に対して、ロックした状態にあるか否か、即ち、ステイタスレジスタ６３１が論理１であるか否かが判定される。論理１であると判定された場合、ステップＳ６６６に進み、Ｄ２Ｂ通信処理マイコン１０９が、Ｄ２Ｂ制御線１２１を介して、プレゼントコマンドを送信した相手のＡＶ機器（ここでは、ＶＴＲ６１３）の論理アドレス（この場合、図５４の第１ＶＴＲ７２１の論理アドレス１２０Ｈ）を、実機器アドレス（この場合、図５３のＶＴＲ６１３のアドレス１２０Ｈ）に対応させる。
【０３３９】
次に、ステップＳ６６７に進み、Ｄ２Ｂ通信処理マイコン１０９は、機器アドレス１２０Ｈを有する機器（ここでは、ＶＴＲ６１３）に対して、再生動作の停止を指示する制御信号をＤ２Ｂ制御線１２１を介して送信する。機器アドレス１２０Ｈを有する機器は、Ｄ２Ｂ通信処理マイコン１０９から送られてきた制御信号を受信すると、再生動作を停止し、制御信号に対する返事を、Ｄ２Ｂ制御線１２１を介して、Ｄ２Ｂ通信処理マイコン１０９に送信する。
【０３４０】
次に、ステップＳ６６８に進み、Ｄ２Ｂ通信処理マイコン１０９は、機器アドレス１２０Ｈを有するＡＶ機器からの停止指令に対する返事を受信し、ステップＳ６７２に進む。
【０３４１】
ステップＳ６６５において、ステイタスレジスタ６３１が論理０であると判定された場合、ステップＳ６６９に進み、Ｄ２Ｂ通信処理マイコン１０９が、Ｄ２Ｂ制御線１２１を介して、プレゼントコマンドを送信した相手のＡＶ機器の機器アドレスが、１２８Ｈより小さいか否かが判定される。
【０３４２】
ステップＳ６６９において、Ｄ２Ｂ通信処理マイコン１０９が、Ｄ２Ｂ制御線１２１を介して、プレゼントコマンドを送信した相手のＡＶ機器の機器アドレスが、１２８Ｈより小さいと判定された場合は、ステップＳ６７１に進み、送信相手の機器アドレスを１だけ増加させ、その機器アドレスを有するＡＶ機器に対して、Ｄ２Ｂ通信処理マイコン１０９は、Ｄ２Ｂ制御線１２１を介して、プレゼントコマンドを送信する。次に、ステップＳ６６４に戻る。
【０３４３】
ステップＳ６６９において、Ｄ２Ｂ通信処理マイコン１０９が、Ｄ２Ｂ制御線１２１を介して、プレゼントコマンドを送信した相手のＡＶ機器の機器アドレスが１２８Ｈに等しいか、またはそれより大きいと判定された場合は、ステップＳ６７０に進む。
【０３４４】
ステップＳ６７０においては、１２０Ｈ乃至１２７Ｈの機器アドレスを有するＶＴＲが、ＡＶセンタ１００のＡＶ端子Ｔ３には接続されていないとされる。次に、ステップＳ６７２に進む。
【０３４５】
ステップＳ６７２において、切換器１１８は、Ｄ２Ｂ通信処理マイコン１０９の制御により、入力用端子Ｔ２に入力される映像信号だけが、ビデオ信号処理ＩＣ６０２に供給されるようにする。このとき、ＶＴＲ６１２の出力用ＡＶ端子Ｔ１と入力用ＡＶ端子Ｔ１とは、最初スルー接続されていないため、ＶＴＲ６１２から出力される映像信号だけが、ＡＶセンタ１００の入力用ＡＶ端子Ｔ２を介して、ビデオ信号処理ＩＣ６０２に供給可能となる。
【０３４６】
次に、ステップＳ６７３に進み、Ｄ２Ｂ通信処理マイコン１０９は、ステップＳ６６６において、機器アドレス１２０Ｈを有するＡＶ機器が、ＡＶセンタ１００に接続されていることを認識しているから、機器アドレスが１２０Ｈ以外の、最も小さい機器アドレス１２１Ｈを有するＶＴＲに対して、Ｄ２Ｂ制御線１２１を介してプレゼントコマンドを送信する。機器アドレス１２１Ｈを有するＶＴＲ（この場合、ＶＴＲ６１４）は、このプレゼントコマンドを受信したとき、内部に装着されているビデオテープが再生可能な状態にあれば、ＯＫ信号をＤ２Ｂ制御線１２１を介してＤ２Ｂ通信処理マイコン１０９に送信し、再生を開始する。
【０３４７】
次に、ステップＳ６７４に進み、Ｄ２Ｂ通信処理マイコン１０９は、Ｄ２Ｂ制御線１２１を介して、機器アドレス１２１Ｈを有するＡＶ機器から、プレゼントコマンドに対するＯＫ信号が送信されてきた場合は、それを検出し、ステップＳ６７５に進む。
【０３４８】
ステップＳ６７５において、Ｄ２Ｂ通信処理マイコン１０９は、Ｉ２Ｃバスなどの内部バス１２０を介して、ビデオ信号処理ＩＣ６０２のステイタスレジスタ６３１にセットされている論理を読み出す。ここで、ステイタスレジスタ６３１には、ビデオ信号処理ＩＣ６０２により、そこに入力される映像信号に含まれる水平同期信号に同期が取れたとき、即ち、ＶＴＲ６１４から出力される映像信号が、切換器１１８の端子Ｔ３を介してそこに正しく供給されたとき、論理１がセットされ、供給されていなければ、論理０がセットされている。
【０３４９】
次にステップＳ６７６に進み、ビデオ信号処理ＩＣ６０２に供給される映像信号に含まれる水平同期信号に対して、ロックした状態にあるか否か、即ち、ステイタスレジスタ６３１が論理１であるか否かが判定される。
【０３５０】
ステップＳ６７６において、ステイタスレジスタ６３１が論理０であると判定された場合、ステップＳ６８０に進み、Ｄ２Ｂ通信処理マイコン１０９がＤ２Ｂ制御線１２１を介してプレゼントコマンドを送信した相手のＡＶ機器の機器アドレスが１２８Ｈより小さいか否かが判定される。
【０３５１】
ステップＳ６８０において、Ｄ２Ｂ通信処理マイコン１０９が、Ｄ２Ｂ制御線１２１を介して、プレゼントコマンドを送信した相手のＡＶ機器の機器アドレス（いまの場合、１２１Ｈ）が、１２８Ｈより小さいと判定された場合は、ステップＳ６８２に進み、プレゼントコマンドを送信する相手のＡＶ機器の機器アドレスを１だけ増加させ、その機器アドレス（いまの場合、１２２Ｈ）に対して、Ｄ２Ｂ制御線１２１を介して、プレゼントコマンドを送信し、ステップＳ６７５に戻る。
【０３５２】
機器アドレス１２２Ｈを有するＡＶ機器（この場合、ＶＴＲ６１２）は、Ｄ２Ｂ制御線１２１を介して、このプレゼントコマンドを受信すると、再生動作を開始する。
【０３５３】
ステップＳ６７５において、Ｄ２Ｂ通信処理マイコン１０９は、Ｉ２Ｃバスなどの内部バス１２０を介して、ビデオ信号処理ＩＣ６０２のステイタスレジスタ６３１にセットされている論理を再度読み出す。
【０３５４】
次にステップＳ６７６に進み、ビデオ信号処理ＩＣ６０２に供給される映像信号に含まれる水平同期信号に対して、ロックした状態にあるか否か、即ち、ステイタスレジスタ６３１が論理１であるか否かが再度判定される。
【０３５５】
ステイタスレジスタ６３１が、論理１であると判定された場合、ステップＳ６７７に進み、Ｄ２Ｂ通信処理マイコン１０９が、Ｄ２Ｂ制御線１２１を介して、プレゼントコマンドを送信した相手のＡＶ機器（この場合、ＶＴＲ６１２）の論理アドレス（この場合、図５４第２ＶＴＲのアドレス１２１Ｈ）を、実機器アドレス（いまの場合、図５３のＶＴＲ６１２のアドレス１２２Ｈ）に対応させる。
【０３５６】
次に、ステップＳ６７８に進み、Ｄ２Ｂ通信処理マイコン１０９は、機器アドレス１２２Ｈを有するＡＶ機器（この場合、ＶＴＲ６１２）に対して、再生動作の停止を指示する制御信号を、Ｄ２Ｂ制御線１２１を介して送信する。ＶＴＲ６１２は、Ｄ２Ｂ通信処理マイコン１０９からの制御信号を受信すると、再生動作を停止し、制御信号に対する返事をＤ２Ｂ通信処理マイコン１０９に送信する。
【０３５７】
次に、ステップＳ６７９に進み、Ｄ２Ｂ通信処理マイコン１０９は、機器アドレス１２２Ｈを有するＡＶ機器からの停止指令に対する返事を受信し、ステップＳ６８３に進む。
【０３５８】
ステップＳ６８０において、論理アドレスが１２８Ｈに等しいか、またはそれより大きいと判定された場合は、ステップＳ６８１に進む。
【０３５９】
ステップＳ６８１においては、論理アドレス１２１Ｈに対応する機器アドレスを有するＶＴＲが、ＡＶセンタ１００のＡＶ端子Ｔ３には接続されていないとされる。次に、ステップＳ６７２に進む。
【０３６０】
ステップＳ６８３において、切換器１１８は、Ｄ２Ｂ通信処理マイコン１０９の制御により、入力用ＡＶ端子Ｔ３に入力される映像信号だけが、ビデオ信号処理ＩＣ６０２に供給されるようにする。次に、Ｄ２Ｂ通信処理マイコン１０９は、論理アドレス１２０Ｈに対応する機器アドレス１２０Ｈを有するＡＶ機器（この場合、ＶＴＲ６１３）に対して、Ｄ２Ｂ制御線１２１を介して、出力用ＡＶ端子Ｔ１と入力用ＡＶ端子Ｔ２をスルー接続するように、指令を出力する。機器アドレス１２０Ｈを有するＡＶ機器（この場合、ＶＴＲ６１３）は、この指令の入力を受けたとき、入力用ＡＶ端子Ｔ２に入力された映像信号を、そのまま出力用ＡＶ端子Ｔ１に出力するように、内部の回路を接続する。
【０３６１】
これにより、論理アドレス１２２Ｈに対応する機器アドレスを有するＡＶ機器から出力される映像信号が、論理アドレス１２０Ｈに対応する機器アドレスを有するＡＶ機器（この場合、ＶＴＲ６１３）の入力用ＡＶ端子Ｔ２、出力用ＡＶ端子Ｔ１、およびＡＶセンタ１００の入力用ＡＶ端子Ｔ３を介して、ビデオ信号処理ＩＣ６０２に供給されるようにすることができる。
【０３６２】
次に、ステップＳ６８４に進み、Ｄ２Ｂ通信処理マイコン１０９は、既に論理アドレスとの対応付けがなされた機器アドレス１２０Ｈ，１２２Ｈを除いたうちの最小の機器アドレス、即ち、機器アドレス１２１Ｈを有するＶＴＲに対して、Ｄ２Ｂ制御線１２１を介してプレゼントコマンドを送信する。機器アドレス１２１Ｈを有するＶＴＲ（この場合、ＶＴＲ６１４）は、このプレゼントコマンドを受信したとき、内部に装着されているビデオテープが再生可能な状態にあれば、ＯＫ信号をＤ２Ｂ制御線１２１を介してＤ２Ｂ通信処理マイコン１０９に出力し、再生を開始する。
【０３６３】
次に、ステップＳ６８５に進み、Ｄ２Ｂ通信処理マイコン１０９は、Ｄ２Ｂ制御線１２１を介して、機器アドレス１２１Ｈを有するＡＶ機器から、プレゼントコマンドに対するＯＫ信号が送られてきた場合は、それを検出し、ステップＳ６８６に進む。
【０３６４】
ステップＳ６８６において、Ｄ２Ｂ通信処理マイコン１０９は、Ｉ２Ｃバスなどの内部バス１２０を介して、ビデオ信号処理ＩＣ６０２のステイタスレジスタ６３１にセットされている論理を読み出す。ここで、ステイタスレジスタ６３１には、ビデオ信号処理ＩＣ６０２により、そこに入力される映像信号に含まれる水平同期信号に同期が取れたとき、即ち、ＶＴＲ６１４から出力される映像信号が、ＡＶセンタ１００の端子Ｔ３を介してそこに正しく供給されたとき、論理１がセットされ、供給されていなければ、論理０がセットされている。
【０３６５】
次にステップＳ６８７に進み、ビデオ信号処理ＩＣ６０２に供給される映像信号に含まれる水平同期信号に対して、ロックした状態にあるか否か、即ち、ステイタスレジスタ６３１が論理１であるか否かが判定される。論理１であると判定された場合、ステップＳ６８８に進み、Ｄ２Ｂ通信処理マイコン１０９が、Ｄ２Ｂ制御線１２１を介して、プレゼントコマンドを送信した相手ＡＶ機器の論理アドレス（この場合、図５４の第３ＶＴＲ７２３のアドレス１２２Ｈ）を、実機器アドレス（この場合、図５３のＶＴＲ６１４のアドレス１２１Ｈ）に対応させる。
【０３６６】
次に、ステップＳ６８９に進み、Ｄ２Ｂ通信処理マイコン１０９は、機器アドレス１２１Ｈを有する機器（ここでは、ＶＴＲ６１４）に対して、再生動作の停止を指示する制御信号を、Ｄ２Ｂ制御線１２１を介して送信する。機器アドレス１２１Ｈを有するＡＶ機器（ここでは、ＶＴＲ６１４）は、Ｄ２Ｂ通信処理マイコン１０９からの制御信号を受信すると、再生動作を停止し、制御信号に対する返事をＤ２Ｂ通信処理マイコン１０９に送信する。
【０３６７】
次に、ステップＳ６９０に進み、Ｄ２Ｂ通信処理マイコン１０９は、機器アドレス１２１Ｈを有するＡＶ機器からの停止指令に対する返事を受信し、ステップＳ６９４に進む。
【０３６８】
ステップＳ６８７において、ステイタスレジスタ６３１が論理０であると判定された場合、ステップＳ６９１に進み、Ｄ２Ｂ通信処理マイコン１０９が、Ｄ２Ｂ制御線１２１を介して、プレゼントコマンドを送信した相手のＡＶ機器の機器アドレスが、１２８Ｈより小さいか否かが判定される。
【０３６９】
ステップＳ６９１において、Ｄ２Ｂ通信処理マイコン１０９が、Ｄ２Ｂ制御線１２１を介して、プレゼントコマンドを送信した相手のＡＶ機器の機器アドレスが、１２８Ｈより小さいと判定された場合は、ステップＳ６９３に進み、送信相手の機器アドレスを１だけ増加させ、その機器アドレスを有するＡＶ機器に対して、Ｄ２Ｂ通信処理マイコン１０９は、Ｄ２Ｂ制御線１２１を介して、プレゼントコマンドを送信する。次に、ステップＳ６８６に戻る。
【０３７０】
ステップＳ６９１において、Ｄ２Ｂ通信処理マイコン１０９が、Ｄ２Ｂ制御線１２１を介して、プレゼントコマンドを送信した相手のＡＶ機器の機器アドレスが１２８Ｈに等しいか、またはそれより大きいと判定された場合は、ステップＳ６９２に進む。
【０３７１】
ステップＳ６９２においては、論理アドレス１２２Ｈに対応する機器アドレスを有するＶＴＲが、ＶＴＲ６１３（第１ＶＴＲ７２１）には接続されていないとされる。次に、ステップＳ６９４に進む。
【０３７２】
ステップＳ６９４において、切換器１１８は、Ｄ２Ｂ通信処理マイコン１０９の制御により、ＡＶセンタ１００の入力用ＡＶ端子Ｔ１に入力される映像信号だけが、ビデオ信号処理ＩＣ６０２に供給されるようにする。
【０３７３】
次に、ステップＳ６９５に進み、Ｄ２Ｂ通信処理マイコン１０９は、まだ、論理アドレスとの対応付けがなされていない機器アドレスのうち、最も小さい機器アドレス、即ち、機器アドレス１２３Ｈを有するＶＴＲに対して、Ｄ２Ｂ制御線１２１を介してプレゼントコマンドを送信する。機器アドレス１２３Ｈを有するＶＴＲ（図５３の実施例の場合、機器アドレス１２３Ｈを有するＶＴＲはＡＶセンタ１００に接続されていない）は、このプレゼントコマンドを受信したとき、内部に装着されているビデオテープが再生可能な状態にあれば、ＯＫ信号をＤ２Ｂ制御線１２１を介してＤ２Ｂ通信処理マイコン１０９に送信し、再生を開始する。
【０３７４】
次に、ステップＳ６９６に進み、Ｄ２Ｂ通信処理マイコン１０９は、Ｄ２Ｂ制御線１２１を介して、機器アドレス１２３Ｈを有するＡＶ機器から、プレゼントコマンドに対するＯＫ信号が送信されてきた場合は、それを検出し、ステップＳ６９７に進む。
【０３７５】
ステップＳ６９７において、Ｄ２Ｂ通信処理マイコン１０９は、Ｉ２Ｃバスなどの内部バス１２０を介して、ビデオ信号処理ＩＣ６０２のステイタスレジスタ６３１にセットされている論理を読み出す。
【０３７６】
次にステップＳ６９８に進み、ビデオ信号処理ＩＣ６０２に供給される映像信号に含まれる水平同期信号に対して、ロックした状態にあるか否か、即ち、ステイタスレジスタ６３１が論理１であるか否かが判定される。
【０３７７】
ステップＳ６９８において、ステイタスレジスタ６３１が論理０であると判定された場合、ステップＳ７０２に進み、Ｄ２Ｂ通信処理マイコン１０９がＤ２Ｂ制御線１２１を介して、プレゼントコマンドを送信した相手のＡＶ機器の機器アドレスが、１２８Ｈより小さいか否かが判定される。
【０３７８】
ステップＳ７０２において、Ｄ２Ｂ通信処理マイコン１０９がＤ２Ｂ制御線１２１を介してプレゼントコマンドを送信した相手のＡＶ機器の機器アドレス（いまの場合、１２３Ｈ）が１２８Ｈより小さいと判定された場合は、ステップＳ７０４に進み、プレゼントコマンドを送信する相手のＡＶ機器の機器アドレスを１だけ増加させ、その機器アドレス（いまの場合、１２４Ｈ）に対して、プレゼントコマンドを送信し、ステップＳ６９７に戻る。
【０３７９】
ステップＳ６９７において、Ｄ２Ｂ通信処理マイコン１０９は、Ｉ２Ｃバスなどの内部バス１２０を介して、ビデオ信号処理ＩＣ６０２のステイタスレジスタ６３１にセットされている論理を再度読み出す。次に、ステップＳ６９７，Ｓ６９８，Ｓ７０２，およびＳ７０４の処理が所定の回数だけ繰り返され、ステップＳ７０２において、Ｄ２Ｂ通信処理マイコン１０９が、Ｄ２Ｂ制御線１２１を介して、プレゼントコマンドを送信した相手のＡＶ機器の機器アドレスが１２８Ｈに等しいか、またはそれより大きいと判定された場合は、ステップＳ７０３に進む。
【０３８０】
ステップＳ７０３において、論理アドレス１２３Ｈに対応する機器アドレスを有するＶＴＲが、ＡＶセンタ１００のＡＶ端子Ｔ１には接続されていないとされる。次に、ステップＳ７０５に進む。
【０３８１】
一方、ステップＳ６９８において、ステイタスレジスタ６３１が論理１であると判定された場合、ステップＳ６９９に進み、Ｄ２Ｂ通信処理マイコン１０９が、Ｄ２Ｂ制御線１２１を介して、プレゼントコマンドを送信したＡＶ機器の機器アドレスを、論理アドレス１２３Ｈ（図５４の第４ＶＴＲ７２４のアドレス）に対応させる。
【０３８２】
次に、ステップＳ７００に進み、Ｄ２Ｂ通信処理マイコン１０９は、論理アドレス１２３Ｈに対応する機器アドレスを有するＡＶ機器に対して、再生動作の停止を指示する制御信号を、Ｄ２Ｂ制御線１２１を介して送信する。次に、ステップＳ７０１に進む。
【０３８３】
Ｄ２Ｂ通信処理マイコン１０９からの制御信号を受信したＡＶ機器は、再生動作を停止し、返事をＤ２Ｂ制御線１２１を介して、Ｄ２Ｂ通信処理マイコン１０９に送信する。Ｄ２Ｂ通信処理マイコン１０９は、この返事をステップＳ７０１において受信する。次に、ステップＳ７０５に進む。
【０３８４】
ステップＳ７０５においては、ステップＳ６６６，Ｓ６７７，Ｓ６８８，およびＳ６９９において対応付けられた、各ＡＶ機器のそれぞれの論理アドレスと実機器アドレスとから、図５９に示すようなアドレス変換テーブルを作成する。そして、それをＲＡＭ１０６に記憶させる。
【０３８５】
以後、Ｄ２Ｂ通信処理マイコン１０９は、アドレス変換テーブルを用いて、論理アドレスを機器アドレスに変換することにより、所望のＡＶ機器に対して、Ｄ２Ｂ制御線１２１を介して制御信号を送信することができる。また、Ｄ２Ｂ通信処理マイコン１０９は、アドレス変換テーブルより、ＡＶセンタ１００に実際に接続されているＡＶ機器の論理アドレスを認識することができる。
【０３８６】
上記実施例においては、予め設定されたＡＶ機器の論理アドレスに、まだ、対応付けられていない実機器アドレスに対して、プレゼントコマンドを送信するようにしたが、例えば、ＶＴＲの場合、ＶＴＲに割り当てられた機器アドレス（１２０Ｈ乃至１２７Ｈ）について、単純に、小さいアドレスから順に、プレゼントコマンドを送信するようにしてもよい。
【０３８７】
次に、ＡＶセンタ１００は、ＡＶセンタ１００に接続されている各機器の接続構成を認識するための処理を実行するのであるが、手動アドレス設定モードの場合においても、この接続構成を認識する方法は、上述した自動アドレス設定モードの場合と同様であるので、その説明は省略する
【０３８８】
図６０は、本発明を応用したＡＶシステムのさらに他の実施例の構成を示したブロック図である。この実施例においては、ＡＶセンタ１００は、ＡＣアウトレット７１０を有し、各ＡＶ機器の図示せぬ電源コードが、このＡＣアウトレット７１０にそれぞれ接続されている。また、ＡＣアウトレット７１０は、図５４に示した最大構成のシステムに含まれるＡＶ機器に対応する数のコンセントＣ１乃至Ｃ６を有している。コンセントＣ１乃至Ｃ６は、予め設定されている各ＡＶ機器の論理アドレスにそれぞれ対応付けられている。
【０３８９】
また、各ＡＶ機器は、ＡＶセンタ１００と同様に、Ｄ２Ｂ通信処理マイコン６１２Ｄ乃至６１６Ｄを内蔵している。これらのＤ２Ｂ通信処理マイコン６１２Ｄ乃至６１６Ｄは、それぞれＤ２Ｂ通信処理マイコン１０９との間で、Ｄ２Ｂコマンドの送受信を行い、各ＡＶ機器のアドレスを設定するようになされている。
【０３９０】
また、ＣＰＵ１０４により、ＡＣアウトレット７１０のコンセントＣ１乃至Ｃ６への電力の供給が制御されるようになされている。従って、ＣＰＵ１０４により、ＡＣアウトレット７１０を介して、ＡＶセンタ１００に接続された、所定のＡＶ機器の電源のオン／オフを制御することができる。
【０３９１】
次に、その動作を説明する。まず、使用者は、予め設定された各ＡＶ機器の論理アドレスに対応するコンセントに、所定のＡＶ機器を接続する。次に、ＣＰＵ１０４は、小さい論理アドレスに対応するコンセントから順に、そこに電力を供給するようにする。電力が供給されたコンセントに接続されているＡＶ機器は、その電源がオンとされ、自動的に自分のアドレス（実機器アドレス）を設定する。各ＡＶ機器には、そのＡＶ機器の種類毎に割り当てられた８個の機器アドレス（ＶＴＲの場合、１２０Ｈ乃至１２７Ｈ）のうち、小さい方の機器アドレスが、先に電源がオンされたＡＶ機器に対して、順次割り当てられていく。
【０３９２】
このようにすることで、各ＡＶ機器が自動的に設定する機器アドレス（実機器アドレス）を、予め設定された各ＡＶ機器の論理アドレスに一致させるようにすることができる。
【０３９３】
また、同一種類のＡＶ機器が複数あり、かつ、その数が図５４のＡＶシステムの最大構成に含まれるＡＶ機器の数より少ない場合、使用者は、小さい論理アドレスに対応するコンセントから、順次、ＡＶ機器の電源コードを接続するようにする。例えば、ＶＴＲが接続可能なコンセントは４個あるが、実際に接続するＶＴＲが３台しかないとき、論理アドレスが小さいコンセントから順次、ＶＴＲの電源コードを接続するようにする。この場合、論理アドレス１２０Ｈ乃至１２２Ｈに対応するコンセントにＶＴＲの電源コードを接続し、論理アドレス１２３Ｈに対応するコンセントは、そのままにしておく。
【０３９４】
次に、ＣＰＵ１０４が、小さい論理アドレスに対応するコンセントから順に、そこに電力を供給するようにする。このようにすることで、各ＡＶ機器が自動的に設定する実機器アドレスを、各ＡＶ機器に予め設定された論理アドレスに一致させるようにすることができる。
【０３９５】
図６１は、さらに他の実施例を表している。この実施例においては、図３５に示したＡＶセンタとしてのテレビジョン受像機１００において、ビデオ信号検出器６０３が省略された構成とされている。そして、ビデオ信号処理ＩＣ６０２は、ステイタスレジスタ６３１を有しており、ステイタスレジスタ６３１は、切換器１１８より供給される映像信号に含まれる水平同期信号に対してロックした状態にあるとき、論理１を出力し、ロックしていない状態にあるとき、論理０を出力するようになされている。
【０３９６】
また、この実施例においては、端子Ｔ４が設けられ、そこにオーディオアンプ６４１が接続され、このオーディオアンプ６４１に対して、テープデッキ６４２、ミニディスク装置（ＭＤ）６４３、コンパクトディスクプレーヤ（ＣＤ）６４４、およびオーディオチューナ６４５がそれぞれ接続されている。そして、これらの各ＡＶ機器は、それぞれ不揮発性メモリ（ＮＶＲＡＭ）６４１Ｍ乃至６４５Ｍを内蔵している。
【０３９７】
また、これらのオーディオアンプ６４１、テープデッキ６４２、ＭＤ６４３、ＣＤ６４４、およびオーディオチューナ６４５も、Ｄ２Ｂ制御線１２１により、ＡＶシステムを構成するように、ＶＴＲ６１１乃至Ｓ６１４、ビデオチューナ６１５、ＭＤＰ６１６とカスケードに接続されている。
【０３９８】
その他の構成は、図３５における場合と同様である。
【０３９９】
この実施例においては、ＡＶシステムの初期化処理時に接続経路を確認するために、図６２に示すような処理が実行される。最初に、例えば、ＭＤＰ６１６が出力する映像信号が、ＶＴＲ６１１を介して端子Ｔ１に正しく供給されるように接続されているか否かを判定する処理を実行する。
【０４００】
即ち、最初にステップＳ６１１において、Ｄ２Ｂ通信処理マイコン１０９は、ＶＴＲ６１１に対してＤ２Ｂ制御線１２１を介してスルー接続を指令する。ＶＴＲ６１１は、この指令を受けたとき、その入力用の端子Ｔ１（ＭＤＰ６１６側の端子Ｔ１）から入力された信号を、その出力用の端子Ｔ１（テレビジョン受像機１００側の端子Ｔ１）に出力するように、内部の接続を切り換える。この切り換えが完了したとき、ＶＴＲ６１１は、切り換えが完了したことを表すＯＫ信号を出力する。このＯＫ信号は、Ｄ２Ｂ制御線１２１、Ｄ２Ｂ通信処理ＩＣ１１０を介して、Ｄ２Ｂ通信処理マイコン１０９に供給される。
【０４０１】
Ｄ２Ｂ通信処理マイコン１０９は、ステップＳ６１２において、このＯＫ信号が検出されるまで待機し、ＯＫ信号が検出されたとき、ステップＳ６１３に進み、ＭＤＰ６１６（アドレス１３０ＨのＡＶ機器）に対して、プレゼントコマンドを出力する。ＭＤＰ６１６は、このプレゼントコマンドを受信したとき、内部に装着されているディスクが再生可能な状態にあれば、ＯＫ信号を出力し、再生を開始する。
【０４０２】
Ｄ２Ｂ通信処理マイコン１０９は、ステップＳ６１４において、プレゼントコマンドに対するＯＫ信号が検出されるまで待機し、ＯＫ信号を検出したとき、ステップＳ６１５に進み、端子Ｔ１に供給される信号をビデオ信号処理ＩＣ６０２に供給するように、切換器１１８を切り換えさせる。
【０４０３】
ＭＤＰ６１６より出力された映像信号は、ＶＴＲ６１１を介して、テレビジョン受像機１００の端子Ｔ１に供給され、端子Ｔ１から切換器１１８を介して、ビデオ信号処理ＩＣ６０２に供給される。ビデオ信号処理ＩＣ６０２は、入力された映像信号を処理し、ＲＧＢ信号に変換して、ＣＲＴ１１３に出力し、表示させる。
【０４０４】
また、このとき、ビデオ信号処理ＩＣ６０２は、入力される映像信号に含まれる水平同期信号に同期が取れたとき、ステイタスレジスタ６３１に論理１をセットする。もし、同期が取れていなければ、ステイタスレジスタ６３１に論理０をセットする。ＭＤＰ６１６が出力した映像信号が、ＶＴＲ６１１を介して端子Ｔ１に正しく供給されていれば、ステイタスレジスタ６３１には論理１がセットされているはずである。しかしながら、この接続経路が確保されていない場合においては、端子Ｔ１に映像信号が供給されず、ステイタスレジスタ６３１には論理０がセットされていることになる。従って、ステイタスレジスタ６３１の論理から、信号経路が正しく確保されているか否かを判定することができる。
【０４０５】
そこで、ステップＳ６１６において、ステイタスレジスタ６３１の論理を読み取り、ステップＳ６１７において、その論理から水平同期信号がロックしているか否か（論理１であるか否か）を判定する。その論理が０である場合、信号経路が正しく接続されていないことになるので、ステップＳ６１８に進み、警告表示が行われる。即ち、Ｄ２Ｂ通信処理マイコン１０９は、Ｉ２Ｃバスなどの内部バ  ス１２０を介して、画面表示用ＩＣ１１４を制御し、ＣＲＴ１１３に、接続が正しく行われていないことを表す警告（メッセージ）を表示させる。
【０４０６】
ステップＳ６１７において、ステイタスレジスタ６３１の論理が１である（ロック状態にある）ことが検出された場合、ステップＳ６１９に進み、ＯＫ処理を実行する。即ち、ＭＤＰ６１６からＶＴＲ６１１を介して、端子Ｔ１に映像信号を供給する信号経路が確保されていることを確認する処理を実行する。
【０４０７】
次にステップＳ６２０に進み、同様に、他の接続経路についてのテストを実行する。そしてステップＳ６２１において、すべての接続テストの終了が判定されまで、ステップＳ６２０の処理、即ち、接続テストを繰り返し実行する。そしてステップＳ６２１において、すべての接続テストが終了したと判定されたとき、ステップＳ６２２に進み、テスト完了の表示を行う。即ち、Ｄ２Ｂ通信処理マイコン１０９は、画面表示用ＩＣ１１４を制御し、ＣＲＴ１１３に、テストが完了したことを表すメッセージを表示させる。
【０４０８】
以上のように、この実施例においては、ビデオ信号処理ＩＣ６０２が、入力された映像信号を処理する上において本来必要な回路として、ステイタスレジスタ６３１を有しており、このステイタスレジスタ６３１を利用して、映像信号の有無を検出するようにしている。従って、図３５におけるビデオ信号を検出するための専用のビデオ信号検出器６０３を省略することができ、より低コストの装置を実現することが可能となる。
【０４０９】
図６３は、さらに他の実施例を表している。この実施例においては、画面表示用ＩＣ１１４の出力が、切換器１１８に供給されるようになされており、その出力が必要に応じて、端子Ｔ１乃至Ｔ４から出力可能になされている。その他の構成は、図６１における場合と同様である。
【０４１０】
次に、その動作について、図６４のフローチャートを参照して説明する。この実施例においては、接続経路の確認のために、画面表示用（ＯＳＤ表示用）ＩＣ１１４の出力が用いられるようになされている。そして、その出力を所定の経路を経て、ＡＶセンタとしてのテレビジョン受像機１００に再び戻すことにより、接続経路を確認するようになされている。
【０４１１】
例えば、ＶＴＲ６１３とＶＴＲ６１４の接続経路を確認する場合、最初にステップＳ６３１において、Ｄ２Ｂ通信処理マイコン１０９は、Ｄ２Ｂ通信処理ＩＣ１１０、Ｄ２Ｂ制御線１２１を介して、ＶＴＲ６１３に対して、スルー接続を指令する。ＶＴＲ６１３は、この指令を受けたとき、その端子Ｔ１から入力された信号を端子Ｔ２に出力し、また端子Ｔ２に入力された信号を端子Ｔ１に出力するように、内部の接続を切り換える。次にステップＳ６３２に進み、Ｄ２Ｂ通信処理マイコン１０９は、切換器１１８を制御し、画面表示用ＩＣ１１４が出力する信号を、端子Ｔ３の出力用の端子から出力させるとともに、端子Ｔ３の入力用の端子に入力される映像信号を、ビデオ信号処理ＩＣ６０２に供給するように切り換えさせる。
【０４１２】
次にステップＳ６３３において、Ｄ２Ｂ通信処理マイコン１０９は、画面表示用ＩＣ１１４を制御し、ＯＳＤ（オンスクリーンディスプレイ）表示用の信号を発生させる。すなわち、その内蔵する表示データレジスタにダミーの表示データをセットし、その表示命令レジスタに表示命令をセットする。この画面表示用ＩＣ１１４より出力された信号は、切換器１１８を介して端子Ｔ３の出力端子から出力される。
【０４１３】
そしてステップＳ６３４において、Ｄ２Ｂ通信処理マイコン１０９は、Ｄ２Ｂ通信処理ＩＣ１１０、Ｄ２Ｂ制御線１２１を介して、ＶＴＲ６１４に対して、ループバックの接続を指令する。ＶＴＲ６１４は、この指令の入力を受けたとき、端子Ｔ１の入力用の端子から入力される映像信号を、端子Ｔ１の出力用の端子から再び出力するように、内部の接続を切り換える。
【０４１４】
即ち、ＶＴＲ６１３とＶＴＲ６１４の間は、ＡＶ信号を双方向で授受できるように接続されている。また、ＶＴＲ６１３とテレビジョン受像機１００の端子Ｔ３との間も、ＡＶ信号を双方向で授受できるように接続されている。そしてステップＳ６３１とステップＳ６３４において発生した指令により、ＶＴＲ６１３においてスルー接続が行われ、ＶＴＲ６１４においてループバック接続が行われる結果、画面表示用ＩＣ１１４が出力した信号が、テレビジョン受像機１００の端子Ｔ３から出力され、ＶＴＲ６１３を介してＶＴＲ６１４に供給される。そしてＶＴＲ６１４に供給された映像信号は、再びＶＴＲ６１４からＶＴＲ６１３に戻され、ＶＴＲ６１３からテレビジョン受像機１００の端子Ｔ３に戻される。テレビジョン受像機１００の端子Ｔ３に入力された映像信号は、切換器１１８を介してビデオ信号処理ＩＣ６０２に供給される。
【０４１５】
このように、ＶＴＲ６１３がテレビジョン受像機１００の端子Ｔ３に正しく接続されており、さらにＶＴＲ６１４がＶＴＲ６１３に対して正しく接続されていれば、画面表示用ＩＣ１１４より出力した信号が、上記した接続経路を流れて、ビデオ信号処理ＩＣ６０２に供給される。
【０４１６】
そこでステップＳ６３５において、ビデオ信号処理ＩＣ６０２のステイタスレジスタ６３１の論理を読み取り、ステップＳ６３６において、その論理を判定する。ステイタスレジスタ６３１の論理が０であれば（水平同期信号がロックしていなければ）、画面表示用ＩＣ１１４より出力した信号が、ビデオ信号処理ＩＣ６０２に戻されていないことになるため、ステップＳ６３７に進み、警告表示が行われる。即ち、Ｄ２Ｂ通信処理マイコン１０９は、画面表示用ＩＣ１１４を制御し、ＣＲＴ１１３に、接続が正しく行われていないことを表す警告（メッセージ）を出力、表示させる。
【０４１７】
これに対して、ステップＳ６３６において、ステイタスレジスタ６３１の論理が１である（水平同期信号がロックしている）と判定された場合においては、接続が正しく行われていることになるので、ステップＳ６３８に進み、ＯＫ処理を実行する。
【０４１８】
以上のように、この実施例においては、接続経路を確認するための信号を発生する回路として、ＣＲＴ１１３に種々のＯＳＤ表示を行うための画面表示用ＩＣ１１４を用いるようにしたので、例えば図３におけるビデオテスト信号発生器１２２を設ける必要がなくなる。さらにまた、その信号を検出するのにステイタスレジスタ６３１を用いるようにしているため、図３におけるビデオテスト信号検出器１２４も不要となる。その結果、より低コストの装置を実現することが可能となる。
【０４１９】
図６５は、さらに他の実施例を表している。この実施例においては、ＡＶセンタがＡＶアンプ７００により構成されている。このＡＶアンプ７００は、ＡＶセンサとして機能するため、図３５に示したテレビジョン受像機１００の回路のうち、ＡＶセンタとして機能する上において必要な回路を同時に内蔵している。即ち、ＡＶアンプ７００は、図３５におけるテレビジョン受像機１００の回路のうち、チューナ６０１、画面表示用ＩＣ１１４、ＣＲＴ１１３、ビデオ信号処理ＩＣ６０２、ビデオ信号検出器６０３以外の回路を有している。
【０４２０】
また、この実施例においては、ＡＶセンタとしてのＡＶアンプ７００の端子Ｔ５に、テレビジョン受像機６５１が接続されている。そして、このテレビジョン受像機６５１も、ＡＶシステムを構成するように、Ｄ２Ｂ通信処理マイコン２１により他のＡＶ機器と接続されている。
【０４２１】
また、このテレビジョン受像機６５１は、テレビジョン受像機本来の機能を実現するために、図３５に示した場合と同様に、画面表示用ＩＣ６５２、ステイタスレジスタ６５４を内蔵するビデオ信号処理ＩＣ６５３、その他の回路を内蔵している。
【０４２２】
このＡＶシステムにおいては、ＡＶセンタとしてのＡＶアンプ７００が、画面表示用ＩＣとステイタスレジスタを内蔵していないために、例えばＶＴＲ６１３とＶＴＲ６１４との接続経路を確認するための処理は、図６６のフローチャートに示すように行われる。
【０４２３】
即ち、最初にステップＳ６５１において、ＡＶセンタとして機能するＡＶアンプ７００のＤ２Ｂ通信処理マイコン１０９は、Ｄ２Ｂ通信処理ＩＣ１１０、Ｄ２Ｂ制御線１２１を介して、ＶＴＲ６１３に対してスルー接続を指令する。ＶＴＲ６１３は、この指令に対応してスルー接続を実行する。次にステップＳ６５２において、Ｄ２Ｂ通信処理マイコン１０９は、切換器１１８を制御し、端子Ｔ５の入力用端子より供給される映像信号を、端子Ｔ３の出力用端子に供給し、端子Ｔ３の入力用端子に供給される映像信号を、端子Ｔ５の出力用端子に供給するように切り換えを行う。
【０４２４】
そして、次にステップＳ６５３において、テレビジョン受像機６５１に対して、画面表示用ＩＣ６５２よりＯＳＤ表示信号を出力することを要求する。テレビジョン受像機６５１は、Ｄ２Ｂ制御線１２１を介して、この指令の入力を受けたとき、内蔵する画面表示用ＩＣ６５２にＯＳＤ表示用信号を発生させる。
【０４２５】
さらにまた、Ｄ２Ｂ通信処理マイコン１０９は、ステップＳ６５４において、ＶＴＲ６１４に対してループバック接続を指令する。ＶＴＲ６１４は、この指令を受けたとき、ループバック接続を実行する。その結果、テレビジョン受像機６５１の画面表示用ＩＣ６５２が出力したＯＳＤ表示用信号が、ＡＶアンプ７００の端子Ｔ５に入力され、切換器１１８を介して端子Ｔ３から出力される。ＡＶアンプ７００の端子Ｔ３より出力された信号は、ＶＴＲ６１３を介してＶＴＲ６１４に供給される。ＶＴＲ６１４に入力された信号は、再びＶＴＲ６１３を介して、ＡＶアンプ７００の端子Ｔ３に入力される。そして、この端子Ｔ３に入力された信号は、切換器１１８、端子Ｔ５を介して、テレビジョン受像機６５１に戻される。
【０４２６】
テレビジョン受像機６５１のビデオ信号処理ＩＣ６５３は、入力された映像信号を処理し、内蔵するＣＲＴに表示させる。ビデオ信号処理ＩＣ６５３のステイタスレジスタ６５４は、映像信号が正しく入力されたとき（処理したとき）論理１を出力し、映像信号が入力されないとき論理０を出力する。
【０４２７】
そこで、Ｄ２Ｂ通信処理マイコン１０９は、Ｄ２Ｂ制御線１２１を介して、テレビジョン受像機６５１に対してステイタスレジスタ６５４の論理の読み取りを要求する。テレビジョン受像機６５１は、この要求を受けたとき、ビデオ信号処理ＩＣ６５３のステイタスレジスタ６５４の論理を読み取り、その読み取り結果を、Ｄ２Ｂ制御線１２１を介して、ＡＶアンプ７００のＤ２Ｂ通信処理マイコン１０９に出力する。
【０４２８】
Ｄ２Ｂ通信処理マイコン１０９は、この信号の論理をステップＳ６５６において判定し、論理が０（ロックしていない状態）であれば、ステップＳ６５７に進み、警告表示を要求する。即ち、Ｄ２Ｂ通信処理マイコン１０９は、Ｄ２Ｂ制御線１２１を介して、テレビジョン受像機６５１に警告表示を要求する。テレビジョン受像機６５１は、この要求を受けたとき、内蔵する画面表示用ＩＣ６５２に所定の警告を発生させ、内蔵するＣＲＴに表示させる。
【０４２９】
これに対して、ステップＳ６５６において、論理が１であると（映像信号が正しく入力されていると）判定された場合においては、ステップＳ６５８に進み、ＯＫ処理を実行する。
【０４３０】
この実施例においては、ＡＶセンタ（ＡＶアンプ７００）以外のＡＶ機器（テレビジョン受像機６５１）が内蔵する回路を用いて信号線の接続経路を確認するようにしたので、ＡＶセンタに画面表示用ＩＣやビデオ信号処理ＩＣを内蔵する必要がなくなり、低コストの装置を実現することができる。
【０４３１】
なお、以上の実施例においては、ビデオ信号処理ＩＣの水平同期信号のロック状態を検出する回路を用いるようにしたが、この他、垂直パルス信号や垂直ブランキング信号を検出する回路の出力を用いるようにすることも可能である。
【０４３２】
また、この実施例においては、各ＡＶ機器のアドレスを、予め記憶した標準パターンのアドレスに一致させるようにしたが、標準パターンのアドレスを、各ＡＶ機器に電源オン時に割り当てられたアドレスに書き換えるようにしてもよい。後者の方が、処理が簡単になる。
【０４３３】
また、本発明は、ＡＶ機器に限らず、種々の電子機器に適用できる。
【０４４３】
【発明の効果】
本発明の電子機器制御方法によれば、電子機器は、同一の種類ごとに予め決められた範囲の機器アドレスを、電力が供給される順番で設定し、電子機器制御装置は、予め決められた範囲の機器アドレスを順次指定して、その機器アドレスの電子機器に信号を送信するように指示を行い、指示に応じて送信されてくる信号を受信した端子に関連付けられた論理アドレスと、その信号を送信してきた電子機器の機器アドレスとの対応づけを行うようにしたので、電子機器システムを構成する場合におけるアドレスの割当処理が自動化され、操作性が改善される。
【図面の簡単な説明】
【図１】本発明の接続制御装置を応用したビデオシステムの一実施例の構成を示すブロック図である。
【図２】図１の実施例の動作を説明するフローチャートである。
【図３】本発明をＡＶシステムに適用した場合の一実施例の構成を示すブロック図である。
【図４】図３の実施例のパワーオン時の不揮発性メモリ１０７に対する処理例を示すフローチャートである。
【図５】図３の実施例の接続設定の初期化動作の一例の第１部分を示すフローチャートである。
【図６】図３の実施例の接続設定の初期化動作の一例の第２部分を示すフローチャートである。
【図７】図３の実施例の接続設定の初期化動作の一例の第３部分を示すフローチャートである。
【図８】図３の実施例のＡＶセンタすなわちテレビジョン受像機１００内のＡＶ信号の接続情報をＤ２Ｂ通信処理マイコン１０９とＴＶ制御用ＣＰＵ１０４との間で伝達するための入出力マトリクスの一例を示す図表である。
【図９】図３の実施例のＴＶ制御用ＣＰＵ１０４への接続命令、ＴＶ制御用ＣＰＵ１０４への接続問い合わせ、およびこれらに対するＴＶ制御用ＣＰＵ１０４の返事の例を示す図表である。
【図１０】図３の実施例のＤ２Ｂ通信処理マイコン１０９のフログラム構成例すなわちその処理例を示すフローチャートである。
【図１１】ＡＶセンタ１００を中心に各ＡＶ機器をツリー状に接続し、ＡＶ線とＤ２Ｂ制御線とを一体化した一実施例を示すブロック図である。
【図１２】ＡＶ線とＤ２Ｂ制御線とを一体化したコネクタケーブル３００の一構成例を示す図である。
【図１３】オーディオ信号が左右異なる場合のオーディオ出力線３０３およびオーディオ入力線３０４の一構成例を示す図である。
【図１４】図１１の実施例の接続判別動作例を示すフローチャートである。
【図１５】図３の実施例におけるＤ２Ｂ使用モードおよびＤ２Ｂ不使用モードの自動設定動作の一例を示すフローチャートである。
【図１６】図３の実施例におけるＤ２Ｂ使用モードおよびＤ２Ｂ不使用モードの自動設定動作の他の例を示すフローチャートである。
【図１７】図３の実施例における初期化動作の例を示すフローチャートである。
【図１８】本発明の接続確認方法の一実施例を示すフローチャートである。
【図１９】本発明の接続制御装置をＡＶシステムに適用した場合の他の実施例の構成を示すブロック図である。
【図２０】図１９の実施例の接続初期設定時の動作例を示すフローチャートである。
【図２１】図１９の実施例の録画時の動作例を示すフローチャートである。
【図２２】図２１のステップＳ３１４に示された「チューナからＶＴＲへの接続命令実行」処理の一例を示すフローチャートである。
【図２３】図１９の実施例の変形例を示すブロック図である。
【図２４】図２３の変形例の動作例を示すフローチャートである。
【図２５】本発明の初期化設定処理の一実施例を示すフローチャートであ。
【図２６】図２５の初期化に対応した本発明によるフィーチャー実行時の動作例を示すフローチャートである。
【図２７】相手（すなわち他の）機器の診断および設定処理の本発明の一実施例を示すフローチャートである。
【図２８】図２７の各ステップにおいてＣＲＴに表示される内容を示す図である。
【図２９】Ｄ２Ｂマイコン内の処理構造を示すブロック図である。
【図３０】Ｄ２Ｂモジュールの切り分けを示すブロックである。
【図３１】Ｄ２Ｂマイコンの処理を示すフローチャートである。
【図３２】図３４の接続設定処理の最初にＣＲＴに表示される内容の一例を示す図である。
【図３３】図３４の接続設定処理において接続ルートが設定されたときにＣＲＴに表示される内容の一例を示す図である。
【図３４】本発明の接続設定処理の一例を示すフローチャートである。
【図３５】本発明のＡＶシステムの他の実施例の構成を示すブロック図である。
【図３６】図３５の各ＡＶ機器の電源をオンした場合における動作を説明するフローチャートである。
【図３７】アドレス切換スイッチを示す図である。
【図３８】固定方式のＡＶシステムの最大構成の一実施例を示すブロック図である。
【図３９】アドレス自動設定時の処理を説明するためのフローチャートである。
【図４０】アドレス自動設定時の処理を説明するためのフローチャートである。
【図４１】アドレス自動設定時の処理を説明するためのフローチャートである。
【図４２】アドレス確定命令の送信手順を示す図である。
【図４３】自由設定方式のＡＶシステムの一実施例の構成を示す図である。
【図４４】自由設定方式のＡＶシステムの他の実施例の構成を示す図である。
【図４５】図３５の実施例におけるアドレス割当処理を説明するフローチャートである。
【図４６】図４５に続くフローチャートである。
【図４７】図４６に続くフローチャートである。
【図４８】図４７に続くフローチャートである。
【図４９】図３５の実施例におけるアドレス割当処理の他の処理例を説明するフローチャートである。
【図５０】図４９に続くフローチャートである。
【図５１】図５０に続くフローチャートである。
【図５２】図５１に続くフローチャートである。
【図５３】本発明のＡＶシステムのさらに他の実施例の構成を示すブロック図である。
【図５４】ＡＶシステムの最大構成の一実施例を示すブロック図である。
【図５５】図５３の実施例の論理アドレスと実機器アドレスとの対応付け処理を説明するフローチャートである。
【図５６】図５５に続くフローチャートである。
【図５７】図５６に続くフローチャートである。
【図５８】図５７に続くフローチャートである。
【図５９】アドレス変換テーブルの一実施例を示す図である。
【図６０】本発明のＡＶシステムのさらに他の実施例の構成を示すブロック図である。
【図６１】本発明のＡＶシステムのさらに他の実施例の構成を示すブロック図である。
【図６２】図６１の実施例の動作を説明するフローチャートである。
【図６３】本発明のＡＶシステムのさらに他の実施例の構成を示すブロック図である。
【図６４】図６３の実施例の動作を説明するフローチャートである。
【図６５】本発明のＡＶシステムのさらに他の実施例の構成を示すブロック図である。
【図６６】図６５の実施例の動作を説明するフローチャートである。
【図６７】従来のビデオシステムの一例の構成を示すブロック図である。
【図６８】従来のＡＶシステムの一例を示すブロック図である。
【符号の説明】
１  テレビジョン受像機（ＡＶセンタ）
２  リモコン
３  受光部
４  操作部
５  ＣＰＵ
６  メモリ
６Ａ  ＲＯＭ
６Ｂ  ＲＡＭ
６Ｃ  ＮＶＲＡＭ
７  チューナ
８  切換部（スイッチボックス）
９  制御部
１０  ＣＲＴ
１１  スピーカ
１２  検出回路
１３  ビデオテープレコーダ（ＶＴＲ）
１３ａ  信号発生回路
１４  レーザディスクプレーヤ（ＬＤＰ）
１４ａ  信号発生回路
１５，１６  外部入力端子
１７  制御信号端子
２１  第１ＡＶ切替コントローラ
２２  第２ＡＶ切替コントローラ
３０  第１ＶＴＲ
４０  第２ＶＴＲ
５０  ＬＤＰ
３２，４２，５２  ビデオテスト信号発生器
３４，４４，５４  ビデオテスト信号検出器
９２，３１２，３２２  Ｄ２Ｂマイコン
９４，３２４，５２４  通信バッファ
１００  テレビジョン受像機
１０４  ＣＰＵ
１０５  ＲＯＭ
１０６  ＲＡＭ
１０７  不揮発性メモリ
１０９  Ｄ２Ｂ通信処理マイコン
１１３  ＣＲＴ
１１８  切換器
１２０  内部バス
１２１  Ｄ２Ｂ制御線
１２２  ビデオテスト信号発生器
１２４  ビデオテスト信号検出器
３００，５００  コネクタケーブル
３２６，５２６  警告発生器
６０２  ビデオ信号処理ＩＣ
６０３  ビデオ信号検出器
６１１乃至６１４  ＶＴＲ
６１１Ｍ乃至６１６Ｍ  ＮＶＲＡＭ
６１２Ｄ乃至６１６Ｄ  Ｄ２Ｂ通信処理マイコン
６１５  ビデオチューナ
６１６  マルチディスクプレーヤ
６１６Ａ  第１ＭＤＰ
６１６Ｂ  第２ＭＤＰ
６３１  ステイタスレジスタ
６４１  オーディオアンプ
６４２  テープデッキ
６４３  ＭＤ
６４４  ＣＤ
６４５  オーディオチューナ
６５１  テレビジョン受像機
６５２  画面表示用ＩＣ
６５３  ビデオ信号処理ＩＣ
６５４  ステイタスレジスタ
７００  ＡＶアンプ
７１０  ＡＣアウトレット
７２１  第１ＶＴＲ
７２２  第２ＶＴＲ
７２３  第３ＶＴＲ
７２４  第４ＶＴＲ
７２５  ビデオチューナ
７２６  ＭＤＰ
Ｔ１，Ｔ２，Ｔ３，Ｔ４  ＡＶ入出力端子
Ｖ１，Ｖ２，Ｖ３，Ｖ４  ＡＶ入出力端子（プラグ）
Ｃ１，Ｃ２，Ｃ３，Ｃ４，Ｃ５，Ｃ６  コンセント
【図１】
0003567438.tif 000002
【図２】
0003567438.tif 000003
【図３】
0003567438.tif 000004
【図４】
0003567438.tif 000005
【図５】
0003567438.tif 000006
【図６】
0003567438.tif 000007
【図７】
0003567438.tif 000008
【図８】
0003567438.tif 000009
【図９】
0003567438.tif 000010
【図１０】
0003567438.tif 000011
【図１１】
0003567438.tif 000012
【図１２】
0003567438.tif 000013
【図１３】
0003567438.tif 000014
【図１４】
0003567438.tif 000015
【図１５】
0003567438.tif 000016
【図１６】
0003567438.tif 000017
【図１７】
0003567438.tif 000018
【図１８】
0003567438.tif 000019
【図１９】
0003567438.tif 000020
【図２０】
0003567438.tif 000021
【図２１】
0003567438.tif 000022
【図２２】
0003567438.tif 000023
【図２３】
0003567438.tif 000024
【図２４】
0003567438.tif 000025
【図２５】
0003567438.tif 000026
【図２６】
0003567438.tif 000027
【図２７】
0003567438.tif 000028
【図２８】
0003567438.tif 000029
【図２９】
0003567438.tif 000030
【図３０】
0003567438.tif 000031
【図３１】
0003567438.tif 000032
【図３２】
0003567438.tif 000033
【図３３】
0003567438.tif 000034
【図３４】
0003567438.tif 000035
【図３５】
0003567438.tif 000036
【図３６】
0003567438.tif 000037
【図３７】
0003567438.tif 000038
【図３８】
0003567438.tif 000039
【図３９】
0003567438.tif 000040
【図４０】
0003567438.tif 000041
【図４１】
0003567438.tif 000042
【図４２】
0003567438.tif 000043
【図４３】
0003567438.tif 000044
【図４４】
0003567438.tif 000045
【図４５】
0003567438.tif 000046
【図４６】
0003567438.tif 000047
【図４７】
0003567438.tif 000048
【図４８】
0003567438.tif 000049
【図４９】
0003567438.tif 000050
【図５０】
0003567438.tif 000051
【図５１】
0003567438.tif 000052
【図５２】
0003567438.tif 000053
【図５３】
0003567438.tif 000054
【図５４】
0003567438.tif 000055
【図５５】
0003567438.tif 000056
【図５６】
0003567438.tif 000057
【図５７】
0003567438.tif 000058
【図５８】
0003567438.tif 000059
【図５９】
0003567438.tif 000060
【図６０】
0003567438.tif 000061
【図６１】
0003567438.tif 000062
【図６２】
0003567438.tif 000063
【図６３】
0003567438.tif 000064
【図６４】
0003567438.tif 000065
【図６５】
0003567438.tif 000066
【図６６】
0003567438.tif 000067
【図６７】
0003567438.tif 000068
【図６８】
0003567438.tif 000069